(57)【要約】【課題】リーフの差し換えをし易いように綴杆を開き易く且つ閉じ易い綴具を提供する。【解決手段】この発明にかかる綴具１０は、複数の綴杆部１２と、前記複数の綴杆部を連結するための連結領域と、前記綴杆部を構成する綴杆を開閉させるときの中心となる枢結部１６とを備える綴具であって、前記綴杆部を構成する綴杆２０，３０は、一対の綴杆が向き合うように、前記一対の連結領域の各々にその長手方向に適宜な間隔をおいて、連結領域から突設され、前記綴杆を開閉させるときの中心ののびる方向における一端又は両端の領域には、押圧部１４０が突設され、前記押圧部は、綴杆のうち対向する一方の複数の綴杆を、対向する他方の複数の綴杆の係止部から脱係させるために、前記中心ののびる方向に変位させるように構成されている。
2012114564.tif 000002
【特許請求の範囲】
【請求項１】
複数の綴杆部と、前記複数の綴杆部を連結するための連結領域と、前記綴杆部を構成する綴杆を開閉させるときの中心となる枢結領域とを備える綴具であって、
前記綴杆部を構成する綴杆は、一対の綴杆が向き合うように、前記一対の連結領域の各々にその長手方向に適宜な間隔をおいて、連結領域から突設され、
前記綴杆を開閉させるときの中心ののびる方向における一端又は両端の領域には、押圧部が突設され、
前記押圧部は、綴杆のうち対向する一方の複数の綴杆を、対向する他方の複数の綴杆の係止部から脱係させるために、前記中心ののびる方向に変位させるように構成された、綴具。
【請求項２】
前記押圧部は、
第１綴杆及び／又は第２綴杆、第１連結部及び／又は第２連結部、第１架設部及び／又は第２架設部、枢結領域の前記中心ののびる方向における端部の領域において、突設された押し棒によって構成された、請求項１に記載の綴具。
【請求項３】
前記綴杆部は、綴杆の連結領域及び／又は枢結領域に連設された基部とは反対側の自由端に、綴杆を閉鎖したときに係止するための綴杆係止部を形成され、
前記綴杆係止部は、係止する綴杆の回転方向と交差する方向に係止する綴杆を相対移動して係止又は脱係するように形成され、
前記押圧部は、前記綴杆を相対移動して綴杆を脱係する方向とは反対側において、脱係する方向とは反対側に向けて、綴杆及び／又は連結領域及び／又は枢結領域に突設された、請求項１又は請求項２に記載の綴具。
【請求項４】
前記押圧部は、指で直接的に又は間接的に押されるように構成された、請求項１ないし請求項３のいずれかに記載の綴具。
【請求項５】
前記枢結部は、
シャフト部とシャフト部の受け部とを備え、
前記シャフト部は、前記連結領域の長手方向にのび、一対の連結領域を連結し、
前記受け部は、前記連結領域の長手方向にのび、前記綴杆部及び／又は連結領域に連設され、且つシャフト部を装填するための開口部を側面に形成され、
前記押圧部は、
前記枢結部ののびる方向における一端又は両端の領域において突設された、請求項１ないし請求項４のいずれかに記載の綴具。
【請求項６】
前記連結領域は、枢結領域及び架設部により構成され、
前記枢結領域は、前記綴杆部を連結する軸受部と、前記綴杆部を連結して前記綴杆部を構成する綴杆を開閉させるときの中心となる枢軸部とを備え、
前記綴杆部を構成する綴杆は、一対の綴杆が向き合うように、前記綴杆部を連結する軸受部及び枢軸部の各々にその長手方向に適宜な間隔をおいて、軸受部及び枢軸部の外側部ないし上側部から突設され、
前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、枢軸部を装填するための開口部を側面に形成され、前記開口部に続く内面が円弧状の軸受凹部を形成され、
前記枢軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、
枢結領域は、前記綴杆の先端を合わせて閉鎖するとき及び綴杆の先端を離間させるときに回転中心となるように構成され、
前記押圧部は、前記枢結部ののびる方向における一端又は両端の領域において突設された、請求項１ないし請求項４のいずれかに記載の綴具。
【請求項７】
前記第１受け部の収容部と第２受け部の受け部との間及び／又は第２受け部の収容部と第１受け部の受け部との間に、
前記シャフト部の長手方向に引張力又は圧縮力をかける弾発部材が介装された、請求項５に記載の綴具。
【請求項８】
前記綴杆部の基部に連設された第１受け部の収容部と綴杆部の基部に連設された第２受け部の収容部との間に、
前記枢結領域の長手方向に圧縮し且つ弾発力をかける弾発部材が介装され、
前記第１受け部及び第２受け部並びに弾発部材は、前記綴杆の先端を合わせて閉鎖するとき及び綴杆の先端を離間させるときに回転中心となるように構成された、請求項６に記載の綴具。
【請求項９】
弾発部材は、ねじりコイルバネからなり、巻線部と巻線部の両端から巻線部の中心軸と直交ないし交差する方向に伸びる直線状の第１固定先端部と直線状の第２固定先端部とが連設され、ねじりモーメントが発生しない元の状態は、巻線部の外方に第１固定先端部と第２固定先端部とが突き出され、
一方の第１固定先端部は、第１連結部の支持部に支持され、また、もう一方の第２固定先端部は、第１固定先端部と向き合うように第２連結部の支持部に支持され、
押圧部を指で押すことにより、係止された第１綴杆の綴杆係止部及び第２綴杆の綴杆係止部を外すとき、移動する方向とは反対側にある第１連結部の支持部に第１固定先端部は支持され、移動する方向とは反対側にある第２連結部の支持部にもう一方の第２固定先端部は、支持されている、請求項７又は請求項８に記載の綴具。
【請求項１０】
前記複数の綴杆部を連結するための連結領域に、弾発部材が介装され、
前記弾発部材は、巻線部を備えた、請求項１又は請求項２に記載の綴具。
【請求項１１】
綴杆及び／又は連結部及び／又は受け部及び／又は軸受部に、表紙に取り付けるための取り付け部が連設された、請求項１ないし請求項１０のいずれかに記載の綴具。
【発明の詳細な説明】
【技術分野】
【０００１】
この発明は、ファイリング用の綴具に関するものであり、特に、例えばセルリング式ノート又は綴じ穴のあるリーフを綴じる手帳類、ファイル・バインダ類に用いられる綴具である。
【背景技術】
【０００２】
従来、リング状の部材を用いて、穴の開いたリーフを綴じていたノートは、そのリングの形状に沿って、３６０°リーフを広げること、すなわち開くだけでなく、リーフを折り返しノートの表面側と裏面側とを重ねることができ、１８０度しか開かないノートと比して半分のスペースで活用することができた。しかし、このセルリング式ノートは、リーフの差し替えができない欠点があった。
一方、特許第３４４０３５６号及び実開平７−１７５７８号の綴具を用いたノート、すなわちリーフを綴じる綴杆部が開閉可能なノートは、リーフの差し替えが可能である。
【先行技術文献】
【特許文献】
【０００３】
【特許文献１】特許第３４４０３５６号
【特許文献２】実開平７−１７５７８号
【発明の概要】
【発明が解決しようとする課題】
【０００４】
しかしながら、特許文献１（特許第３４４０３５６号）の綴具は、複数の櫛部（２）を有する２本の主部材（１）からなる綴具であって、主部材（１ａ）の先端（７ａ）にスライド可能なリング部材（４）を設け、かつ、このリング部材（４）の内側の形状は主部材（１ａ）と主部材（１ｂ）とを一体に合わせた外形とほぼ同一もしくは少し小さなものであり、リーフの差し換えのために、２本の主部材を分離した後に、複数の櫛部の先端の嵌合手段を嵌合するときに、多くの櫛部を嵌合するために比較的手間がかかった。
また、特許文献２（実開平７−１７５７８号）の綴具は、複数の綴環を起立した第１部材と第２部材とを共通の軸線で枢着している。したがって、第１部材と第２部材とは分離しないが、綴環１５，１７の基部に複数の綴環を連結する棒状の連結部を形成し、その連結部の内側面から張出部２３を突設しているために、例えば、机の上に置いて綴具を開こうとしても、綴環の基部の外側が机の面に突き出たり、綴環が充分開かず、リーフの出し入れが比較的困難である。また、合成樹脂による一体成形は、製造用金型が複雑な構造となり、困難である。
それゆえに、この発明の主たる目的は、リーフの差し換えをし易いように綴杆を開き易く且つ閉じ易い綴具を提供することである。
【課題を解決するための手段】
【０００５】
この発明にかかる綴具は、複数の綴杆部と、前記複数の綴杆部を連結するための連結領域と、前記綴杆部を構成する綴杆を開閉させるときの中心となる枢結領域とを備える綴具であって、前記綴杆部を構成する綴杆は、一対の綴杆が向き合うように、前記一対の連結領域の各々にその長手方向に適宜な間隔をおいて、連結領域から突設され、前記綴杆を開閉させるときの中心ののびる方向における一端又は両端の領域には、押圧部が突設され、前記押圧部は、綴杆のうち対向する一方の複数の綴杆を、対向する他方の複数の綴杆の係止部から脱係させるために、前記中心ののびる方向に変位させるように構成された、綴具である。
この発明の請求項２にかかる綴具においては、前記押圧部は、第１綴杆及び／又は第２綴杆、第１連結部及び／又は第２連結部、第１架設部及び／又は第２架設部、枢結領域の前記中心ののびる方向における端部の領域において、突設された押し棒によって構成された、請求項１に記載の綴具である。
この発明の請求項３にかかる綴具においては、前記綴杆部は、綴杆の連結領域及び／又は枢結領域に連設された基部とは反対側の自由端に、綴杆を閉鎖したときに係止するための綴杆係止部を形成され、前記綴杆係止部は、係止する綴杆の回転方向と交差する方向に係止する綴杆を相対移動して係止又は脱係するように形成され、前記押圧部は、前記綴杆を相対移動して綴杆を脱係する方向とは反対側において、脱係する方向とは反対側に向けて、綴杆及び／又は連結領域及び／又は枢結領域に突設された、請求項１又は請求項２に記載の綴具である。
この発明の請求項４にかかる綴具においては、前記押圧部は、指で直接的に又は間接的に押されるように構成された、請求項１ないし請求項３のいずれかに記載の綴具である。
この発明の請求項５にかかる綴具においては、前記枢結部は、シャフト部とシャフト部の受け部とを備え、前記シャフト部は、前記連結領域の長手方向にのび、一対の連結領域を連結し、前記受け部は、前記連結領域の長手方向にのび、前記綴杆部及び／又は連結領域に連設され、且つシャフト部を装填するための開口部を側面に形成され、前記押圧部は、前記枢結部ののびる方向における一端又は両端の領域において突設された、請求項１ないし請求項４のいずれかに記載の綴具である。
この発明の請求項６にかかる綴具においては、前記連結領域は、枢結領域及び架設部により構成され、前記枢結領域は、前記綴杆部を連結する軸受部と、前記綴杆部を連結して前記綴杆部を構成する綴杆を開閉させるときの中心となる枢軸部とを備え、前記綴杆部を構成する綴杆は、一対の綴杆が向き合うように、前記綴杆部を連結する軸受部及び枢軸部の各々にその長手方向に適宜な間隔をおいて、軸受部及び枢軸部の外側部ないし上側部から突設され、前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、枢軸部を装填するための開口部を側面に形成され、前記開口部に続く内面が円弧状の軸受凹部を形成され、前記枢軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、枢結領域は、前記綴杆の先端を合わせて閉鎖するとき及び綴杆の先端を離間させるときに回転中心となるように構成され、前記押圧部は、前記枢結部ののびる方向における一端又は両端の領域において突設された、請求項１ないし請求項４のいずれかに記載の綴具である。
この発明の請求項７にかかる綴具は、前記第１受け部の収容部と第２受け部の受け部との間及び／又は第２受け部の収容部と第１受け部の受け部との間に、前記シャフト部の長手方向に引張力又は圧縮力をかける弾発部材が介装された、請求項５に記載の綴具である。
この発明の請求項８にかかる綴具は、前記綴杆部の基部に連設された第１受け部の収容部と綴杆部の基部に連設された第２受け部の収容部との間に、前記枢結領域の長手方向に圧縮し且つ弾発力をかける弾発部材が介装され、前記第１受け部及び第２受け部並びに弾発部材は、前記綴杆の先端を合わせて閉鎖するとき及び綴杆の先端を離間させるときに回転中心となるように構成された、請求項６に記載の綴具である。
この発明の請求項９にかかる綴具においては、弾発部材は、ねじりコイルバネからなり、巻線部と巻線部の両端から巻線部の中心軸と直交ないし交差する方向に伸びる直線状の第１固定先端部と直線状の第２固定先端部とが連設され、ねじりモーメントが発生しない元の状態は、巻線部の外方に第１固定先端部と第２固定先端部とが突き出され、一方の第１固定先端部は、第１連結部の支持部に支持され、また、もう一方の第２固定先端部は、第１固定先端部と向き合うように第２連結部の支持部に支持され、押圧部を指で押すことにより、係止された第１綴杆の綴杆係止部及び第２綴杆の綴杆係止部を外すとき、移動する方向とは反対側にある第１連結部の支持部に第１固定先端部は支持され、移動する方向とは反対側にある第２連結部の支持部にもう一方の第２固定先端部は、支持されている、請求項７又は請求項８に記載の綴具である。
この発明の請求項１０にかかる綴具は、前記複数の綴杆部を連結するための連結領域に、弾発部材が介装され、前記弾発部材は、巻線部を備えた、請求項１又は請求項２に記載の綴具である。
この発明の請求項１１にかかる綴具は、綴杆及び／又は連結部及び／又は受け部及び／又は軸受部に、表紙に取り付けるための取り付け部が連設された、請求項１ないし請求項１０のいずれかに記載の綴具である。
【発明の効果】
【０００６】
この発明の請求項１にかかる綴具によれば、複数の綴杆部と、前記複数の綴杆部を連結するための連結領域と、前記綴杆部を構成する綴杆を開閉させるときの中心となる枢結領域とを備える綴具であって、前記綴杆部を構成する綴杆は、一対の綴杆が向き合うように、前記一対の連結領域の各々にその長手方向に適宜な間隔をおいて、連結領域から突設され、前記綴杆を開閉させるときの中心ののびる方向における一端又は両端の領域には、押圧部が突設され、前記押圧部は、綴杆のうち対向する一方の複数の綴杆を、対向する他方の複数の綴杆の係止部から脱係させるために、前記中心ののびる方向に変位させるように構成されているので、リーフの差し換えをし易いように綴杆を開き易く且つ閉じ易い綴具を提供することをできる。
この発明の請求項２にかかる綴具によれば、前記押圧部は、第１綴杆及び／又は第２綴杆、第１連結部及び／又は第２連結部、第１架設部及び／又は第２架設部、枢結領域の前記中心ののびる方向における端部の領域において、突設された押し棒によって構成されているので、指で押圧部を押して綴杆のうち対向する一方の複数の綴杆を、対向する他方の複数の綴杆の係止部から脱係させることができる。
この発明の請求項３にかかる綴具によれば、前記綴杆部は、綴杆の連結領域及び／又は枢結領域に連設された基部とは反対側の自由端に、綴杆を閉鎖したときに係止するための綴杆係止部を形成され、前記綴杆係止部は、係止する綴杆の回転方向と交差する方向に係止する綴杆を相対移動して係止又は脱係するように形成され、前記押圧部は、前記綴杆を相対移動して綴杆を脱係する方向とは反対側において、脱係する方向とは反対側に向けて、綴杆及び／又は連結領域及び／又は枢結領域に突設されているので、指で押圧部を押して綴杆のうち対向する一方の複数の綴杆を、対向する他方の複数の綴杆の係止部から脱係させることができる。
この発明の請求項４にかかる綴具によれば、前記押圧部は、指で直接的に又は間接的に押されるように構成されているので、指で押圧部を押して綴杆のうち対向する一方の複数の綴杆を、対向する他方の複数の綴杆の係止部から脱係させることができる。
この発明の請求項５にかかる綴具によれば、前記枢結部は、シャフト部とシャフト部の受け部とを備え、前記シャフト部は、前記連結領域の長手方向にのび、一対の連結領域を連結し、前記受け部は、前記連結領域の長手方向にのび、前記綴杆部及び／又は連結領域に連設され、且つシャフト部を装填するための開口部を側面に形成され、前記押圧部は、前記枢結部ののびる方向における一端又は両端の領域において突設されているので、指で押圧部を押して綴杆のうち対向する一方の複数の綴杆を、対向する他方の複数の綴杆の係止部から脱係させることができる。
この発明の請求項６にかかる綴具によれば、前記連結領域は、枢結領域及び架設部により構成され、前記枢結領域は、前記綴杆部を連結する軸受部と、前記綴杆部を連結して前記綴杆部を構成する綴杆を開閉させるときの中心となる枢軸部とを備え、前記綴杆部を構成する綴杆は、一対の綴杆が向き合うように、前記綴杆部を連結する軸受部及び枢軸部の各々にその長手方向に適宜な間隔をおいて、軸受部及び枢軸部の外側部ないし上側部から突設され、前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、枢軸部を装填するための開口部を側面に形成され、前記開口部に続く内面が円弧状の軸受凹部を形成され、前記枢軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、枢結領域は、前記綴杆の先端を合わせて閉鎖するとき及び綴杆の先端を離間させるときに回転中心となるように構成され、前記押圧部は、前記枢結部ののびる方向における一端又は両端の領域において突設されているので、指で押圧部を押して綴杆のうち対向する一方の複数の綴杆を、対向する他方の複数の綴杆の係止部から脱係させることができる。
この発明の請求項７にかかる綴具によれば、前記第１受け部の収容部と第２受け部の受け部との間及び／又は第２受け部の収容部と第１受け部の受け部との間に、前記シャフト部の長手方向に引張力又は圧縮力をかける弾発部材が介装されているので、指で押圧部を押して綴杆のうち対向する一方の複数の綴杆を、対向する他方の複数の綴杆の係止部から脱係させることができる。
この発明の請求項８にかかる綴具によれば、前記綴杆部の基部に連設された第１受け部の収容部と綴杆部の基部に連設された第２受け部の収容部との間に、前記枢結領域の長手方向に圧縮し且つ弾発力をかける弾発部材が介装され、前記第１受け部及び第２受け部並びに弾発部材は、前記綴杆の先端を合わせて閉鎖するとき及び綴杆の先端を離間させるときに回転中心となるように構成されているので、綴杆部の開閉を比較的容易にでき、確実に綴杆部を閉じることができる。
この発明の請求項９にかかる綴具によれば、弾発部材は、ねじりコイルバネからなり、巻線部と巻線部の両端から巻線部の中心軸と直交ないし交差する方向に伸びる直線状の第１固定先端部と直線状の第２固定先端部とが連設され、ねじりモーメントが発生しない元の状態は、巻線部の外方に第１固定先端部と第２固定先端部とが突き出され、一方の第１固定先端部は、第１連結部の支持部に支持され、また、もう一方の第２固定先端部は、第１固定先端部と向き合うように第２連結部の支持部に支持され、押圧部を指で押すことにより、係止された第１綴杆の綴杆係止部及び第２綴杆の綴杆係止部を外すとき、移動する方向とは反対側にある第１連結部の支持部に第１固定先端部は支持され、移動する方向とは反対側にある第２連結部の支持部にもう一方の第２固定先端部は、支持されているので、綴杆部の開閉を比較的容易にでき、確実に綴杆部を閉じることができる。
この発明の請求項１０にかかる綴具によれば、前記複数の綴杆部を連結するための連結領域に、弾発部材が介装され、前記弾発部材は、巻線部を備えているので、綴杆部の開閉を比較的容易にでき、確実に綴杆部を閉じることができる。
この発明の請求項１１にかかる綴具によれば、綴杆及び／又は連結部及び／又は受け部及び／又は軸受部に、表紙に取り付けるための取り付け部が連設されているので、表紙に綴具を取り付けた手帳類、ファイル・バインダ類を得ることができる。【０００７】
この発明の上述の目的、その他の目的、特徴及び利点は、図を参照して行う以下の発明を実施するための最良の形態の説明から一層明らかとなろう。
この明細書及び特許請求の範囲において、リーフは、用紙、合成樹脂製ポケット、表紙等の被綴じ物の総称である。
【図面の簡単な説明】
【０００８】
【図１】この発明にかかる綴具を用いたノートの斜視図解図である。
【図２】この発明にかかる綴具の斜視図解図である。
【図３】この発明にかかる綴具の斜視図解図であり、（Ａ）は全体の図で、（Ｂ）は部分的に拡大した図であり、（Ｃ）（Ｄ）は半割杆の図である。
【図４】第１綴具部材の斜視図解図であり、（Ａ）は右側の図であり、（Ｂ）は左側の図である。
【図５】第２綴具部材の斜視図解図であり、（Ａ）は右側の図であり、（Ｂ）は左側の図である。
【図６Ａ】この発明にかかる綴具を分解した状態における斜視図解図である。
【図６Ｂ】別の弾発部材及びその弾発部材を第１及び第２綴具部材に取り付けられた状態における斜視図解図である。
【図６Ｃ】図６Ｂ図示綴具の断面図解図であり、（Ａ）は閉じた状態の断面図解図であり、（Ｂ）は開いた状態の断面図解図である。
【図６Ｄ】更に別の弾発部材の正面図解図である。
【図７】閉じた状態における綴具の正面図解図である。
【図８】閉じた状態における綴具の背面図解図である。
【図９】図７Ａ−Ａ断面図解図である。
【図１０】図７Ｂ−Ｂ断面図解図である。
【図１１】開き始めた状態における綴具の正面図解図である。
【図１２】開き始めた状態における綴具の背面図解図である。
【図１３】開いた状態における綴具の正面図解図である。
【図１４】開いた状態における綴具の背面図解図である。
【図１５】図１３Ａ−Ａ断面図解図である。
【図１６】図１３Ｂ−Ｂ断面図解図である。
【図１７】ノートのリーフの開き方を示す平面図解図であり、（Ａ）は閉じた状態の図で、（Ｂ）は半分捲った状態の図で、（Ｃ）は３６０度捲った状態の図である。
【図１８】この発明にかかる綴具の開き方を示す斜視図解図である。
【図１９】この発明にかかる綴具を用いたノートにおける綴具の開き方を示す平面図解図である。
【図２０】この発明にかかる綴具を用いたノートにおける綴具の開き方を示す平面図解図である。
【図２１】この発明にかかる綴具を用いたノートの斜視図解図である。
【図２２】この発明にかかる綴具の斜視図解図であり、（Ａ）は全体の図で、（Ｂ）は部分的に拡大した図である。
【図２３】この発明にかかる綴具の斜視図解図であり、（Ａ）は全体の図で、（Ｂ）は部分的に拡大した図であり、（Ｃ）（Ｄ）は半割杆の図である。
【図２４】この発明にかかる綴具を分解した状態における斜視図解図である。
【図２５】図７Ａ−Ａ断面図解図である。
【図２６】ノートのリーフの開き方を示す平面図解図であり、（Ａ）は閉じた状態の図で、（Ｂ）は半分捲った状態の図で、（Ｃ）は３６０度捲った状態の図である。
【図２７】変形例の綴具を分解した状態における斜視図解図である。
【図２８】図２７図示綴具の閉じた状態における綴具の背面図解図である。
【図２９】図１９図示綴具の断面図解図であり、（Ａ）は閉じた状態の断面図解図であり、（Ｂ）は開いた状態の断面図解図である。
【図３０】この発明にかかる綴具を用いた手帳の斜視図解図である。
【図３１Ａ】この発明にかかる綴具の全体の斜視図解図である。
【図３１Ｂ】この発明にかかる綴具の斜視図解図である。
【図３２】この発明にかかる綴具の斜視図解図であり、（Ａ）は全体の図で、（Ｂ）（Ｃ）は半割杆の図である。
【図３３】第１綴具部材の斜視図解図であり、（Ａ）は右側の図であり、（Ｂ）は左側の図である。
【図３４】第２綴具部材の斜視図解図であり、（Ａ）は右側の図であり、（Ｂ）は左側の図である。
【図３５】この発明にかかる綴具を分解した状態における斜視図解図である。
【図３６】第１綴具部材と第２綴具部材とを結合する方法を示す斜視図解図である。
【図３７】閉じた状態における綴具の正面図解図である。
【図３８】閉じた状態における綴具の背面図解図である。
【図３９Ａ】図３７Ａ−Ａ部分断面図解図である。
【図３９Ｂ】図３７Ｂ−Ｂ断面図解図である。
【図３９Ｃ】図３７Ｃ−Ｃ断面図解図である。
【図４０】開き始めた状態における綴具の正面図解図である。
【図４１】開き始めた状態における綴具の背面図解図である。
【図４２Ａ】図４０Ａ−Ａ部分断面図解図である。
【図４２Ｂ】図４０Ｂ−Ｂ断面図解図である。
【図４２Ｃ】図４０Ｃ−Ｃ断面図解図である。
【図４３】手帳のリーフの開き方を示す平面図解図であり、（Ａ）は閉じた状態の図で、（Ｂ）は半分捲った状態の図で、（Ｃ）は３６０度捲った状態の図である。
【図４４Ａ】図１図示実施の形態の変形例たる綴具の図解図であり、（１）は平面図解図であり、（２）は一部を断面とした正面図解図である。
【図４４Ｂ】図１図示実施の形態の変形例たる綴具の図解図であり、（１）は平面図解図であり、（２）は一部を断面とした正面図解図である。
【図４４Ｃ】図１図示実施の形態の変形例たる綴具の図解図であり、（１）は平面図解図であり、（２）は一部を断面とした正面図解図である。
【図４４Ｄ】図１図示実施の形態の変形例たる綴具の図解図であり、（１）は平面図解図であり、（２）は一部を断面とした正面図解図である。
【図４５】図１図示実施の形態の変形例たる綴具の図解図であり、（Ａ）は斜視図解図であり、（Ｂ）は底面図解図である。
【図４６】図２１図示実施の形態である綴具の変形例である綴具の斜視図解図である。
【図４７】図２１図示実施の形態である綴具の変形例である綴具の平面図解図である。
【図４８】図２１図示実施の形態である綴具の変形例である綴具の平面図解図であり、（Ａ）は綴杆を閉じた状態の図であり、（Ｂ）は綴杆を開き始めた状態の図である。
【図４９】図２１図示実施の形態である綴具の変形例である綴具の正面図解図である。
【図５０】図３０図示実施の形態である綴具の変形例である綴具の正面図解図である。
【図５１】綴具の説明図である。
【図５２】ノートの説明図であり、（Ａ）は全体の図であり、（Ｂ）はリーフの図である。
【符号の説明】
【０００９】
１０  綴具
１２  綴杆部
１４  連結部
１６  枢結部
１８Ａ  第１綴具部材
１８Ｂ  第２綴具部材
２０  第１綴杆
３０  第２綴杆
２０ａ，３０ａ  基部
２０ｂ，３０ｂ  自由端
２０Ａ，３０Ａ  半割杆
２０ｈ  固定穴
２２  第１綴杆の綴杆係止部
３２  第２綴杆の綴杆係止部
２４  第１綴杆の凸部
３４  第２綴杆の凸部
２６  第１綴杆の凹部
３６  第２綴杆の凹部
２８，３８  脱係防止部
２８ａ，３８ａ  係止凸部
２８ｂ，３８ｂ  係止凹部
５０  第１連結部
６０  第２連結部
５０ａ，６０ａ  支持部
５６，６６  対向部
５６ａ，６６ａ  凸部
５２  第１連結部の外側部
６２  第２連結部の外側部
５４  第１連結部の上側部
６４  第２連結部の上側部
５６  第１連結部の対向部
６６  第２連結部の対向部
５８  第１連結部の下側部
６８  第２連結部の下側部
７０，７２  開き角規制部
７０ａ，７２ａ  接合面
８０  第１受け部
９０  第２受け部
８２  第１収容部
９２  第２収容部
８４，９４  開口部
８６，９６  円弧部
１００  シャフト部
１０２  弾発部材
１０２ａ  巻線部
１０２ｂ  第１固定先端部
１０２ｃ  第２固定先端部
１１０  リーフ
１１０ａ  リーフの表側
１１０ｂ  リーフの裏側
１１２  綴じ穴
１１４  綴じ代側端縁
１４０  押圧部
１４０ｐ  固定凸部
１４２  第１押圧部
１４４  第２押圧部
２１０  綴具
２１２  綴杆部
２１４  連結部
２１６  枢結部
２１８Ａ  第１綴具部材
２１８Ｂ  第２綴具部材
２２０  第１綴杆
２３０  第２綴杆
２２０ａ，２３０ａ  基部
２２０ｂ，２３０ｂ  自由端
２２０Ａ，２３０Ａ  半割杆
２２２  第１綴杆の綴杆係止部
２３２  第２綴杆の綴杆係止部
２２４  第１綴杆の凸部
２３４  第２綴杆の凸部
２２６  第１綴杆の凹部
２３６  第２綴杆の凹部
２５０ａ，２６０ａ  支持部
２２８，２３８  脱係防止部
２２８ａ，２３８ａ  係止凸部
２２８ｂ，２３８ｂ  係止凹部
２５０  第１連結部
２６０  第２連結部
２５２  第１連結部の外側部
２６２  第２連結部の外側部
２５４  第１連結部の上側部
２６４  第２連結部の上側部
２５６  第１連結部の対向部
２６６  第２連結部の対向部
２５８  第１連結部の下側部
２６８  第２連結部の下側部
２７０，２７２  開き角規制部
２７０ａ，２７２ａ  接合面
２８０  第１受け部
２９０  第２受け部
２８２  第１収容部
２９２  第２収容部
２８４，２９４  開口部
２８６，２９６  円弧部
３００  シャフト部
３０２  弾発部材
３０２ａ  巻線部
３０２ｂ  第１固定先端部
３０２ｃ  第２固定先端部
３１０  リーフ
３１０ａ  リーフの表側
３１０ｂ  リーフの裏側
３１２  綴じ穴
３１４  綴じ代側端縁
３４０  押圧部
３４２  第１押圧部
３４６  操作部
３６０  取り付け部
３６２  貫通孔
３６４  ハトメ
４１０  綴具
４２０Ａ，４３０Ａ  半割杆
４１２  綴杆部
４１４  軸受部
４１６  枢軸部
４１８Ａ  第１綴具部材
４１８Ｂ  第２綴具部材
４２０  第１綴杆
４２０ａ，４３０ａ  基部
４２０ｂ  自由端
４２２  第１綴杆の綴杆係止部
４２４  第１綴杆の凸部
４２６  第１綴杆の凹部
４２８  脱係防止部
４２８ａ，４３８ａ  係止凸部
４２８ｂ，４３８ｂ  係止凹部
４３０  第２綴杆
４３０ｂ  自由端
４３２  第２綴杆の綴杆係止部
４３４  第２綴杆の凸部
４３６  第２綴杆の凹部
４３８  脱係防止部
４４２  第１架設部
４４２ａ，４４４ａ  対向部
４４２ｂ，４４４ｂ  接合面
４４４  第２架設部
４５０  第１軸受部
４５０ａ  手前側の第１軸受部
４５０ｂ  中間の第１軸受部
４５２，４６２  開口部
４５２ａ，４６２ａ  接合面
４５４，４６４  軸受凹部
４５６，４６６  規制凹部
４６０  第２軸受部
４６０ａ  向こう側の第２軸受部
４６０ｂ  中間の第２軸受部
４７０  第１の開き角規制部
４７２  第２の開き角規制部
４７４  軸部回転規制部
４７６，４７８  突起部
４８０  第１受け部
４８２  収容部
４９０  第２受け部
５０２  弾発部材
５１０  リーフ
５１２  綴じ穴
５２０  第１軸部
５２０ａ  向こう側の第１軸部
５２０ｂ  中間の第１軸部
５３０  第２軸部
５３０ａ  手前側の第２軸部
５３０ｂ  中間の第２軸部
５４０  押圧部
５４２  第１押圧部
５４４  第２押圧部
５６０  取り付け部
【発明を実施するための形態】
【００１０】
図１は、この発明にかかる綴具を用いたノートの斜視図解図であり、図２は、この発明にかかる綴具の斜視図解図であり、図３は、この発明にかかる綴具の斜視図解図であり、（Ａ）は全体の図で、（Ｂ）は部分的に拡大した図であり、（Ｃ）（Ｄ）は半割杆の図であり、図４は、第１綴具部材の斜視図解図であり、（Ａ）は右側の図であり、（Ｂ）は左側の図であり、図５は、第２綴具部材の斜視図解図であり、（Ａ）は右側の図であり、（Ｂ）は左側の図であり、図６Ａは、この発明にかかる綴具を分解した状態における斜視図解図であり、図６Ｂは、別の弾発部材及びその弾発部材を第１及び第２綴具部材に取り付けられた状態における斜視図解図であり、図６Ｃは、図６Ｂ図示綴具の断面図解図であり、（Ａ）は閉じた状態の断面図解図であり、（Ｂ）は開いた状態の断面図解図であり、図６Ｄは、更に別の弾発部材の正面図解図であり、図７は、閉じた状態における綴具の正面図解図であり、図８は、閉じた状態における綴具の背面図解図であり、図９は、図７Ａ−Ａ断面図解図であり、図１０は、図７Ｂ−Ｂ断面図解図であり、図１１は、開き始めた状態における綴具の正面図解図であり、図１２は、開き始めた状態における綴具の背面図解図であり、図１３は、開いた状態における綴具の正面図解図であり、図１４は、開いた状態における綴具の背面図解図であり、図１５は、図１３Ａ−Ａ断面図解図であり、図１６は、図１３Ｂ−Ｂ断面図解図である。
この発明の綴具１０は、複数の綴杆部１２と、前記綴杆部１２を連結するための連結領域を構成する連結部１４と、前記綴杆部１２を構成する綴杆を開閉させるときの中心となる、枢結領域を構成する枢結部１６とを備える綴具であって、綴杆部１２を連結部１４の長さ方向に変位させて閉じている綴杆部１２を開くことができるように構成されている。
この綴具１０は、主として、一般的にセルリング式ノートと称されるノートに類似した手帳ないしはノート用として構成され、綴具１０の綴杆部１２に沿ってリーフ１１０を回転させて３６０度広げること、すなわち綴杆部１２に綴じられたリーフ１１０を綴杆に沿って捲り、３６０度捲りかえし、閉じたときに両端にあるリーフ１１０の表側と裏側とが枢結部１６を挟んで接し合うことができるように、構成されている。
通常、綴じ穴のある筆記する用紙の表側及び裏側に該用紙よりも比較的硬質の表紙が積層されており、この明細書及び特許請求の範囲においては、リーフ１１０の表側及び裏側には、用紙、合成樹脂製ポケット等の表面側の表表紙の表側と裏面側の裏表紙の裏側とを含まれる。
【００１１】
前記綴杆部１２を構成する綴杆は、一対の綴杆が向き合うように、前記連結部１４を構成する一対の連結部１４の各々にその長手方向に適宜な間隔をおいて、連結部１４の外側部ないし上側部から突設され、前記綴杆部１２は、前記枢結部１６を中心にして左右に分かれた、対称形である第１綴杆２０及び第２綴杆３０を備える。
連結領域は、第１綴杆２０及び第２綴杆３０を構成する半割杆２０Ａ及び半割杆３０Ａを、隣接する半割杆２０Ａと半割杆２０Ａ及び半割杆３０Ａと半割杆３０Ａとの間に適宜な間隔をおいて、並列して形成するように、半割杆２０Ａの間及び半割杆３０Ａの間に跨って形成されている。
前記連結部１４は、前記枢結部１６を中心にして左右に分かれた、対称形である第１連結部５０及び第２連結部６０を備え、第１連結部５０及び第２連結部６０は、向こう側から手前側に連続して長手方向に直線状にのびる略柱状である。
【００１２】
前記綴杆を開閉させるときの中心ののびる方向における一端又は両端の領域には、綴杆部１２を構成する綴杆のうち対向する一方の複数の綴杆を、対向する他方の複数の綴杆の係止部から脱係させるために、同時に、中心ののびる方向に変位させる、押圧部１４０が突設されている。
【００１３】
この実施の形態においては、第１綴杆２０及び第１連結部５０は、第１綴具部材１８Ａに形成され、第２綴杆３０及び第２連結部６０は、第２綴具部材１８Ｂに形成され、第１綴具部材１８Ａと第２綴具部材１８Ｂとは、対称形に形成されている。
枢結領域は、第１綴具部材１８Ａと第２綴具部材１８Ｂとを、枢結部１６を中心にして連結し、綴杆部１２を開閉するときの回転の中心となる領域として構成される。
【００１４】
前記連結部１４は、綴杆部１２に綴じられたリーフ１１０を第１綴杆２０及び第２綴杆３０に沿って捲り、３６０度捲りかえし、閉じたときに両端にあるリーフ１１０の表側と裏側とが枢結部１６を挟んで接し合うことができるように、下部において第１綴杆２０及び第２綴杆３０の基部と近接した位置に枢結部１６を連設されている。
前記枢結部１６は、前記連結部１４（第１連結部５０と第２連結部６０）の長手方向にのびて一対の連結部１４（第１連結部５０と第２連結部６０と）を連結し、前記第１綴杆２０の自由端２０ｂと第２綴杆３０の自由端３０ｂとを合わせて閉鎖するとき及び第１綴杆２０の自由端２０ｂと第２綴杆３０の自由端３０ｂとを離間させるときに回転中心となり、綴杆部１２に綴じられたリーフ１１０を第１綴杆２０及び第２綴杆３０に沿って捲り、３６０度捲りかえすことができるように構成されている。
【００１５】
綴杆部１２は、第１綴杆２０及び第２綴杆３０の連結部１４に連設された基部２０ａ及び基部３０ａとは反対側の自由端２０ｂ及び自由端３０ｂに、第１綴杆２０及び第２綴杆３０を閉鎖したときに係止するための綴杆係止部を形成されている。すなわち、第１綴杆２０は、基部２０ａとは反対側の頂部である自由端２０ｂに第１綴杆の綴杆係止部２２を形成され、第２綴杆３０は、基部３０ａとは反対側の頂部である自由端３０ｂに第２綴杆の綴杆係止部３２を形成されている。
綴杆部１２は、基部２０ａ及び基部３０ａから頂部に至る高さ方向（垂直方向）と、第１綴杆２０の外周部（外側部）から第２綴杆３０の外周部（外側部）に至る幅方向（水平方向）とを備え、第１綴杆２０及び第２綴杆３０の厚さ（外周部と内周部との間の長さ）よりも、綴具の長さ方向における第１綴杆２０及び第２綴杆３０の幅の方が長い、断面長方形状である。そして、第１綴杆２０及び第２綴杆３０は、基部２０ａ及び基部３０ａから頂部に至るまで、リーフ１１０を捲ることができるように、リーフ１１０の綴じ穴１１２に貫挿される形状に構成されている。
前記第１綴杆の綴杆係止部２２及び第２綴杆の綴杆係止部３２は、係止する第１綴杆２０及び第２綴杆３０の回転方向と交差する方向に、すなわち枢結部１６の長手方向に第１綴杆２０及び第２綴杆３０を相対移動して、第１綴杆２０及び第２綴杆３０の先端を合わせて閉鎖するときに係止し又は第１綴杆２０及び第２綴杆３０の先端を離間させるときに脱係するように形成されている。
【００１６】
第１綴杆２０は、閉じたときに略円環状の綴杆となるように、半円弧状の半割杆２０Ａから構成され、第２綴杆３０は、閉じたときに略円環状の綴杆となるように、半円弧状の半割杆３０Ａから構成されている。
そして、リーフ１１０に予め穿設された綴じ穴１１２に挿通して、リーフ１１０を綴じることができるように、半割杆２０Ａと半割杆３０Ａとの先端、すなわち第１綴杆２０及び第２綴杆３０の頂部において、綴杆係止部２２，３２が形成されている。
第１綴杆２０を構成する半割杆２０Ａと第２綴杆３０を構成する半割杆３０Ａとは、半割杆２０Ａの第１綴杆の綴杆係止部２２と、半割杆３０Ａの第２綴杆の綴杆係止部３２とを係止することにより、略円環状に連結される。
綴杆部１２を閉じるときにおいては、第１綴杆２０の第１綴杆の綴杆係止部２２と第２綴杆３０の第２綴杆の綴杆係止部３２とを係合させて、略円環状となるように構成されている。
そして、綴杆部１２を開くときにおいては、第１綴杆２０と第２綴杆３０とは、連結部１４の長さ方向に第１綴杆２０または第２綴杆３０を変位させる。すなわち、第１綴杆２０と第２綴杆３０とは、第１綴杆の綴杆係止部２２及び第２綴杆の綴杆係止部３２を脱係させるための第１押圧部１４２と第２押圧部１４４とを指で押すことにより、連結部１４の長さ方向において第１押圧部１４２と第２押圧部１４４とを逆方向に相対移動させ、更に第１押圧部１４２と第２押圧部１４４とを逆の方向に回転させることにより、係止された第１綴杆の綴杆係止部２２及び第２綴杆の綴杆係止部３２を外すことができるように構成されている。
【００１７】
第１綴杆２０を構成する半割杆２０Ａの先端に形成された第１綴杆の綴杆係止部２２を構成する先端の第１綴杆の凸部２４及びその第１綴杆の凸部２４に続く第１綴杆の凹部２６と、第２綴杆３０を構成する半割杆３０Ａの第２綴杆の綴杆係止部３２を構成する先端の第２綴杆の凸部３４及びその先端の第２綴杆の凸部３４に続く第２綴杆の凹部３６とは、第１綴杆２０と第２綴杆３０とを閉じたとき係合するように逆方向に向けて突き出しあるいは凹み形成されている。
すなわち、第１綴杆２０を構成する半割杆２０Ａの先端に形成された第１綴杆の綴杆係止部２２を構成する第１綴杆の凸部２４は、手前側に向けて突き出されている。そして、その第１綴杆の凸部２４に続く第１綴杆の凹部２６は、向こう側に向けて凹んでいる。半割杆３０Ａの先端に形成された第２綴杆の綴杆係止部３２を構成する第２綴杆の凸部３４は、向こう側に向けて突き出されている。そして、その先端の第２綴杆の凸部３４に続く第２綴杆の凹部３６は、手前側に向けて凹んでいる。
第１綴杆２０と第２綴杆３０とを閉じたとき係合するように、第１綴杆の凸部２４及び第１綴杆の凹部２６と第２綴杆の凸部３４及び第２綴杆の凹部３６とは、逆方向に向けて突き出しあるいは凹み形成されている。
半割杆２０Ａの第１綴杆の綴杆係止部２２を構成する第１綴杆の凸部２４と半割杆３０Ａの第２綴杆の綴杆係止部３２を構成する第２綴杆の凸部３４とは、反対方向に向けて突き出し設けられている。
また、半割杆２０Ａの第１綴杆の綴杆係止部２２を構成する第１綴杆の凹部２６と半割杆３０Ａの第２綴杆の綴杆係止部３２を構成する第２綴杆の凹部３６とは、反対方向に向けて凹み形成されている。
【００１８】
前記第１綴杆の綴杆係止部２２及び第２綴杆の綴杆係止部３２は、第１綴杆２０及び第２綴杆３０の回転方向と交差する方向に脱係しないように、第１綴杆２０及び第２綴杆３０の回転方向にのびる脱係防止部２８及び脱係防止部３８が形成されている。
脱係防止部２８は、頂部側において手前側に向けて突き出る鉤鼻状係止凸部２８ａと、基部２０ａ側において向こう側に向けて凹む係止凹部２８ｂとを有し、自由端側の係止凸部２８ａから続いて基部２０ａ側に係止凹部２８ｂが形成されている。
脱係防止部３８は、頂部側において向こう側に向けて突き出る鉤鼻状係止凸部３８ａと、基部３０ａ側において手前側に向けて凹む係止凹部３８ｂとを有し、自由端側の係止凸部３８ａから続いて基部３０ａ側に係止凹部３８ｂが形成されている。
第１綴杆２０と第２綴杆３０とを閉じたとき、脱係防止部２８の係止凸部２８ａは脱係防止部３８の係止凹部３８ｂに嵌合され、脱係防止部３８の係止凸部３８ａは脱係防止部２８の係止凹部２８ｂに嵌合され、係止凸部２８ａと係止凸部３８ａとは、第１綴杆２０と第２綴杆３０とを回転方向に引いたときに、突き当たる。
第１綴杆の綴杆係止部２２の脱係防止部２８は、第２綴杆の綴杆係止部３２の上部に向けて突き出され、第１綴杆の綴杆係止部２２と第２綴杆の綴杆係止部３２とを係合したときに、第２綴杆３０が上方に向けて衝撃などにより移動することを防止している。
第２綴杆の綴杆係止部３２の脱係防止部３８は、第１綴杆の綴杆係止部２２の上部に向けて突き出され、第２綴杆の綴杆係止部２２と第２綴杆の綴杆係止部３２とを係合したときに、第１綴杆２０が上方に向けて衝撃などにより移動することを防止している。
このように、この実施の形態においては、押圧部１４０を指で押すことにより、第１綴具部材１８Ａの第１綴杆２０を向こう側に移動させ且つ第２綴具部材１８Ｂの第２綴杆３０を手前側に移動させて、第１綴杆２０の半割杆２０Ａの第１綴杆の綴杆係止部２２と第２綴杆３０の半割杆３０Ａの第２綴杆の綴杆係止部３２との係合を外すことができる。
なお、閉じるときにおいては、脱係防止部２８の係止凸部２８ａと脱係防止部３８の係止凸部３８ａとは、突き出たり滑りながら係止凹部３８ｂ及び係止凹部２８ｂに嵌まるように、なだらかな傾斜面が自由端から形成されている。
【００１９】
前記連結部１４を構成する第１綴具部材１８Ａの第１連結部５０は、第１連結部５０と第２連結部６０とが向き合う領域である第１連結部の対向部５６と、前記第１連結部の対向部５６と相対し第１綴杆２０が突設された第１連結部の外側部５２と、前記第１連結部の対向部５６と第１連結部の外側部５２との間において前記第１連結部の対向部５６及び第１連結部の外側部５２に交差する面で、枢結部１６が連設された第１連結部の下側部５８とを備える。
前記連結部１４を構成する第２綴具部材１８Ｂの第２連結部６０は、第１連結部５０と第２連結部６０とが向き合う領域である第２連結部の対向部６６と、前記第２連結部の対向部６６と相対し第２綴杆３０が突設された第２連結部の外側部６２と、前記第２連結部の対向部６６と第２連結部の外側部６２との間において前記第２連結部の対向部６６及び第２連結部の外側部６２に交差する面で、枢結部１６が連設された第２連結部の下側部６８とを備える。
この実施の形態においては、第１連結部５０及び第２連結部６０は、略四角柱状である。
そして、第１連結部の対向部５６と第２連結部の対向部６６とは、回転方向と直交し綴具１０を閉じたときに垂直にすなわち高さ方向にのびる平面であって、図９及び図１０に示すように綴具１０を閉じたときに密着するように形成されている。
【００２０】
前記連結部１４は、その側面に、第１綴杆２０及び第２綴杆３０の開き角度をリーフ１１０の挿入し易い角度、例えば約６０〜７０度に規制するための開き角規制部７０及び開き角規制部７２を形成されている。
第１綴具部材１８Ａの開き角規制部７０は、第１連結部５０の第１連結部の下側部５８の第１受け部８０に連続して形成された断面略半円弧状であり、第１連結部の下側部５８から下方に向けてのびる接合面７０ａを備え、一方、第２綴具部材１８Ｂの開き角規制部７２は、第２連結部６０の第２連結部の下側部６８の第２受け部９０に連続して形成された断面略半円弧状であり、第２連結部の下側部６８から下方に向けてのびる接合面７２ａを備える。
そして、綴杆部１２を閉じたときに、開き角規制部７０の接合面７０ａと開き角規制部７２の接合面７２ａとは、図９において示すように、略７０度開いた傾斜面であって対向しており、綴杆部１２を開いたときに、開き角規制部７０の接合面７０ａと開き角規制部７２の接合面７２ａとは、図１５において示すように、接し合い、半割杆１０Ａと半割杆３０Ａの開き角度を、リーフ１１０の挿入しや易い角度に規制する。
【００２１】
前記枢結部１６は、シャフト部１００の受け部とシャフト部１００とを備える。
受け部は、第１連結部５０に連設された第１受け部８０と第２連結部６０に連設された第２受け部９０とから構成され、前記シャフト部１００は、前記連結部１４の長手方向に沿って、向こう側から手前側に連続してのび、第１綴具部材と第２綴具部材とを連結する。
前記第１受け部８０及び第２受け部９０は、前記綴杆部１２及び／又は連結部１４に連設され、シャフト部１００を装填するための開口部（第１受け部８０の開口部８４及び第２受け部９０の開口部９４）を側面に形成され、前記半割杆２０Ａ及び半割杆３０Ａの先端を合わせて閉鎖するとき及び半割杆２０Ａ及び半割杆３０Ａの先端を離間させるときに回転中心となり、第１綴杆２０及び第２綴杆３０に綴じられたリーフ１１０を第１綴杆２０及び第２綴杆３０に沿って捲り、３６０度捲りかえすことができるように構成されている。
【００２２】
前記第１受け部８０及び第２受け部９０は、前記連結部１４の長手方向に間欠的に形成され、半割杆２０Ａ及び半割杆３０Ａが前記シャフト部１００を中心にして回転し且つ第１綴杆２０及び第２綴杆３０を開閉するときに長手方向に相対変位するように形成されている。
【００２３】
前記シャフト部１００は、断面円形の棒状の金属棒である。それに対応して、前記第１受け部８０及び第２受け部９０は、全体が弧状で、その内側の円弧部８６及び円弧部９６に前記シャフト部１００を装填され、且つその外側の上部において、前記半割杆２０Ａ及び半割杆３０Ａの張り出し方向とは反対方向に張り出すように、前記連結部１４が連設されている。
この実施の形態においては、シャフト部１００と第１受け部８０及び第２受け部９０とは別部材であり、第１受け部８０は、合成樹脂により、第１綴具部材１８Ａと一体に形成され、第２受け部９０は、合成樹脂により、第２綴具部材１８Ｂと一体に形成されている。
そして、シャフト部１００は、第１綴具部材１８Ａの最も向こう側の第１受け部８０から、第２綴具部材１８Ｂの最も手前側の第２受け部９０に至るように、形成されている。
【００２４】
第１綴具部材１８Ａ側の第１受け部８０は、シャフト部１００に装填されたときに、隣接する第１受け部８０の間に、第１収容部８２を間欠的に形成され、第２綴具部材１８Ｂ側の第２受け部９０は、シャフト部１００に装填されたときに、隣接する第２受け部９０の間に、第２収容部９２を間欠的に形成されている。
そして、第１綴杆２０と第２綴杆３０とを閉鎖したときに、枢結部１６の軸線上において、第１綴具部材１８Ａは、第１収容部８２に第２綴具部材１８Ｂの第２受け部９０を収容させ、且つ、第２綴具部材１８Ｂは、第２収容部９２に第１綴具部材１８Ａの第１受け部８０を収容させて、隣接する第１綴具部材１８Ａの第１受け部８０と第２綴具部材１８Ｂの第２受け部９０との間及び隣接する第２綴具部材１８Ｂの第２受け部９０と第１綴具部材１８Ａの第１受け部８０との間に適宜な間隔をあけて整列される。隣接する第１綴具部材１８Ａの第１受け部８０と第２綴具部材１８Ｂの第２受け部９０との間及び隣接する第２綴具部材１８Ｂの第２受け部９０と第１綴具部材１８Ａの第１受け部８０との間における適宜な間隔とは、第１綴杆２０と第２綴杆３０とを連結部１４の長手方向すなわち手前側及び向こう側に向けて相対移動させて、第１綴杆の綴杆係止部２２と第２綴杆の綴杆係止部３２とを脱係させるに必要な長さをいう。
それとともに、第１綴具部材１８Ａと第２綴具部材１８Ｂとは、第１綴杆２０と第２綴杆３０とを開閉するときに半割杆２０Ａと半割杆３０Ａとを相対変位するように、前記シャフト部１００に摺動自在に装填されている。
この実施の形態においては、第１綴具部材１８Ａの第１綴杆２０を向こう側に移動させ且つ第２綴具部材１８Ｂの２綴杆３０を手前側に移動させて、閉じていた第１綴杆２０と第２綴杆３０とを開く。
この実施の形態においては、第１綴具部材１８Ａの向こう側の第１受け部８０の開口部８４は、向こう側が塞がれている。又、第２綴具部材１８Ｂの手前側の第２受け部９０の開口部９４は、手前側が塞がれている。従って、シャフト部１００の向こう側端は向こう側の第１受け部８０により抜け出ることを防止され、シャフト部１００の手前側端は手前側の第２受け部９０により抜け出ることを防止される。
【００２５】
半割杆２０Ａの基部２０ａの外周部及び半割杆３０Ａの基部３０ａの外周部は、連結部１４の下部と同じ位置に、その下部が位置するように形成され、枢結部１６の第１受け部８０の外側及び第２受け部９０の外側は、連結部１４の下部と同じ位置に、その上部が位置するように形成されている。
この実施の形態においては、枢結部１６の第１受け部８０は、開口部８４が半割杆２０Ａの外周部に接し、枢結部１６の第２受け部９０は、開口部９４が半割杆３０Ａの外周部に接し、第１連結部５０は、半割杆２０Ａの内周部から第１受け部８０の開口部８４までの間の高さを有し、第２連結部６０は、半割杆３０Ａの内周部から第２受け部９０の開口部９４までの間の高さを有している。
【００２６】
前記連結部１４の幅（幅方向における）は、枢結部１６の第１受け部８０又は枢結部１６の第２受け部９０の幅（幅方向における）の２分の１以下である。これは、第１連結部５０の幅と第２連結部６０の幅とを合わせた幅が、枢結部１６の第１受け部８０及び枢結部１６の第２受け部９０の幅と同等又はそれ以下の方が、リーフ１１０を３６０度捲りかえして、枢結部１６を挟んでリーフ１１０の表面と裏面とを比較的間隔をあけずに接し合わせることができるようにするためである。
【００２７】
前記第１連結部５０の中央あたりに存する前記第１綴具部材１８Ａの第１収容部８２と前記第２連結部６０の中央あたりに存する第２綴具部材１８Ｂの第２収容部９２との間に、前記シャフト部１００の長手方向にテンション（引張力又は圧縮力）をかける弾発部材１０２が、圧縮された状態で介装されている。弾発部材１０２は、鋼線をコイル形に巻いて作られたコイルバネにより形成され、筒形のコイルバネの輪の中にシャフト部１００を挿通されている。
そして、弾発部材１０２は、その向こう側端が第２綴具部材１８Ｂの第２受け部９０の手前側端に接し、その手前側端が第１綴具部材１８Ａの第１受け部８０の向こう側端に接して、復元力（均一な）によって第１綴具部材１８Ａを手前側に押し下げ且つ第２綴具部材１８Ｂを向こう側に押し上げるように構成されている。
而して、弾発部材１０２は、綴杆部１２を閉じているときには、第１綴杆の綴杆係止部２２と第２綴杆の綴杆係止部３２とを係合させる方向に作用している。
押圧部１４０を指で押すことにより、係止された第１綴杆の綴杆係止部２２及び第２綴杆の綴杆係止部３２を外すときには、弾発部材１０２の弾発力に抗して第１綴具部材１８Ａの第１綴杆２０を向こう側に移動させ且つ第２綴具部材１８Ｂの２綴杆３０を手前側に移動させて、閉じていた第１綴杆２０と第２綴杆３０とを開く。
【００２８】
弾発部材１０２は、次のように構成してもよい。
図６Ｂは、別の弾発部材及びその弾発部材を第１及び第２綴具部材に取り付けられた状態における斜視図解図であり、図６Ｃは、図６Ｂ図示綴具の断面図解図であり、（Ａ）は閉じた状態の断面図解図であり、（Ｂ）は開いた状態の断面図解図であり、図６Ｄは、更に別の弾発部材の正面図解図である。
図６Ｂ図示弾発部材１０２は、ねじりコイルバネからなり、巻線部１０２ａと巻線部１０２ａの両端から巻線部１０２ａの中心軸と直交ないし交差する方向に伸びる直線状の第１固定先端部１０２ｂと直線状の第２固定先端部１０２ｃとが連設され、ねじりモーメントが発生しない元の状態は、巻線部１０２ａの外方で接線方向に第１固定先端部１０２ｂと第２固定先端部１０２ｃとが突き出されている。
そして、弾発部材１０２の巻線部１０２ａの両端から延びる先端部を支持するために、前記連結部１４に支持部５０ａ及び支持部６０ａが形成されている。
前記弾発部材１０２の巻線部１０２ａの両端から延びる固定先端部は、第１綴具部材１８Ａの第１連結部５０に形成された支持部５０ａ、及び前記支持部５０ａと対向する第２綴具部材１８Ｂの第２連結部６０の支持部６０ａに係止され、支持されている。
すなわち、一方の第１固定先端部１０２ｂは、第１連結部５０の支持部５０ａに支持され、また、もう一方の第２固定先端部１０２ｃは、第１固定先端部１０２ｂと向き合うように第２連結部６０の支持部６０ａに支持されている。
押圧部１４０を指で押すことにより、係止された第１綴杆の綴杆係止部２２及び第２綴杆の綴杆係止部３２を外すとき、移動する方向とは反対側にある第１連結部５０の支持部５０ａに第１固定先端部１０２ｂは支持され、移動する方向とは反対側にある第２連結部６０の支持部６０ａにもう一方の第２固定先端部１０２ｃは、支持されている。
一方の固定先端部１０２ｂ及び他方の固定先端部１０２ｃは、元々開いた状態にあったが、第１綴杆２０と第２綴杆３０とが閉じた状態にあるときは、元々開いた状態にあったところからほぼ平行に接近させた第１固定先端部１０２ｂと第２固定先端部１０２ｃとが、連結部１４の支持部５０ａ，支持部６０ａに支持されている。すなわち、弾発部材１０２は、第１固定先端部１０２ｂが第１連結部５０の支持部５０ａに係止され且つ第２固定先端部１０２ｃが第２連結部６０の支持部６０ａに係止されてねじられた状態になる。
【００２９】
そして、弾発部材１０２は、その向こう側端が第２綴具部材１８Ｂの第２受け部９０の手前側端に接し、その手前側端が第１綴具部材１８Ａの第１受け部８０の向こう側端に接して、復元力（均一な）によって第１綴具部材１８Ａを手前側に押し下げ且つ第２綴具部材１８Ｂを向こう側に押し上げるように構成されている。
而して、弾発部材１０２は、綴杆部１２を閉じているときには、第１綴杆の綴杆係止部２２と第２綴杆の綴杆係止部３２とを係合させる方向に作用している。
押圧部１４０を指で押すことにより、係止された第１綴杆の綴杆係止部２２及び第２綴杆の綴杆係止部３２を外すときには、弾発部材１０２の弾発力に抗して第１綴具部材１８Ａの第１綴杆２０を向こう側に移動させ且つ第２綴具部材１８Ｂの２綴杆３０を手前側に移動させて、閉じていた第１綴杆２０と第２綴杆３０とを開く。
押圧部１４０を指で押して第１綴具部材１８Ａの第１連結部５０と第２綴具部材１８Ｂの第２連結部６０とをそれぞれを反対方向に相対移動させると、第１連結部５０と第２連結部６０とは、弾発部材１０２が元の状態に戻ろうとする力、すなわち一方の第１固定先端部１０２ｂと他方の第２固定先端部１０２ｃとが回転方向に回転して綴杆部１２を開くように力が働くことにより、回転方向に回転する。
このように、この実施の形態においては、第１綴杆の綴杆係止部２２および第２綴杆の綴杆係止部３２の係合を解除したとき、一方の第１固定先端部１０２ｂと他方の第２固定先端部１０２ｃとを円周方向において離れさせようとする力が働くことにより、第１綴杆２０及び第１連結部５０と第２綴杆３０及び第２連結部６０とが、開いた状態になる。
【００３０】
第１固定先端部１０２ｂ及び第２固定先端部１０２ｃは、図６Ｄにおいて示すように、巻線部１０２ａの外方で径方向に突き出された構成としてもよい。
この変形例は、第１連結部５０と第２連結部６０とは、弾発部材１０２が元の状態に戻ろうとする力、すなわち一方の第１固定先端部１０２ｂと他方の第２固定先端部１０２ｃとが回転方向に回転して綴杆部１２を開くように、より強い力が働くことにより、回転方向に回転させることができる。
【００３１】
連結領域に形成された押圧部１４０は、第１綴杆の綴杆係止部２２及び第２綴杆の綴杆係止部３２を係止又は脱係するときに、第１綴杆２０及び第２綴杆３０を開閉させるときの中心ののびる方向である連結部１４の長手方向に、第１綴杆２０又は第２綴杆３０を変位させて第１綴杆の綴杆係止部２２及び第２綴杆の綴杆係止部３２を脱係させるために柱状又は塊状に形成されている。
押圧部１４０は、第１綴具部材１８Ａと第２綴具部材１８Ｂとを連結する連結領域を構成する連結部１４の長手方向で、第１綴杆２０及び第２綴杆３０を開閉させるときの中心ののびる方向である高さ方向における、第１連結部５０の下端部に突設された第１押圧部１４２と、第２連結部６０の上端部に突設された第２押圧部１４４とによって構成されている。
【００３２】
第１押圧部１４２は、第１連結部５０の下方の下端部から、第１綴具部材１８Ａの第１綴杆の綴杆係止部２２を脱係するときに第１連結部５０を移動させる方向とは反対側すなわち手前側（下方）に向けてのびる円柱状棒体であり、第２連結部６０の手前側にのびる大きさに形成され、押圧する面積を大きくとるように形成されている。
第２押圧部１４４は、第２連結部６０の上方の上端部から、第２綴具部材１８Ｂの第２綴杆の綴杆係止部３２を脱係するときに第１連結部５０を移動させる方向とは反対側すなわち向こう側（上方）に向けてのびる円柱状棒体であり、第１連結部５０の向こう側にのびる大きさに形成され、押圧する面積を大きくとるように形成されている。
【００３３】
そして、第１綴杆の綴杆係止部２２及び第２綴杆の綴杆係止部３２は、図１９において示すように、第１押圧部１４２に例えば親指を当て、また第２押圧部１４４に人差指を当て、第１押圧部１４２を向こう側（上方）に向けて、また第２押圧部１４４を手前側（下方）に向けて押して、脱係させる。そして、第１押圧部１４２と第２押圧部１４４とは、図２０において示すように、第１綴杆２０及び第２綴杆３０ののびる方向において反対方向に回転させて、綴杆部１２を開く。
【００３４】
綴具１０は、第１綴杆２０及び第２綴杆３０に、リーフ１１０の高さ方向に適宜な間隔をあけて連続して設けられた綴じ穴１１２を貫挿し、リーフ１１０の高さ方向にのびる綴じ代側端縁１１４の側に枢結部１６を位置させ、綴じ穴１１２と綴じ代側端縁１１４との間に第１綴杆２０及び第２綴杆３０が架け渡されるようにして、リーフ１１０を綴じ、ノートを形成する。
綴具１０は、綴具１０の長さ方向が、幅方向にのびる端縁に綴じ穴１１２を形成したリーフ１１０の幅方向にのびるように、リーフ１１０を綴じて、ノートを形成してもよい。
【００３５】
リーフ１１０は、図１９及び２０において示す、綴杆部１２に綴じられた綴じ代側端縁１１４の上下端、すなわち綴じ穴１１２の向こう側（上側）に押圧部１４０を指で押すときに指を入れることができるように、略Ｌ字型の凹部が形成されてもよい。
そのような構成とすれば、リーフ１１０を第１綴杆２０側と第２綴杆３０側とに振り分けて広げたときにおいても、第１押圧部１４２及び第２押圧部１４４の周囲に指を入れる空間ができて、第１押圧部１４２及び第２押圧部１４４を押したり回したりすることができる。
【００３６】
綴具１０に綴じられたリーフ１１０は、図１７において示すように、枢結部１６側に向けて捲りかえされ、閉じられて積層されていたときのリーフの表側１１０ａとリーフの裏側１１０ｂとを枢結部１６を挟んで接し合わせるようにして、筆記等に用いることができる。
【００３７】
この発明の実施の形態によれば、綴杆部１２及び連結部１４は、一対の第１綴具部材１８Ａ及び第２綴具部材１８Ｂの各々に形成され、前記綴杆部１２を構成する綴杆２０，３０は、第１綴具部材１８Ａ側の第１綴杆２０と第２綴具部材１８Ｂ側の第２綴杆３０とが向き合うように、前記連結部１４の長手方向に適宜な間隔をおいて、連結部１４の外側部ないし上側部から突設されているので、綴杆部１２を開いたときに綴杆部１２の最下部が例えば机の天板等の表面に接地して水平安定し易く、且つ綴杆部１２を適宜な角度に開き易い。
この発明の実施の形態によれば、綴杆部１２は、前記枢結部１６を中心にして左右に分かれた、対称形である第１綴杆２０及び第２綴杆３０を備え、前記連結部１４は、前記枢結部１６を中心にして左右に分かれた、対称形である第１連結部５０及び第２連結部６０を備えているので、同一の金型で左右の部材を成形することができ、製造がし易い。
この発明の実施の形態によれば、連結部１４は、向き合う第１連結部５０及び第２連結部６０の対向部５６，６６と、前記対向部５６，６６と相対し綴杆２０，３０が突設された外側部５２，６２と、前記対向部５６，６６と外側部５２，６２との間において前記対向部５６，６６及び外側部５２，６２に交差する面で、枢結部１６が連設された下側部５８，６８とを備えているので、第１連結部の対向部５６と第２連結部の対向部６６とは、回転方向と直交し綴具１０を閉じたときに垂直にすなわち高さ方向にのびる平面であって、綴具１０を閉じたときに密着するように形成すれば、綴具１０を閉じたときに第１綴杆の綴杆係止部２２と第２綴杆の綴杆係止部３２との係合状態を安定的に保つことができ、綴杆部１２を構成する第１綴杆２０と第２綴杆３０とにより構成される円環状の径を縮むように作用することを少なくすることができる。
この発明の実施の形態によれば、受け部８０，９０は、前記連結部１４の長手方向に間欠的に形成され、綴杆部１２が前記シャフト部１００を中心にして回転し且つ綴杆部１２を開閉するときに長手方向に相対変移するように形成されているので、複数の綴杆２０，３０で構成される綴杆部１２を一度に開閉させることができる。
この発明の実施の形態によれば、シャフト部１００は、断面円形の棒状であり、前記受け部８０，９０は、全体が弧状で、その内側の円弧部に前記シャフト部１００を装填され、且つその外側の上部において、前記綴杆２０，３０の張り出し方向とは反対方向に張り出すように、前記連結部１４が連設されているので、複数の綴杆２０，３０で構成される綴杆部１２を一度に開閉させることができ、且つ、綴杆部１２の最下部が例えば机の天板等の表面に接地して水平安定し易く、且つ綴杆部１２を適宜な角度に開き易い。
この発明の実施の形態によれば、綴杆２０，３０の基部２０ａ，３０ａは、連結部１４の下部と同じ位置に、下部が位置するように形成され、枢結部１６の受け部８０，９０は、連結部１４の下部と同じ位置に、上部が位置するように形成されているので、綴杆部１２を開いたときに綴杆部１２の最下部が例えば机の天板等の表面に接地して水平安定し易く、且つ綴杆部１２を適宜な角度に開き易い。
この発明の実施の形態によれば、連結部１４の幅は、枢結部１６の幅の２分の１以下であるので、枢結部１６の幅よりはみ出すことがなく、リーフ１１０を綴杆２０，３０に沿って捲り、３６０度開いたときにリーフ１１０の表側と裏側との間の隙間が少なく、比較的平坦となり、筆記もし易い。
この発明の実施の形態によれば、枢結部１６の受け部８０，９０は、受け部８０，９０の開口部８４，９４が綴杆２０，３０の外周部に接し、連結部１４は、綴杆２０，３０の内周部から受け部８０，９０の開口部８４，９４までの間の高さを有するので、リーフ１１０を綴杆２０，３０に沿って捲り、３６０度開いたときにリーフの表側１１０ａと裏側１１０ｂとの間の隙間が少なく、比較的平坦となり、筆記もし易い。
この発明の実施の形態によれば、綴杆係止部２２，３２は、綴杆２０，３０の回転方向において係止及び脱係するように、第１綴杆２０の凸部２４及び凹部２６と第２綴杆３０の凹部３６及び凸部３４とが係合するように構成され、且つ、綴杆２０，３０の回転方向と交差する方向に脱係しないように綴杆２０，３０の回転方向にのびる脱係防止部２８，３８が形成されているので、綴杆２０，３０の回転方向と交差する方向に、閉じられた綴杆の綴杆係止部２２，３２が脱係しにくい。
【００３８】
この発明の実施の綴具１０は、その綴杆部１２に、リーフ１１０の綴じ穴１１２を貫挿させて綴じられた、手帳ないしはノートを構成でき、又、表表紙と裏表紙と背表紙とを備えた表紙に固定して、ファイル・バインダ類を構成できる。
【００３９】
この発明は、前記実施の形態に限らず、この発明の思想に基づき種々変更することができる。
【００４０】
図２１は、この発明にかかる綴具を用いたノートの斜視図解図であり、図２２は、この発明にかかる綴具の斜視図解図であり、（Ａ）は全体の図で、（Ｂ）は部分的に拡大した図であり、図２３は、この発明にかかる綴具の斜視図解図であり、（Ａ）は全体の図で、（Ｂ）は部分的に拡大した図であり、（Ｃ）（Ｄ）は半割杆の図であり、図２４は、この発明にかかる綴具を分解した状態における斜視図解図であり、図２５は、図７Ａ−Ａ断面図解図である。
この発明の綴具２１０は、複数の綴杆部２１２と、前記綴杆部２１２を連結するための連結領域を構成する連結部２１４と、前記綴杆部２１２を構成する綴杆を開閉させるときの中心となる枢結部２１６とを備える綴具であって、綴杆部２１２を捩って閉じている綴杆部２１２を開くことができるように構成されている。
この綴具２１０は、主として、一般的にセルリング式ノートと称されるノートに類似した手帳ないしはノート用として構成され、綴具２１０の綴杆部２１２に沿ってリーフ３１０を回転させて３６０度広げること、すなわち綴杆部２１２に綴じられたリーフ３１０を綴杆に沿って捲り、３６０度捲りかえし、閉じたときに両端にあるリーフ３１０の表側と裏側とが枢結部２１６を挟んで接し合うことができるように、構成されている。
通常、綴じ穴のある筆記する用紙の表側及び裏側に該用紙よりも比較的硬質の表紙が積層されており、この明細書及び特許請求の範囲においては、リーフ３１０の表側及び裏側には、用紙、合成樹脂製ポケット等の表面側の表表紙の表側と裏面側の裏表紙の裏側とが含まれる。
【００４１】
前記綴杆部２１２を構成する綴杆は、一対の綴杆が向き合うように、前記連結部２１４を構成する一対の連結部２１４の各々にその長手方向に適宜な間隔をおいて、連結部２１４の外側部ないし上側部から突設され、前記綴杆部２１２は、前記枢結部２１６を中心にして左右に分かれた、対称形である第１綴杆２２０及び第２綴杆２３０を備える。
連結領域は、第１綴杆２２０及び第２綴杆２３０を構成する半割杆２２０Ａ及び半割杆２３０Ａを、隣接する半割杆２２０Ａと半割杆２２０Ａ及び半割杆２３０Ａと半割杆２３０Ａとの間に適宜な間隔をおいて、並列して形成するように、半割杆２２０Ａの間及び半割杆２３０Ａの間に跨って形成されている。
前記連結部２１４は、前記枢結部２１６を中心にして左右に分かれた、対称形である第１連結部２５０及び第２連結部２６０を備え、第１連結部２５０及び第２連結部２６０は、向こう側から手前側に連続して長手方向に直線状にのびる略柱状である。
【００４２】
前記綴杆を開閉させるときの中心ののびる方向における一端（又は両端）の領域には、綴杆部２１２を構成する綴杆のうち対向する一方の複数の綴杆を、対向する他方の複数の綴杆の係止部から脱係させるために、同時に、中心ののびる方向に変位させる、押圧部が突設されている。
【００４３】
この実施の形態においては、第１綴杆２２０及び第１連結部２５０は、第１綴具部材２１８Ａに形成され、第２綴杆２３０及び第２連結部２６０は、第２綴具部材２１８Ｂに形成され、第１綴具部材２１８Ａと第２綴具部材２１８Ｂとは、対称形に形成されている。
第１綴具部材２１８Ａは、合成樹脂で一体成形され、同様に、第２綴具部材２１８Ｂは、合成樹脂で一体成形されている。
枢結領域は、第１綴具部材２１８Ａと第２綴具部材２１８Ｂとを、枢結部２１６を中心にして連結し、綴杆部２１２を開閉するときの回転の中心となる領域として構成される。
【００４４】
前記連結部２１４は、綴杆部２１２に綴じられたリーフ３１０を第１綴杆２２０及び第２綴杆２３０に沿って捲り、３６０度捲りかえし、閉じたときに両端にあるリーフ３１０の表側と裏側とが枢結部２１６を挟んで接し合うことができるように、下部において第１綴杆２２０及び第２綴杆２３０の基部と近接した位置に枢結部２１６を連設されている。
前記枢結部２１６は、前記連結部２１４（第１連結部２５０と第２連結部２６０）の長手方向にのびて一対の連結部２１４（第１連結部２５０と第２連結部２６０と）を連結し、前記第１綴杆２２０の自由端２２０ｂと第２綴杆２３０の自由端２３０ｂとを合わせて閉鎖するとき及び第１綴杆２２０の自由端２２０ｂと第２綴杆２３０の自由端２３０ｂとを離間させるときに回転中心となり、綴杆部２１２に綴じられたリーフ３１０を第１綴杆２２０及び第２綴杆２３０に沿って捲り、３６０度捲りかえすことができるように構成されている。
【００４５】
綴杆部２１２は、第１綴杆２２０及び第２綴杆２３０の連結部２１４に連設された基部２２０ａ及び基部２３０ａとは反対側の自由端２２０ｂ及び自由端２３０ｂに、第１綴杆２２０及び第２綴杆２３０を閉鎖したときに係止するための綴杆係止部を形成されている。すなわち、第１綴杆２２０は、基部２２０ａとは反対側の頂部である自由端２２０ｂに第１綴杆の綴杆係止部２２２を形成され、第２綴杆２３０は、基部２３０ａとは反対側の頂部である自由端２３０ｂに第２綴杆の綴杆係止部２３２を形成されている。
綴杆部２１２は、基部２２０ａ及び基部２３０ａから頂部に至る高さ方向（垂直方向）と、第１綴杆２２０の外周部（外側部）から第２綴杆２３０の外周部（外側部）に至る幅方向（水平方向）とを備え、第１綴杆２２０及び第２綴杆２３０の厚さ（外周部と内周部との間の長さ）よりも、綴具の長さ方向における第１綴杆２２０及び第２綴杆２３０の幅の方が長い、断面長方形状である。そして、第１綴杆２２０及び第２綴杆２３０は、基部２２０ａ及び基部２３０ａから頂部に至るまで、リーフ３１０を捲ることができるように、リーフ３１０の綴じ穴３１２に貫挿される形状に構成されている。
前記第１綴杆の綴杆係止部２２２及び第２綴杆の綴杆係止部２３２は、係止する第１綴杆２２０及び第２綴杆２３０の回転方向と交差する方向に、すなわち枢結部２１６の長手方向に第１綴杆２２０及び第２綴杆２３０を相対移動して、第１綴杆２２０及び第２綴杆２３０の先端を合わせて閉鎖するときに係止し又は第１綴杆２２０及び第２綴杆２３０の先端を離間させるときに脱係するように形成されている。
【００４６】
第１綴杆２２０は、閉じたときに略円環状の綴杆となるように、半円弧状の半割杆２２０Ａから構成され、第２綴杆２３０は、閉じたときに略円環状の綴杆となるように、半円弧状の半割杆２３０Ａから構成され、第１綴杆２２０と第２綴杆２３０とは対向するように構成されている。
そして、リーフ３１０に予め穿設された綴じ穴３１２に挿通して、リーフ３１０を綴じることができるように、半割杆２２０Ａと半割杆２３０Ａとの先端、すなわち第１綴杆２２０及び第２綴杆２３０の頂部において、綴杆係止部２２２，２３２が形成されている。
第１綴杆２２０を構成する半割杆２２０Ａと第２綴杆２３０を構成する半割杆２３０Ａとは、半割杆２２０Ａの第１綴杆の綴杆係止部２２２と、半割杆２３０Ａの第２綴杆の綴杆係止部２３２とを係止することにより、略円環状に連結される。
綴杆部２１２は、綴杆の連結部２１４及び／又は枢結部２１６に連設された基部２２０ａ及び基部２３０ａとは反対側の自由端２２０ｂ及び自由端２３０ｂに、綴杆を閉鎖したときに係止するための第１綴杆の綴杆係止部２２２及び第２綴杆の綴杆係止部２３２を形成され、前記第１綴杆の綴杆係止部２２２及び第２綴杆の綴杆係止部２３２は、係止する綴杆の回転方向と交差する方向に係止する綴杆を相対移動して係止又は脱係するように形成され、前記押圧部３４０は、綴杆の脱係する方向とは反対側において、脱係する方向とは反対側に向けて、綴杆及び／又は連結部２１４及び／又は枢結部２１６に突設されている。
この実施の形態においては、押圧部３４０は、連結部２１４の長手方向における第１綴杆２２０の手前側に突設された押し棒により構成されている。
【００４７】
第１綴杆２２０を構成する半割杆２２０Ａの先端に形成された第１綴杆の綴杆係止部２２２を構成する先端の第１綴杆の凸部２２４及びその第１綴杆の凸部２２４に続く第１綴杆の凹部２２６と、第２綴杆２３０を構成する半割杆２３０Ａの第２綴杆の綴杆係止部２３２を構成する先端の第２綴杆の凸部２３４及びその先端の第２綴杆の凸部２３４に続く第２綴杆の凹部２３６とは、第１綴杆２２０と第２綴杆２３０とを閉じたとき係合するように逆方向に向けて突き出しあるいは凹み形成されている。
すなわち、第１綴杆２２０を構成する半割杆２２０Ａの先端に形成された第１綴杆の綴杆係止部２２２を構成する第１綴杆の凸部２２４は、手前側に向けて突き出されている。そして、その第１綴杆の凸部２２４に続く第１綴杆の凹部２２６は、向こう側に向けて凹んでいる。半割杆２３０Ａの先端に形成された第２綴杆の綴杆係止部２３２を構成する第２綴杆の凸部２３４は、向こう側に向けて突き出されている。そして、その先端の第２綴杆の凸部２３４に続く第２綴杆の凹部２３６は、手前側に向けて凹んでいる。
第１綴杆２２０と第２綴杆２３０とを閉じたとき係合するように、第１綴杆の凸部２２４及び第１綴杆の凹部２２６と第２綴杆の凸部２３４及び第２綴杆の凹部２３６とは、逆方向に向けて突き出しあるいは凹み形成されている。
半割杆２２０Ａの第１綴杆の綴杆係止部２２２を構成する第１綴杆の凸部２２４と半割杆２３０Ａの第２綴杆の綴杆係止部２３２を構成する第２綴杆の凸部２３４とは、反対方向に向けて突き出し設けられている。
また、半割杆２２０Ａの第１綴杆の綴杆係止部２２２を構成する第１綴杆の凹部２２６と半割杆２３０Ａの第２綴杆の綴杆係止部２３２を構成する第２綴杆の凹部２３６とは、反対方向に向けて凹み形成されている。
【００４８】
前記第１綴杆の綴杆係止部２２２及び第２綴杆の綴杆係止部２３２は、第１綴杆２２０及び第２綴杆２３０の回転方向及び回転方向と交差する方向に脱係しないように、第１綴杆２２０及び第２綴杆２３０の回転方向と交差する方向にのびる脱係防止部２２８及び脱係防止部２３８が形成されている。
脱係防止部２２８は、頂部側において手前側に向けて突き出る鉤鼻状係止凸部２２８ａと、基部２２０ａ側において向こう側に向けて凹む係止凹部２２８ｂとを有し、自由端側の係止凸部２２８ａから続いて基部２２０ａ側に係止凹部２２８ｂが形成されている。
脱係防止部２３８は、頂部側において向こう側に向けて突き出る鉤鼻状係止凸部２３８ａと、基部２３０ａ側において手前側に向けて凹む係止凹部２３８ｂとを有し、自由端側の係止凸部２３８ａから続いて基部２３０ａ側に係止凹部２３８ｂが形成されている。
第１綴杆２２０と第２綴杆２３０とを閉じたとき、脱係防止部２２８の係止凸部２２８ａは、脱係防止部２３８の係止凹部２３８ｂに嵌合され、脱係防止部２３８の係止凸部２３８ａは、脱係防止部２２８の係止凹部２２８ｂに嵌合され、係止凸部２２８ａと係止凸部２３８ａとは、第１綴杆２２０と第２綴杆２３０とを回転方向に引いたときに、突き当たる。
第１綴杆の綴杆係止部２２２の脱係防止部２２８は、第２綴杆の綴杆係止部２３２の上部に向けて突き出され、第１綴杆の綴杆係止部２２２と第２綴杆の綴杆係止部２３２とを係合したときに、第２綴杆２３０が上方に向けて衝撃などにより移動することを防止している。
第２綴杆の綴杆係止部２３２の脱係防止部２３８は、第１綴杆の綴杆係止部２２２の上部に向けて突き出され、第１綴杆の綴杆係止部２２２と第２綴杆の綴杆係止部２３２とを係合したときに、第１綴杆２２０が上方に向けて衝撃などにより移動することを防止している。
このように、この実施の形態においては、押圧部３４０を指で押すことにより、第１綴具部材２１８Ａの第１綴杆２２０を向こう側に移動させて相対的に第２綴具部材２１８Ｂの第２綴杆２３０を手前側に移動させ、第１綴杆２２０の半割杆２２０Ａの第１綴杆の綴杆係止部２２２と第２綴杆２３０の半割杆２３０Ａの第２綴杆の綴杆係止部２３２との係合を外すことができる。
なお、閉じるときにおいては、脱係防止部２２８の係止凸部２２８ａと脱係防止部２３８の係止凸部２３８ａとは、突き出たり滑りながら係止凹部２３８ｂ及び係止凹部２２８ｂに嵌まるように、なだらかな傾斜面が自由端から形成されている。
【００４９】
前記連結部２１４を構成する第１綴具部材２１８Ａの第１連結部２５０は、第１連結部２５０と第２連結部２６０とが向き合う領域である第１連結部の対向部２５６と、前記第１連結部の対向部２５６と相対し第１綴杆２２０が突設された第１連結部の外側部２５２と、前記第１連結部の対向部２５６と第１連結部の外側部２５２との間において前記第１連結部の対向部２５６及び第１連結部の外側部２５２に交差する面で、枢結部２１６が連設された第１連結部の下側部２５８とを備える。
前記連結部２１４を構成する第２綴具部材２１８Ｂの第２連結部２６０は、第１連結部２５０と第２連結部２６０とが向き合う領域である第２連結部の対向部２６６と、前記第２連結部の対向部２６６と相対し第２綴杆２３０が突設された第２連結部の外側部２６２と、前記第２連結部の対向部２６６と第２連結部の外側部２６２との間において前記第２連結部の対向部２６６及び第２連結部の外側部２６２に交差する面で、枢結部２１６が連設された第２連結部の下側部２６８とを備える。
この実施の形態においては、第１連結部２５０及び第２連結部２６０は、略四角柱状である。
そして、第１連結部の対向部２５６と第２連結部の対向部２６６とは、回転方向と直交し綴具２１０を閉じたときに垂直にすなわち高さ方向にのびる平面であって、図２５に示すように綴具２１０を閉じたときに密着するように形成されている。
【００５０】
前記連結部２１４は、その側面に、第１綴杆２２０及び第２綴杆２３０の開き角度をリーフ３１０の挿入し易い角度、例えば約６０〜７０度に規制するための開き角規制部２７０及び開き角規制部２７２を形成されている。
第１綴具部材２１８Ａの開き角規制部２７０は、第１連結部２５０の第１連結部の下側部２５８の第１受け部２８０に連続して形成された断面略半円弧状であり、第１連結部の下側部２５８から下方に向けてのびる接合面２７０ａを備え、一方、第２綴具部材２１８Ｂの開き角規制部２７２は、第２連結部２６０の第２連結部の下側部２６８の第２受け部２９０に連続して形成された断面略半円弧状であり、第２連結部の下側部２６８から下方に向けてのびる接合面２７２ａを備える。
そして、綴杆部２１２を閉じたときに、開き角規制部２７０の接合面２７０ａと開き角規制部２７２の接合面２７２ａとは、図２５において示すように、略７０度開いた傾斜面であって対向しており、綴杆部２１２を開いたときに、開き角規制部２７０の接合面２７０ａと開き角規制部２７２の接合面２７２ａとは、図２６において示すように、接し合い、半割杆２１０Ａと半割杆２３０Ａの開き角度を、リーフ３１０の挿入し易い角度に規制する。
【００５１】
前記枢結部２１６は、シャフト部３００の受け部とシャフト部３００とを備える。
受け部は、第１連結部２５０に連設された第１受け部２８０と第２連結部２６０に連設された第２受け部２９０とから構成され、前記シャフト部３００は、前記連結部２１４の長手方向に沿って、向こう側から手前側に連続してのび、第１綴具部材と第２綴具部材とを連結する。
前記第１受け部２８０及び第２受け部２９０は、前記綴杆部２１２及び／又は連結部２１４に連設され、シャフト部３００を装填するための開口部（第１受け部２８０の開口部２８４及び第２受け部２９０の開口部２９４）を側面に形成され、前記半割杆２２０Ａ及び半割杆２３０Ａの先端を合わせて閉鎖するとき及び半割杆２２０Ａ及び半割杆２３０Ａの先端を離間させるときに回転中心となり、第１綴杆２２０及び第２綴杆２３０に綴じられたリーフ３１０を第１綴杆２２０及び第２綴杆２３０に沿って捲り、３６０度捲りかえすことができるように構成されている。
【００５２】
前記第１受け部２８０及び第２受け部２９０は、前記連結部２１４の長手方向に間欠的に形成され、半割杆２２０Ａ及び半割杆２３０Ａが前記シャフト部３００を中心にして回転し且つ第１綴杆２２０及び第２綴杆２３０を開閉するときに長手方向に相対変移するように形成されている。
【００５３】
前記シャフト部３００は、断面円形の棒状の金属棒である。それに対応して、前記第１受け部２８０及び第２受け部２９０は、全体が弧状で、その内側の円弧部２８６及び円弧部２９６に前記シャフト部３００を装填され、且つその外側の上部において、前記半割杆２２０Ａ及び半割杆２３０Ａの張り出し方向とは反対方向に張り出すように、前記連結部２１４が連設されている。
この実施の形態においては、シャフト部３００と第１受け部２８０及び第２受け部２９０とは別部材であり、第１受け部２８０は、合成樹脂により、第１綴具部材２１８Ａと一体に形成され、第２受け部２９０は、合成樹脂により、第２綴具部材２１８Ｂと一体に形成されている。
そして、シャフト部３００は、第１綴具部材２１８Ａの最も向こう側の第１受け部２８０から、第２綴具部材２１８Ｂの最も手前側の第２受け部２９０に至るように、形成されている。
【００５４】
第１綴具部材２１８Ａ側の第１受け部２８０は、シャフト部３００に装填されたときに、隣接する第１受け部２８０の間に、第１収容部２８２を間欠的に形成され、第２綴具部材２１８Ｂ側の第２受け部２９０は、シャフト部３００に装填されたときに、隣接する第２受け部２９０の間に、第２収容部２９２を間欠的に形成されている。
そして、第１綴杆２２０と第２綴杆２３０とを閉鎖したときに、枢結部２１６の軸線上において、第１綴具部材２１８Ａは、第１収容部２８２に第２綴具部材２１８Ｂの第２受け部２９０を収容させ、且つ、第２綴具部材２１８Ｂは、第２収容部２９２に第１綴具部材２１８Ａの第１受け部２８０を収容させて、隣接する第１綴具部材２１８Ａの第１受け部２８０と第２綴具部材２１８Ｂの第２受け部２９０との間及び隣接する第２綴具部材２１８Ｂの第２受け部２９０と第１綴具部材２１８Ａの第１受け部２８０との間に適宜な間隔をあけて整列される。隣接する第１綴具部材２１８Ａの第１受け部２８０と第２綴具部材２１８Ｂの第２受け部２９０との間及び隣接する第２綴具部材２１８Ｂの第２受け部２９０と第１綴具部材２１８Ａの第１受け部２８０との間における適宜な間隔とは、第１綴杆２２０と第２綴杆２３０とを連結部２１４の長手方向すなわち手前側及び向こう側に向けて相対移動させて、第１綴杆の綴杆係止部２２２と第２綴杆の綴杆係止部２３２とを脱係させるために必要な長さをいう。
それとともに、第１綴具部材２１８Ａと第２綴具部材２１８Ｂとは、第１綴杆２２０と第２綴杆２３０とを開閉するときに半割杆２２０Ａと半割杆２３０Ａとを相対変移するように、前記シャフト部３００に摺動自在に装填されている。
この実施の形態においては、第１綴具部材２１８Ａの第１綴杆２２０を向こう側に移動させ且つ第２綴具部材２１８Ｂの２綴杆２３０を手前側に移動させて、閉じていた第１綴杆２２０と第２綴杆２３０とは、開く。
この実施の形態においては、第１綴具部材２１８Ａの向こう側の第１受け部２８０の開口部２８４は、向こう側が塞がれている。又、第２綴具部材２１８Ｂの手前側の第２受け部２９０の開口部２９４は、手前側が塞がれている。従って、シャフト部３００の向こう側端は向こう側の第１受け部２８０により抜け出ることを防止され、シャフト部３００の手前側端は手前側の第２受け部２９０により抜け出ることを防止される。
【００５５】
半割杆２２０Ａの基部２２０ａの外周部及び半割杆２３０Ａの基部２３０ａの外周部は、連結部２１４の下部と同じ位置に、その下部が位置するように形成され、枢結部２１６の第１受け部２８０の外側及び第２受け部２９０の外側は、連結部２１４の下部と同じ位置に、その上部が位置するように形成されている。
この実施の形態においては、枢結部２１６の第１受け部２８０は、開口部２８４が半割杆２２０Ａの外周部に接し、枢結部２１６の第２受け部２９０は、開口部２９４が半割杆２３０Ａの外周部に接し、第１連結部２５０は、半割杆２２０Ａの内周部から第１受け部２８０の開口部２８４までの間の高さを有し、第２連結部２６０は、半割杆２３０Ａの内周部から第２受け部２９０の開口部２９４までの間の高さを有している。
【００５６】
前記連結部２１４の幅（幅方向における）は、枢結部２１６の第１受け部２８０又は枢結部２１６の第２受け部２９０の幅（幅方向における）の２分の１以下である。これは、第１連結部２５０の幅と第２連結部２６０の幅とを合わせた幅が、枢結部２１６の第１受け部２８０及び枢結部２１６の第２受け部２９０の幅と同等又はそれ以下の方が、リーフ３１０を３６０度捲りかえして、枢結部２１６を挟んでリーフ３１０の表面と裏面とを接し合わせるときに比較的間隔をあけずに接し合わせることができるので、そのようにするために構成されている。
【００５７】
前記第１連結部２５０の中央あたりに存する前記第１綴具部材２１８Ａの第１収容部２８２と前記第２連結部２６０の中央あたりに存する第２綴具部材２１８Ｂの第２収容部２９２との間に、前記シャフト部３００の長手方向にテンション（引張力又は圧縮力）をかける弾発部材３０２が、圧縮された状態で介装されている。弾発部材３０２は、鋼線をコイル形に巻いて作られたコイルバネにより形成され、筒形のコイルバネの輪の中にシャフト部３００を挿通されている。
そして、弾発部材３０２は、その向こう側端が第２綴具部材２１８Ｂの第２受け部２９０の手前側端に接し、その手前側端が第１綴具部材２１８Ａの第１受け部２８０の向こう側端に接して、復元力（均一な）によって第１綴具部材２１８Ａを手前側に押し下げ且つ第２綴具部材２１８Ｂを向こう側に押し上げるように構成されている。
而して、弾発部材３０２は、綴杆部２１２を閉じているときには、第１綴杆の綴杆係止部２２２と第２綴杆の綴杆係止部２３２とを係合させる方向に作用している。
【００５８】
連結領域に形成された押圧部３４０は、第１綴杆２２０及び第２綴杆２３０を開閉させるときの中心の伸びる方向である連結部２１４の長手方向に、第１綴杆２２０又は第２綴杆２３０を変位させて第１綴杆の綴杆係止部２２２及び第２綴杆の綴杆係止部２３２を脱係させるために柱状又は塊状に形成されている。
押圧部３４０は、第１綴具部材２１８Ａと第２綴具部材２１８Ｂとを連結する連結領域を構成する連結部２１４の長手方向で、第１綴杆２２０及び第２綴杆２３０を開閉させるときの中心ののびる方向である高さ方向における、第１連結部２５０の下方の下端部に突設された第１押圧部３４２によって構成され、前記実施の形態において、第２連結部２６０の上端部に突設された第２押圧部１４４によって構成されていない。
【００５９】
第１押圧部３４２は、第１連結部２５０の下方の下端部から、第１綴具部材２１８Ａの第１綴杆の綴杆係止部２２２を脱係するときに第１連結部２５０を移動させる方向とは反対側すなわち手前側（下方）に向けてのびる円柱状棒体であり、第２連結部２６０の手前側にのびる大きさに形成され、押圧する面積を大きくとるように形成されている。
【００６０】
そして、第１綴杆の綴杆係止部２２２及び第２綴杆の綴杆係止部２３２は、図２９において示すように、第１押圧部３４２に例えば親指を当て、第２綴杆２３０を他方の手の指で摘み、第１押圧部３４２を向こう側（上方）に向けて押して、脱係させる。
そして、第１綴杆２２０は、図２６において示すように、第１綴杆２２０及び第２綴杆２３０ののびる方向において反対方向に回転させて、綴杆部２１２を開く。
【００６１】
綴具２１０は、第１綴杆２２０及び第２綴杆２３０に、リーフ３１０の高さ方向に適宜な間隔をあけて連続して設けられた綴じ穴３１２を貫挿し、リーフ３１０の高さ方向にのびる綴じ代側端縁３１４の側に枢結部２１６を位置させ、綴じ穴３１２と綴じ代側端縁３１４との間に第１綴杆２２０及び第２綴杆２３０が架け渡されるようにして、リーフ３１０を綴じ、ノートを形成する。
綴具２１０は、綴具２１０の長さ方向が、幅方向にのびる端縁に綴じ穴３１２を形成したリーフ３１０の幅方向にのびて空間的に広がるように、リーフ３１０を綴じて、ノートを形成してもよい。
【００６２】
綴具２１０に綴じられたリーフ３１０は、図２６において示すように、枢結部２１６側に向けて捲りかえされ、閉じられて積層されていたときのリーフの表側３１０ａとリーフの裏側３１０ｂとを枢結部２１６を挟んで接し合わせるようにして、筆記等に用いることができる。
【００６３】
この発明の実施の形態によれば、綴杆部２１２及び連結部２１４は、一対の第１綴具部材２１８Ａ及び第２綴具部材２１８Ｂの各々に形成され、前記綴杆部２１２を構成する綴杆２２０，２３０は、第１綴具部材２１８Ａ側の第１綴杆２２０と第２綴具部材２１８Ｂ側の第２綴杆２３０とが向き合うように、前記連結部２１４の長手方向に適宜な間隔をおいて、連結部２１４の外側部ないし上側部から突設されているので、綴杆部２１２を開いたときに綴杆部２１２の最下部が例えば机の天板等の表面に接地して水平安定し易く、且つ綴杆部２１２を適宜な角度に開き易い。
この発明の実施の形態によれば、綴杆部２１２は、前記枢結部２１６を中心にして左右に分かれた、対称形である第１綴杆２２０及び第２綴杆２３０を備え、前記連結部２１４は、前記枢結部２１６を中心にして左右に分かれた、対称形である第１連結部２５０及び第２連結部２６０を備えているので、同一の金型で左右の部材を成形することができ、製造がし易い。
この発明の実施の形態によれば、連結部２１４は、向き合う第１連結部２５０及び第２連結部２６０の対向部２５６，２６６と、前記対向部２５６，２６６と相対し綴杆２２０，２３０が突設された外側部２５２，２６２と、前記対向部２５６，２６６と外側部２５２，２６２との間において前記対向部２５６，２６６及び外側部２５２，２６２に交差する面で、枢結部２１６が連設された下側部２５８，２６８とを備えているので、第１連結部の対向部２５６と第２連結部の対向部２６６とは、回転方向と直交し綴具２１０を閉じたときに垂直にすなわち高さ方向にのびて空間的に広がる平面であって、綴具２１０を閉じたときに密着するように形成すれば、綴具２１０を閉じたときに第１綴杆の綴杆係止部２２２と第２綴杆の綴杆係止部２３２との係合状態を安定的に保つことができ、綴杆部２１２を構成する第１綴杆２２０と第２綴杆２３０とにより構成される円環状の径を縮むように作用することを少なくすることができる。
この発明の実施の形態によれば、受け部２８０，２９０は、前記連結部２１４の長手方向に間欠的に形成され、綴杆部２１２が前記シャフト部３００を中心にして回転し且つ綴杆部２１２を開閉するときに長手方向に相対変移するように形成されているので、複数の綴杆２２０，２３０で構成される綴杆部２１２を一度に開閉させることができる。
この発明の実施の形態によれば、シャフト部３００は、断面円形の棒状であり、前記受け部２８０，２９０は、全体が弧状で、その内側の円弧部に前記シャフト部３００を装填され、且つその外側の上部において、前記綴杆２２０，２３０の張り出し方向とは反対方向に張り出すように、前記連結部２１４が連設されているので、複数の綴杆２２０，２３０で構成される綴杆部２１２を一度に開閉させることができ、且つ、綴杆部２１２の最下部が例えば机の天板等の表面に接地して水平に安定し易く、且つ綴杆部２１２を適宜な角度に開き易い。
この発明の実施の形態によれば、綴杆２２０，２３０の基部２２０ａ，２３０ａは、連結部２１４の下部と同じ位置に、下部が位置するように形成され、枢結部２１６の受け部２８０，２９０は、連結部２１４の下部と同じ位置に、上部が位置するように形成されているので、綴杆部２１２を開いたときに綴杆部２１２の最下部が例えば机の天板等の表面に接地して水平に安定し易く、且つ綴杆部２１２を適宜な角度に開き易い。
この発明の実施の形態によれば、連結部２１４の幅は、枢結部２１６の幅の２分の１以下であるので、枢結部２１６の幅よりはみ出すことがなく、リーフ３１０を綴杆２２０，２３０に沿って捲り、３６０度開いたときにリーフ３１０の表側と裏側との間の隙間が少なく、比較的平坦となり、筆記もし易い。
この発明の実施の形態によれば、枢結部２１６の受け部２８０，２９０は、受け部２８０，２９０の開口部２８４，２９４が綴杆２２０，２３０の外周部に接し、連結部２１４は、綴杆２２０，２３０の内周部から受け部２８０，２９０の開口部２８４，２９４までの間の高さを有するので、リーフ３１０を綴杆２２０，２３０に沿って捲り、３６０度開いたときにリーフの表側３１０ａと裏側３１０ｂとの間の隙間が少なく、比較的平坦となり、筆記もし易い。
この発明の実施の形態によれば、綴杆係止部２２２，２３２は、綴杆２２０，２３０の回転方向において係止及び脱係するように、第１綴杆２２０の凸部２２４及び凹部２２６と第２綴杆２３０の凹部２３６及び凸部２３４とが係合するように構成され、且つ、綴杆部２１２を閉じたとき、綴杆２２０，２３０の回転方向及び回転方向と交差する方向に脱係しないように綴杆２２０，２３０の回転方向と交差する方向にのびる脱係防止部２２８，２３８が形成されているので、綴杆２２０，２３０の回転方向及び回転方向と交差する方向に、閉じられた綴杆の綴杆係止部２２２，２３２が脱係しにくい。
【００６４】
この発明の実施の綴具２１０は、その綴杆部２１２に、リーフ３１０の綴じ穴３１２を貫挿させて綴じられた、手帳ないしはノートを構成でき、又、表表紙と裏表紙と背表紙とを備えた表紙に固定して、ファイル・バインダ類を構成できる。
【００６５】
弾発部材３０２は、次のように構成してもよい。
図２７は、変形例の綴具を分解した状態における斜視図解図であり、図２８は、図２７図示綴具の閉じた状態における綴具の背面図解図であり、図２９は、図１９図示綴具の断面図解図であり、（Ａ）は閉じた状態の断面図解図であり、（Ｂ）は開いた状態の断面図解図である。
図２７図示弾発部材３０２は、ねじりコイルバネからなり、巻線部３０２ａと巻線部３０２ａの両端から巻線部３０２ａの中心軸と直交ないし交差する方向に伸びる直線状の第１固定先端部３０２ｂと直線状の第２固定先端部３０２ｃとが連設され、ねじりモーメントが発生しない元の状態は、巻線部３０２ａの接線方向に第１固定先端部３０２ｂと第２固定先端部３０２ｃとが突き出されている。
そして、弾発部材３０２の巻線部３０２ａの両端から延びる先端部を支持するために、前記連結部２１４に支持部２５０ａ及び支持部２６０ａが形成されている。
前記弾発部材３０２の巻線部３０２ａの両端から延びる固定先端部は、第１綴具部材２１８Ａの第１連結部２５０に形成された支持部２５０ａ、及び前記支持部２５０ａと対向する第２綴具部材２１８Ｂの第２連結部２６０の支持部２６０ａに係止され、支持されている。
すなわち、一方の第１固定先端部３０２ｂは、第１連結部２５０の支持部２５０ａに支持され、また、もう一方の第２固定先端部３０２ｃは、第１固定先端部３０２ｂと向き合うように第２連結部２６０の支持部２６０ａに支持されている。
押圧部３４０を指で押すことにより、係止された第１綴杆の綴杆係止部２２２及び第２綴杆の綴杆係止部２３２を外すとき、移動する方向とは反対側にある第１連結部２５０の支持部２５０ａに第１固定先端部３０２ｂは支持され、移動する方向とは反対側にある第２連結部２６０の支持部２６０ａにもう一方の第２固定先端部３０２ｃは、支持されている。
一方の固定先端部３０２ｂ及び他方の固定先端部３０２ｃは、元々開いた状態にあったが、第１綴杆２２０と第２綴杆２３０とが閉じた状態にあるときは、元々開いた状態にあったところからほぼ平行に接近させた第１固定先端部３０２ｂと第２固定先端部３０２ｃとが、連結部２１４の支持部２５０ａ，支持部２６０ａに支持されている。すなわち、弾発部材３０２は、第１固定先端部３０２ｂが第１連結部２５０の支持部２５０ａに係止され且つ第２固定先端部３０２ｃが第２連結部２６０の支持部２６０ａに係止されてねじられた状態になる。
【００６６】
そして、弾発部材３０２は、その向こう側端が第２綴具部材２１８Ｂの第２受け部２９０の手前側端に接し、その手前側端が第１綴具部材２１８Ａの第１受け部２８０の向こう側端に接して、復元力（均一な）によって第１綴具部材２１８Ａを手前側に押し下げ且つ第２綴具部材２１８Ｂを向こう側に押し上げるように構成されている。
而して、弾発部材３０２は、綴杆部２１２を閉じているときには、第１綴杆の綴杆係止部２２２と第２綴杆の綴杆係止部２３２とを係合させる方向に作用している。
押圧部３４０を指で押すことにより、係止された第１綴杆の綴杆係止部２２２及び第２綴杆の綴杆係止部２３２を外すときには、弾発部材３０２の弾発力に抗して第１綴具部材２１８Ａの第１綴杆２２０を向こう側に移動させ且つ第２綴具部材２１８Ｂの２綴杆２３０を手前側に移動させて、閉じていた第１綴杆２２０と第２綴杆２３０とを開く。
押圧部３４０を指で押して第１綴具部材２１８Ａの第１連結部２５０と第２綴具部材２１８Ｂの第２連結部２６０とをそれぞれを反対方向に相対移動させると、第１連結部２５０と第２連結部２６０とは、弾発部材３０２が元の状態に戻ろうとする力、すなわち一方の第１固定先端部３０２ｂと他方の第２固定先端部３０２ｃとが回転方向に回転して綴杆部２１２を開くように力が働くことにより、回転方向に回転する。
このように、この実施の形態においては、第１綴杆の綴杆係止部２２２および第２綴杆の綴杆係止部２３２の係合を解除したとき、一方の第１固定先端部３０２ｂと他方の第２固定先端部３０２ｃとを円周方向において離れさせようとする力が働くことにより、第１綴杆２２０及び第１連結部２５０と第２綴杆２３０及び第２連結部２６０とが、開いた状態になる。
【００６７】
次に、更に別の実施の形態である綴具について説明する。
図３０は、この発明にかかる綴具を用いた手帳の斜視図解図であり、図３１Ａは、この発明にかかる綴具の全体の斜視図解図であり、図３１Ｂは、この発明にかかる綴具の斜視図解図であり、図３２は、この発明にかかる綴具の斜視図解図であり、（Ａ）は全体の図で、（Ｂ）（Ｃ）は半割杆の図であり、図３３は、第１綴具部材の斜視図解図であり、（Ａ）は右側の図であり、（Ｂ）は左側の図であり、図３４は、第２綴具部材の斜視図解図であり、（Ａ）は右側の図であり、（Ｂ）は左側の図であり、図３５は、この発明にかかる綴具を分解した状態における斜視図解図であり、図３６は、第１綴具部材と第２綴具部材とを結合する方法を示す斜視図解図であり、図３７は、閉じた状態における綴具の正面図解図であり、図３８は、閉じた状態における綴具の背面図解図であり、図３９Ａは、図３７Ａ−Ａ部分断面図解図であり、図３９Ｂは、図３７Ｂ−Ｂ断面図解図であり、図３９Ｃは、図３７Ｃ−Ｃ断面図解図であり、図４０は、開き始めた状態における綴具の正面図解図であり、図４１は、開き始めた状態における綴具の背面図解図であり、図４２Ａは、図４０Ａ−Ａ部分断面図解図であり、図４２Ｂは、図４０Ｂ−Ｂ断面図解図であり、図４２Ｃは、図４０Ｃ−Ｃ断面図解図であり、図４３は、手帳のリーフの開き方を示す平面図解図であり、（Ａ）は閉じた状態の図で、（Ｂ）は半分捲った状態の図で、（Ｃ）は３６０度捲った状態の図である。
この発明の綴具４１０は、複数の綴杆部４１２と、前記綴杆部４１２を連結する連結領域である軸受部４１４と、前記綴杆部４１２を連結して前記綴杆部４１２を構成する第１綴杆４２０及び第２綴杆４３０を開閉させるときの中心となる連結領域である枢軸部４１６とを備える綴具４１０であって、綴杆部４１２を捩って閉じている綴杆部４１２を開くことができるように構成されている。
この綴具４１０は、主として、一般的にセルリング式ノートと称されるノートに類似した手帳用として構成され、綴具４１０の綴杆部４１２に沿ってリーフ５１０を回転させて３６０度広げること、すなわち綴杆部４１２に綴じられたリーフ５１０を綴杆に沿って捲り、３６０度捲りかえし、閉じたときに両端にあるリーフ５１０の表側と裏側とが軸受部４１４及び枢軸部４１６を挟んで接し合うことができるように、構成されている。
通常、綴じ穴のある筆記する用紙の表側及び裏側に該用紙よりも比較的硬質の表紙が積層されており、この明細書及び特許請求の範囲においては、リーフ５１０の表側及び裏側には、用紙、合成樹脂製ポケット等の表面側の表表紙の表側と裏面側の裏表紙の裏側とを含まれる。
【００６８】
綴具４１０は、第１綴具部材４１８Ａと第２綴具部材４１８Ｂとから構成されており、第１綴具部材４１８Ａと第２綴具部材４１８Ｂとは、綴具４１０の長さ方向における中央を中心にした対称形であり、それぞれ、綴杆部４１２，軸受部４１４及び枢軸部４１６を備えている。
【００６９】
綴杆部４１２は、第１綴具部材４１８Ａの第１綴杆４２０と第２綴具部材４１８Ｂの第２綴杆４３０とを有しており、前記綴杆部４１２を構成する第１綴杆４２０及び第２綴杆４３０は、一対の第１綴具部材４１８Ａの第１綴杆４２０と第２綴具部材４１８Ｂの第２綴杆４３０とが向き合うように、前記綴杆部４１２を連結する軸受部４１４及び枢軸部４１６の各々にその長手方向に適宜な間隔をおいて、軸受部４１４及び枢軸部４１６の外側部ないし上側部から突設されている。そして、前記第１綴杆４２０及び第２綴杆４３０は、前記軸受部４１４及び枢軸部４１６を中心にして左右に分かれた、対称形である。
複数の第１綴杆４２０は、各第１綴杆４２０の間において、各第１綴杆４２０の基部と連設された第１架設部４４２によって、適宜な間隔をおいて、綴具４１０の長手方向に並列されている。
複数の第２綴杆４３０は、各第２綴杆４３０の間において、各第２綴杆４３０の基部と連設された第２架設部４４４によって、適宜な間隔をおいて、綴具４１０の長手方向に並列されている。
【００７０】
前記軸受部４１４は、第１綴具部材４１８Ａの第１軸受部４５０と第２綴具部材４１８Ｂの第２軸受部４６０とを有しており、第１軸受部４５０と第２軸受部４６０とは、綴具４１０の長さ方向の中央を中心にして対称形である。第１軸受部４５０及び第２軸受部４６０は、向こう側から手前側に連続して長手方向に直線状にのびる、中実半円筒状で断面略Ｃ字状であり、第１軸受部４５０は、第１綴杆４２０に連続して一体的に形成され、第２軸受部４６０は、第２綴杆４３０に連続して一体的に形成されている。
【００７１】
前記軸受部４１４は、綴杆部４１２に綴じられたリーフ５１０を第１綴杆４２０及び第２綴杆４３０に沿って捲り、３６０度捲りかえし、閉じたときに両端にあるリーフ５１０の表側と裏側とが軸受部４１４を挟んで接し合うことができるように、下部において、第１綴杆４２０及び第２綴杆４３０の基部と近接した位置にて連設されている。
前記軸受部４１４は、綴杆ののびる方向と直交する方向にのびる長さと綴杆ののびる方向に連続する太さとを有し、綴杆部４１２に綴じられたリーフ５１０を綴杆部４１２に沿って捲り、３６０度捲りかえし、閉じたときに両端にあるリーフ５１０の表側と裏側とが軸受部４１４を挟んで接し合うことができるように構成されている。すなわち、第１軸受部４５０は、第１綴杆４２０の基部に連設され、第２軸受部４６０は、第２綴杆４３０の基部に連設され、且つ第１軸受部４５０は、複数の第１綴杆４２０を連結するように、複数の第１綴杆４２０に架設され、第２軸受部４６０は、複数の第２綴杆４３０を連結するように、複数の第２綴杆４３０に架設されている。
第１軸受部４５０は、枢軸部４１６を装填するための第１軸受部４５０の開口部４５２を半割杆４２０Ａとは反対側の側面に形成されており、且つ第２軸受部４６０は、第２軸受部４６０の開口部４６２を半割杆４３０Ａとは反対側の側面に形成されている。そして、第１軸受部４５０は、前記開口部４５２に続く内面が円弧状の軸受凹部４５４を形成され、第２軸受部４６０は、開口部４６２に続く内面が円弧状の軸受凹部４６４を形成されている。
【００７２】
第１綴具部材４１８Ａは、第１綴杆４２０の基部に連設された第１受け部４８０を有し、第２綴具部材４１８Ｂは、第２綴杆４３０の基部に連設された第２受け部４９０を有している。綴杆部４１２の基部に連設された第１受け部４８０と綴杆部４１２の基部に連設された第２受け部４９０との間に形成された収容部４８２に、前記枢軸部４１６の長手方向に圧縮し且つ弾発力をかける弾発部材５０２が介装されている。そして、前記第１受け部４８０及び第２受け部４９０並びに弾発部材５０２は、前記第１綴杆４２０と第２綴杆４３０の先端を合わせて閉鎖するとき及び第１綴杆４２０と第２綴杆４３０の先端を離間させるときに回転中心となる。
【００７３】
前記綴杆を開閉させるときの中心ののびる方向における一端又は両端の領域には、綴杆部４１２を構成する綴杆のうち対向する一方の複数の綴杆を、対向する他方の複数の綴杆の係止部から脱係させるために、同時に、中心ののびる方向に変位させる、押圧部５４０が突設されている。
【００７４】
前記軸受部４１４並びに第１受け部４８０及び第２受け部４９０の輪郭は、略々同一で、前記第１綴杆４２０と第２綴杆４３０の先端を合わせて閉鎖するとき及び第１綴杆４２０と第２綴杆４３０の先端を離間させるときに回転中心となる。そして、軸受部４１４並びに第１受け部４８０及び第２受け部４９０は、綴杆部４１２に綴じられたリーフ５１０を第１綴杆４２０又は第２綴杆４３０に沿って捲り、３６０度捲りかえすことができるように構成されている。
【００７５】
前記枢軸部４１６は、第１綴杆４２０及び第２綴杆４３０ののびる方向に直交する方向にのびる長さと第１綴杆４２０及び第２綴杆４３０ののびる方向に連続する太さとを有し、長手方向に連続する輪郭の一部が円弧状で、第１綴杆４２０及び第２綴杆４３０の基部と連設され且つ複数の第１綴杆４２０及び第２綴杆４３０を連設するように複数の第１綴杆４２０及び第２綴杆４３０に架設されている。
枢軸部４１６は、第１綴具部材４１８Ａの第１軸部５２０と第２綴具部材４１８Ｂの第２軸部５３０とを有しており、第１軸部５２０と第２軸部５３０とは、綴具４１０の長さ方向の中央を中心にして対称形である。
第１軸部５２０及び第２軸部５３０は、向こう側から手前側に連続して長手方向に直線状にのびる中実柱状で断面略真円状であり、第１軸部５２０は第１綴杆４２０に連続して一体的に形成され、第２軸部５３０は第２綴杆４３０に連続して一体的に形成されている。
枢軸部４１６を構成する第１綴具部材４１８Ａの第１軸部５２０は、該円弧状の領域において、前記第２綴具部材４１８Ｂの第２軸受部４６０の開口部４６２から軸受部４１４の内面が円弧状で長手方向にのびる軸受凹部４６４に揺動自在に嵌合され、第２綴具部材４１８Ｂの第２軸部５３０は、該円弧状の領域において、前記第１綴具部材４１８Ａの第１軸受部４５０の開口部４５２から軸受部４１４の内面が円弧状で長手方向にのびる軸受凹部４５４に揺動自在に嵌合されている。
枢軸部４１６（第１軸部５２０と第２軸部５３０）は、前記軸受部４１４（第１軸受部４５０と第２軸受部４６０）の長手方向にのびて、左右に分かれた一対の第１綴具部材４１８Ａの第１軸受部４５０と第２綴具部材４１８Ｂの第２軸受部４６０とを長さ方向に直線状に並んだ状態で連結し、前記第１綴杆４２０の自由端４２０ｂと第２綴杆４３０の自由端４３０ｂとを合わせて閉鎖するとき及び第１綴杆４２０の自由端４２０ｂと第２綴杆４３０の自由端４３０ｂとを離間させるときに回転中心となり、綴杆部４１２に綴じられたリーフ５１０を第１綴杆４２０及び第２綴杆４３０に沿って捲り、３６０度捲りかえすことができるように構成されている。
【００７６】
この実施の形態においては、第１綴杆４２０，第１軸受部４５０，第１受け部４８０及び第１軸部５２０は、第１綴具部材４１８Ａに形成され、第２綴杆４３０，第２軸受部４６０，第２受け部４９０及び第２軸部５３０は、第２綴具部材４１８Ｂに形成され、第１綴具部材４１８Ａと第２綴具部材４１８Ｂとは、綴具４１０の長さ方向の中央を中心にして対称形に形成されている。
【００７７】
第１綴具部材４１８Ａの第１軸受部４５０は、手前側の第１軸受部４５０ａと中間の第１軸受部４５０ｂとに分かれて形成されており、第１綴具部材４１８Ａの第１受け部４８０は、手前側の第１軸受部４５０ａと中間の第１軸受部４５０ｂとの間に形成されている。
第１綴具部材４１８Ａの第１軸部５２０は、向こう側の第１軸部５２０ａと中間の第１軸部５２０ｂとに分かれて形成されている。そして、向こう側の第１軸部５２０ａは、中間の第１軸受部４５０ｂから向こう側に連続して形成されており、中間の第１軸部５２０ｂは、第１受け部４８０から手前側に連続して形成されている。
第２綴具部材４１８Ｂの第２軸受部４６０は、向こう側の第２軸受部４６０ａと中間の第２軸受部４６０ｂとに分かれて形成されており、第２綴具部材４１８Ｂの第２受け部４９０は、向こう側の第２軸受部４６０ａと中間の第２軸受部４６０ｂとの間に形成されている。
第２綴具部材４１８Ｂの第２軸部５３０は、手前側の第２軸部５３０ａと中間の第２軸部５３０ｂとに分かれて形成されている。そして、手前側の第２軸部５３０ａは、中間の第２軸受部４６０ｂから手前側に連続して形成されており、第２軸部５３０ｂは、第２受け部４９０から向こう側に連続して形成されている。
【００７８】
この実施の形態においては、第１綴具部材４１８Ａは、綴杆部４１２（第１綴杆４２０），軸受部４１４（第１軸受部４５０），枢軸部４１６（第１軸部５２０）及び第１受け部４８０を合成樹脂で一体成形されてなる。また、同様に、第２綴具部材４１８Ｂは、綴杆部４１２（第２綴杆４３０），軸受部４１４（第２軸受部４６０），枢軸部４１６（第２軸部５３０）及び第２受け部４９０を合成樹脂で一体成形されてなる。
前記綴杆部４１２，第１綴杆４２０の第１架設部４４２，第２綴杆４３０の第２架設部４４４及び枢軸部４１６は、中実状で、連続して一体的に形成され、且つ、前記綴杆部４１２，第１綴杆４２０の第１架設部４４２，第２綴杆４３０の第２架設部４４４及び軸受部４１４は、中実状で、連続して一体的に形成されている。
【００７９】
この実施の形態においては、第１綴具部材４１８Ａの向こう側の第１軸部５２０ａと中間の第１軸部５２０ｂとは、長手方向に一直線状にのび、同一の太さを有する略々円柱状であり、第１綴具部材４１８Ａを構成する半割杆４２０Ａ及び第１架設部４４２と、半割杆４２０Ａ及び第１架設部４４２の下側において連続して一体的に形成されており、第２綴具部材４１８Ｂの手前側の第２軸部５３０ａと中間の第２軸部５３０ｂとは、長手方向に一直線状にのび、同一の太さを有する略々円柱状であり、第２綴具部材４１８Ｂを構成する、半割杆４３０Ａ及び第２架設部４４４と、半割杆４３０Ａ及び第２架設部４４４の下側において連続して一体的に形成されている。
第１綴具部材４１８Ａの向こう側の第１軸部５２０ａと中間の第１軸部５２０ｂとは、第２綴具部材４１８Ｂの第２軸受部４６０の軸受凹部４６４に嵌合する形状を備えており、第２綴具部材４１８Ｂの手前側の第２軸部５３０ａと中間の第２軸部５３０ｂとは、第１綴具部材４１８Ａの第１軸受部４５０の軸受凹部４５４に嵌合する形状を備えている。
【００８０】
第１綴具部材４１８Ａの第１軸受部４５０は、手前側の第１軸受部４５０ａの開口部４５２と中間の第１軸受部４５０ｂの開口部４５２とが長手方向にのびる断面同一の直線状で、長手方向に一直線状に並ぶ。
第２綴具部材４１８Ｂの第２軸受部４６０は、向こう側の第２軸受部４６０ａの開口部４６２と中間の第２軸受部４６０ｂの開口部４６２とが長手方向にのびる断面同一の直線状で、長手方向に一直線状に並ぶ。
第１綴具部材４１８Ａの向こう側の第１軸部５２０ａの向こう側の突起部４７８と第１受け部４８０の手前側の突起部４７８とは長手方向に一直線状に並び、第２綴具部材４１８Ｂの手前側の第２軸部５３０ａの手前側の突起部４７６と第２受け部４９０の向こう側の突起部４７６とは長手方向に一直線状に並ぶ。
【００８１】
綴杆部４１２は、第１綴具部材４１８Ａの第１綴杆４２０及び第２綴具部材４１８Ｂの第２綴杆４３０の軸受部４１４及び枢軸部４１６並びに第１綴具部材４１８Ａの第１受け部４８０及び第２綴具部材４１８Ｂの第２受け部４９０に連設された基部４２０ａ及び基部４３０ａとは反対側の自由端４２０ｂ及び自由端４３０ｂに、第１綴具部材４１８Ａの第１綴杆４２０及び第２綴具部材４１８Ｂの第２綴杆４３０を閉鎖したときに係止するための綴杆係止部を形成されている。
すなわち、第１綴具部材４１８Ａの第１綴杆４２０は、基部４２０ａとは反対側の頂部である自由端４２０ｂに第１綴杆の綴杆係止部４２２を形成され、第２綴具部材４１８Ｂの第２綴杆４３０は、基部４３０ａとは反対側の頂部である自由端４３０ｂに第２綴杆の綴杆係止部４３２を形成されている。
綴杆部４１２は、基部４２０ａ及び基部４３０ａから頂部に至る高さ方向（垂直方向）と、第１綴杆４２０の外周部（外側部）から第２綴杆４３０の外周部（外側部）に至る幅方向（水平方向）とを備え、第１綴杆４２０及び第２綴杆４３０の厚さ（外周部と内周部との間の長さ）よりも、綴具の長さ方向における第１綴杆４２０及び第２綴杆４３０の幅の方が長い、断面長方形状である。そして、第１綴杆４２０及び第２綴杆４３０は、基部４２０ａ及び基部４３０ａから頂部に至るまで、リーフ５１０を捲ることができるように、リーフ５１０の綴じ穴５１２に貫挿される形状に構成されている。
前記第１綴具部材４１８Ａの第１綴杆の綴杆係止部４２２及び第２綴具部材４１８Ｂの第２綴杆の綴杆係止部４３２は、係止する第１綴具部材４１８Ａの第１綴杆４２０及び第２綴具部材４１８Ｂの第２綴杆４３０の回転方向と交差する方向に、すなわち枢軸部４１６の長手方向に第１綴具部材４１８Ａの第１綴杆４２０及び第２綴具部材４１８Ｂの第２綴杆４３０を相対移動して、第１綴具部材４１８Ａの第１綴杆４２０及び第２綴具部材４１８Ｂの第２綴杆４３０の先端を合わせて閉鎖するときに係止し又は第１綴具部材４１８Ａの第１綴杆４２０及び第２綴具部材４１８Ｂの第２綴杆４３０の先端を離間させるときに脱係するように形成されている。
【００８２】
第１綴具部材４１８Ａの第１綴杆４２０は、閉じたときに略円環状の綴杆となるように、半円弧状の半割杆４２０Ａから構成され、第２綴具部材４１８Ｂの第２綴杆４３０は、閉じたときに略円環状の綴杆となるように、半円弧状の半割杆４３０Ａから構成され、第１綴具部材４１８Ａの第１綴杆４２０と第２綴具部材４１８Ｂの第２綴杆４３０とは対向するように構成されている。
そして、リーフ５１０に予め穿設された綴じ穴５１２に挿通して、リーフ５１０を綴じることができるように、半割杆４２０Ａと半割杆４３０Ａとの先端、すなわち第１綴杆４２０及び第２綴杆４３０の頂部において、綴杆係止部４２２，４３２が形成されている。
第１綴杆４２０を構成する半割杆４２０Ａと第２綴杆４３０を構成する半割杆４３０Ａとは、半割杆４２０Ａの第１綴杆の綴杆係止部４２２と、半割杆４３０Ａの第２綴杆の綴杆係止部４３２とを係止することにより、略円環状に連結される。
【００８３】
綴杆部４１２は、綴杆の第１架設部４４２並びに第２架設部４４４及び／又は枢軸部４１６に連設された基部４２０ａ及び基部４３０ａとは反対側の自由端４２０ｂ及び自由端４３０ｂに、綴杆を閉鎖したときに係止するための第１綴杆の綴杆係止部４２２及び第２綴杆の綴杆係止部４３２を形成され、前記第１綴杆の綴杆係止部４２２及び第２綴杆の綴杆係止部４３２は、係止する綴杆の回転方向と交差する方向に係止する綴杆を相対移動して係止又は脱係するように形成されている。
そして、前記押圧部５４０は、綴杆の脱係するときに連結領域である第１架設部４４２及び第２架設部４４４，軸受部４１４並びに枢軸部４１６の移動する方向とは反対側において、脱係するときに軸受部４１４及び枢軸部４１６を移動する方向とは反対側に向けて、綴杆及び／又は連結部４１４及び／又は枢軸部４１６に突設されている。
【００８４】
この実施の形態においては、第１綴具部材４１８Ａの半割杆４２０Ａの手前側及び第２綴具部材４１８Ｂの半割杆４３０Ａの向こう側に形成された押圧部５４０は、連結領域を構成する第１軸受部４５０の長手方向における第１綴杆４２０の手前側に突設された押し棒と、連結領域を構成する第２軸受部４６０の長手方向における第２綴杆４３０の向こう側に突設された押し棒とにより構成される。
押圧部５４０は、第１綴具部材４１８Ａと第２綴具部材４１８Ｂとを連結する連結領域を構成する軸受部４１４，枢軸部４１６，第１架設部４４２及び第２架設部４４４の長手方向で、綴杆部４１２を開閉するときの中心ののびる方向に、第１綴杆４２０又は第２綴杆４３０を変位させて、第１綴杆の綴杆係止部４２２及び第２綴杆の綴杆係止部４３２を脱係させるために柱状又は塊状に形成されている。
押圧部５４０は、第１綴具部材４１８Ａと第２綴具部材４１８Ｂとを連結する連結領域を構成する軸受部４１４，枢軸部４１６，第１架設部４４２及び第２架設部４４４の長手方向で、綴杆部４１２を開閉するときの中心ののびる方向である高さ方向における、第１綴具部材４１８Ａの半割杆４２０Ａの下端部に突設された第１押圧部５４２と、第２綴具部材４１８Ｂの半割杆４３０Ａの上端部に突設された第２押圧部５４４とによって構成されている。
【００８５】
第１押圧部５４２は、半割杆４２０Ａの基部４２０ａの下端から、第１綴具部材４１８Ａの第１綴杆の綴杆係止部４２２を脱係するときに軸受部４１４及び枢軸部４１６を移動する方向とは反対側すなわち手前側（下方）に向けてのびる円柱状棒体であり、半割杆４３０Ａの手前側にのびる大きさに形成され、押圧する面積を大きくとるように形成されている。
第２押圧部５４４は、半割杆４３０Ａの基部４３０ａの上端から、第２綴具部材４１８Ｂの第２綴杆の綴杆係止部４３２を脱係するときに軸受部４１４及び枢軸部４１６を移動する方向とは反対側すなわち向こう側（上方）に向けてのびる円柱状棒体であり、半割杆４２０Ａの向こう側にのびる大きさに形成され、押圧する面積を大きくとるように形成されている。
【００８６】
そして、第１綴杆の綴杆係止部４２２及び第２綴杆の綴杆係止部４３２は、図４０において示すように、第１押圧部５４２に例えば親指を当て、また第２押圧部５４４に人差指を当て、第１押圧部５４２を向こう側（上方）に向けて、また第２押圧部５４４を手前側（下方）に向けて押して、第１綴杆の綴杆係止部４２２と第２綴杆の綴杆係止部４３２とを脱係させる。
そして、第１押圧部５４２と第２押圧部５４４とは、図４２において示すように、第１綴杆４２０及び第２綴杆４３０ののびる方向において反対方向に回転させて、綴杆部４１２を開く。
そして、綴杆部４１２を開くときにおいては、第１綴杆４２０と第２綴杆４３０とは、押圧部５４０を指で押すことにより、係止された第１綴杆の綴杆係止部４２２及び第２綴杆の綴杆係止部４３２を外すことができるように構成されている。
【００８７】
第１綴杆４２０を構成する半割杆４２０Ａの先端に形成された第１綴杆の綴杆係止部４２２を構成する先端の第１綴杆の凸部４２４及びその第１綴杆の凸部４２４に続く第１綴杆の凹部４２６と、第２綴杆４３０を構成する半割杆４３０Ａの第２綴杆の綴杆係止部４３２を構成する先端の第２綴杆の凸部４３４及びその先端の第２綴杆の凸部４３４に続く第２綴杆の凹部４３６とは、第１綴杆４２０と第２綴杆４３０とを閉じたとき係合するように逆方向に向けて突き出しあるいは凹み形成されている。
すなわち、第１綴杆４２０を構成する半割杆４２０Ａの先端に形成された第１綴杆の綴杆係止部４２２を構成する第１綴杆の凸部４２４は、手前側に向けて突き出されている。そして、その第１綴杆の凸部４２４に続く第１綴杆の凹部４２６は、向こう側に向けて凹んでいる。半割杆４３０Ａの先端に形成された第２綴杆の綴杆係止部４３２を構成する第２綴杆の凸部４３４は、向こう側に向けて突き出されている。そして、その先端の第２綴杆の凸部４３４に続く第２綴杆の凹部４３６は、手前側に向けて凹んでいる。
第１綴杆４２０と第２綴杆４３０とを閉じたとき係合するように、第１綴杆の凸部４２４及び第１綴杆の凹部４２６と第２綴杆の凸部４３４及び第２綴杆の凹部４３６とは、逆方向に向けて突き出しあるいは凹み形成されている。
半割杆４２０Ａの第１綴杆の綴杆係止部４２２を構成する第１綴杆の凸部４２４と半割杆４３０Ａの第２綴杆の綴杆係止部４３２を構成する第２綴杆の凸部４３４とは、反対方向に向けて突き出し設けられている。
また、半割杆４２０Ａの第１綴杆の綴杆係止部４２２を構成する第１綴杆の凹部４２６と半割杆４３０Ａの第２綴杆の綴杆係止部４３２を構成する第２綴杆の凹部４３６とは、反対方向に向けて凹み形成されている。
【００８８】
前記第１綴杆の綴杆係止部４２２及び第２綴杆の綴杆係止部４３２は、第１綴杆４２０及び第２綴杆４３０の回転方向及び回転方向と交差する方向に脱係しないように、第１綴杆４２０及び第２綴杆４３０の回転方向と交差する方向にのびる脱係防止部４２８及び脱係防止部４３８が形成されている。
脱係防止部４２８は、頂部側において手前側に向けて突き出る鉤鼻状係止凸部４２８ａと、基部４２０ａ側において向こう側に向けて凹む係止凹部４２８ｂとを有し、自由端側の係止凸部４２８ａから続いて基部４２０ａ側に係止凹部４２８ｂが形成されている。
脱係防止部４３８は、頂部側において向こう側に向けて突き出る鉤鼻状係止凸部４３８ａと、基部４３０ａ側において手前側に向けて凹む係止凹部４３８ｂとを有し、自由端側の係止凸部４３８ａから続いて基部４３０ａ側に係止凹部４３８ｂが形成されている。
第１綴杆４２０と第２綴杆４３０とを閉じたとき、脱係防止部４２８の係止凸部４２８ａは脱係防止部４３８の係止凹部４３８ｂに嵌合され、脱係防止部４３８の係止凸部４３８ａは脱係防止部４２８の係止凹部４２８ｂに嵌合され、係止凸部４２８ａと係止凸部４３８ａとは、第１綴杆４２０と第２綴杆４３０とを回転方向に引いたときに、突き当たる。
第１綴杆の綴杆係止部４２２の脱係防止部４２８は、第２綴杆の綴杆係止部４３２の上部に向けて突き出され、第１綴杆の綴杆係止部４２２と第２綴杆の綴杆係止部４３２とを係合したときに、第２綴杆４３０が上方に向けて衝撃などにより移動することを防止している。
第２綴杆の綴杆係止部４３２の脱係防止部４３８は、第１綴杆の綴杆係止部４２２の上部に向けて突き出され、第１綴杆の綴杆係止部４２２と第２綴杆の綴杆係止部４３２とを係合したときに、第１綴杆４２０が上方に向けて衝撃などにより移動することを防止している。
このように、この実施の形態においては、第１綴杆４２０の基部４２０ａに突設された第１押圧部５４２及び第２綴杆４３０の基部４３０ａに突設された第２押圧部５４４を指で押すことにより、第１綴具部材４１８Ａの第１綴杆４２０を向こう側に移動させ且つ第２綴具部材４１８Ｂの第２綴杆４３０を手前側に移動させて、第１綴杆４２０の半割杆４２０Ａの第１綴杆の綴杆係止部４２２と第２綴杆４３０の半割杆４３０Ａの第２綴杆の綴杆係止部４３２との係合を外すことができる。
なお、閉じるときにおいては、脱係防止部４２８の係止凸部４２８ａと脱係防止部４３８の係止凸部４３８ａとは、突き出たり滑りながら係止凹部４３８ｂ及び係止凹部４２８ｂに嵌まるように、なだらかな傾斜面が自由端から形成されている。
【００８９】
第１綴具部材４１８Ａの第１架設部４４２は、第１架設部４４２と第２綴具部材４１８Ｂの第２架設部４４４とが向き合う領域である第１架設部４４２の対向部４４２ａを備える。
第２綴具部材４１８Ｂの第２架設部４４４は、第１綴具部材４１８Ａの第１架設部４４２と第２架設部４４４とが向き合う領域である第２架設部４４４の対向部４４４ａを備える。
この実施の形態においては、第１架設部４４２及び第２架設部４４４は、略四角柱状である。
そして、第１綴具部材４１８Ａの第１架設部４４２の対向部４４２ａと第２綴具部材４１８Ｂの第２架設部４４４の対向部４４４ａとは、回転方向と略々直交し綴具４１０を閉じたときに垂直にすなわち高さ方向にのびる平面であって、図３１及び図３９に示すように綴具４１０を閉じたときに密着するように形成されている。
【００９０】
前記軸受部４１４は、その側面に、第１綴杆４２０及び第２綴杆４３０の開き角度をリーフ５１０の挿入し易い角度、例えば約６０〜７０度に規制するための第１の開き角規制部４７０及び第２の開き角規制部４７２を形成されている。
第１の開き角規制部４７０は、第１綴具部材４１８Ａの第１軸受部４５０の開口部４５２の口縁部の接合面４５２ａと第２綴具部材４１８Ｂの第２架設部４４４の下端の接合面４４４ｂとから構成され、一方、第２の開き角規制部４７２は、第２綴具部材４１８Ｂの第２軸受部４６０の開口部４６２の口縁部の接合面４６２ａと第１綴具部材４１８Ａの第１架設部４４２の下端の接合面４４２ｂとから構成されている。
そして、綴杆部４１２を閉じたときに、第１綴具部材４１８Ａの第１の開き角規制部４７０の接合面４５２ａと第２綴具部材４１８Ｂの第１の開き角規制部４７０の接合面４４４ｂとは、図３９において示すように、略７０度開いた傾斜面であって対向しており、綴杆部４１２を開いたときに、第１綴具部材４１８Ａの第１の開き角規制部４７０の接合面４５２ａと第２綴具部材４１８Ｂの第１の開き角規制部４７０の接合面４４４ｂとは、図４２において示すように、接し合い、半割杆４２０Ａと半割杆４３０Ａの開き角度を、リーフ５１０の挿入しや易い角度に規制する。
また、綴杆部４１２を閉じたときに、第２綴具部材４１８Ｂの第２の開き角規制部４７２の接合面４６２ａと第１綴具部材４１８Ａの第２の開き角規制部４７２の接合面４４２ｂとは、図３９において示すように、略７０度開いた傾斜面であって対向しており、綴杆部４１２を開いたときに、第２綴具部材４１８Ｂの第２の開き角規制部４７２の接合面４６２ａと第１綴具部材４１８Ａの第２の開き角規制部４７２の接合面４４２ｂとは、図４２において示すように、接し合い、半割杆４２０Ａと半割杆４３０Ａの開き角度を、リーフ５１０の挿入しや易い角度に規制する。
【００９１】
枢軸部４１６並びに第１受け部４８０及び第２受け部４９０は、閉じられた第１綴杆４２０及び第２綴杆４３０の開くことを阻止する軸部回転規制部４７４を端部に形成されている。
前記軸部回転規制部４７４は、第２綴具部材４１８Ｂの手前側の第２軸部５３０ａの手前側に形成された突起部４７６と第１綴具部材４１８Ａの第１軸受部４５０の手前側に切り欠き形成された規制凹部４５６及び第１綴具部材４１８Ａの向こう側の第１軸部５２０ａの向こう側に形成された突起部４７８と第２綴具部材４１８Ｂの第２軸受部４６０の向こう側に切り欠き形成された規制凹部４６６とから構成されており、第２綴具部材４１８Ｂの突起部４７６と第１綴具部材４１８Ａの規制凹部４５６と及び第１綴具部材４１８Ａの突起部４７８と第２綴具部材４１８Ｂの規制凹部４６６とは、綴杆部４１２が閉じられたときに綴杆部４１２の開く方向とは反対側の端縁に係止される面を備えている。
第１綴具部材４１８Ａの突起部４７８は、半割杆４２０Ａ側に、第２綴具部材４１８Ｂの規制凹部４６６の対向部と係止される（綴具４１０の長さ方向にのびる）平面を備えており、第１綴具部材４１８Ａの規制凹部４５６の対向部は、半割杆４２０Ａ側に、第２綴具部材４１８Ｂの突起部４７６と係止される（綴具４１０の長さ方向にのびる）平面を有している。
また、第２綴具部材４１８Ｂの突起部４７６は、半割杆４３０Ａ側に、第１綴具部材４１８Ａの規制凹部４５６の対向部と係止される（綴具４１０の長さ方向にのびる）平面を備えており、第２綴具部材４１８Ｂの規制凹部４６６の対向部は、半割杆４３０Ａ側に、第１綴具部材４１８Ａの突起部４７８と係止される（綴具４１０の長さ方向にのびる）平面を備えている。
更に、他の突起部４７６は、第２綴具部材４１８Ｂの枢軸部４１６（第２軸部５３０ｂ）の手前側と第２受け部４９０の向こう側に枢軸部４１６（第２軸部５３０ｂ）と略々同じ幅と略々同じで、中間の第１軸受部４５０ｂの規制凹部４５６よりわずかに短い長さを有して突設され、他の突起部４７８は、第１綴具部材４１８Ａの枢軸部４１６（第１軸部５２０ｂ）の向こう側と第１受け部４８０の手前側に枢軸部４１６（第１軸部５２０ｂ）と略々同じ幅と略々同じで、中間の第２軸受部４６０ｂの規制凹部４６６よりわずかに短い長さを有して突設されている。
第１受け部４８０の突起部４７８の手前側端と中間の第２軸受部４６０ｂの向こう側端とは、綴杆部４１２を閉鎖したときに隙間があいており、第２受け部４９０の突起部４７６の向こう側端と中間の第１軸受部４５０ｂの手前側端とは、綴杆部４１２を閉鎖したときに隙間があいている。
而して、綴杆部４１２を閉じたときに、第１綴具部材４１８Ａの突起部４７８及び規制凹部４５６の対向部の平面と第２綴具部材４１８Ｂの突起部４７６及び規制凹部４６６の対向部の平面と接し合い、第１綴具部材４１８Ａと第２綴具部材４１８Ｂとを幅方向に引き離す力、綴杆部４１２の径方向に引き離す力が働いても、第１綴具部材４１８Ａの半割杆４２０Ａと第２綴具部材４１８Ｂの半割杆４３０Ａとは離れない。
綴杆部４１２を開くときには、向こう側の第２軸受部４６０ａの規制凹部４６６と突起部４７８とは長さ方向に摺動し、手前側の第１軸受部４５０ａの規制凹部４５６と突起部４７６とは長さ方向に摺動して、且つ第１受け部４８０の突起部４７８と中間の第２軸受部４６０ｂの規制凹部４６６とは摺動し、第２受け部４９０の突起部４７６と中間の第１軸受部４５０ｂの規制凹部４５６とは摺動する。而して、第１綴具部材４１８Ａと第２綴具部材４１８Ｂとは、綴具４１０の長さ方向に相対移動させることができ、第１綴杆４２０と第２綴杆４３０とを綴具４１０の幅方向に開くことができる。
【００９２】
第１綴具部材４１８Ａと第２綴具部材４１８Ｂとは、図３５に示すように対称形に形成されており、分離されている第１綴具部材４１８Ａと第２綴具部材４１８Ｂとは、図３６に示すように、第１綴具部材４１８Ａの突起部４７８の手前側に第２綴具部材４１８Ｂの向こう側の第２軸受部４６０ａの向こう側の先端を位置させ且つ第２綴具部材４１８Ｂの突起部４７６の向こう側に手前側の第１軸受部４５０ａの手前側の先端を位置させて、第１綴具部材４１８Ａの手前側の第１軸受部４５０ａの開口部４５２及び中間の第１軸受部４５０ｂの開口部４５２より第２綴具部材４１８Ｂの手前側の第２軸部５３０ａ及び中間の第２軸部５３０ｂを嵌入させ且つ第２綴具部材４１８Ｂの向こう側の第２軸受部４６０ａの開口部４６２及び中間の第２軸受部４６０ｂの開口部４６２より第１綴具部材４１８Ａの向こう側の第１軸部５２０ａ及び中間の第１軸部５２０ｂを嵌入させて、第１綴具部材４１８Ａと第２綴具部材４１８Ｂとを結合する。
それとともに、第１綴具部材４１８Ａと第２綴具部材４１８Ｂとは、第１綴杆４２０と第２綴杆４３０とを開閉するときに半割杆４２０Ａと半割杆４３０Ａとを綴具４１０の長さ方向に相対変移するように、枢軸部４１６を軸受部４１４に摺動自在に装填されている。
第１綴具部材４１８Ａ及び第２綴具部材４１８Ｂは、第１綴具部材４１８Ａ側の第１軸受部４５０に第２綴具部材４１８Ｂの第２軸部５３０を嵌合され且つ第２綴具部材４１８Ｂ側の第２軸受部４６０に第１綴具部材４１８Ａの第１軸部５２０を嵌合されたときに、対向する第１受け部４８０と第２受け部４９０との間に、収容部４８２を形成されている。
収容部４８２は、弾発部材５０２を装填され、該弾発部材５０２は、第１受け部４８０を手前側に押し且つ第２受け部４９０を向こう側に押して、第１綴具部材４１８Ａの半割杆４２０Ａと第２綴具部材４１８Ｂの半割杆４３０Ａとを強く係止させる。
【００９３】
そして、第１綴杆４２０と第２綴杆４３０とを閉鎖したときに、枢軸部４１６の軸線上において、第１綴具部材４１８Ａは、中間の第１軸受部４５０ｂの手前側端面と第２綴具部材４１８Ｂの第２受け部４９０の向こう側端面とが接し合い、且つ、第２綴具部材４１８Ｂは、中間の第２軸受部４６０ｂの向こう側端面と第１綴具部材４１８Ａの第１受け部４８０の手前側端面とが接し合う。また、第１綴杆４２０と第２綴杆４３０との係合を外して開いたときに、第１綴杆４２０と第２綴杆４３０とを、長さ方向において適宜な位置で開くようにするために、枢軸部４１６の軸線上において、第１綴具部材４１８Ａは、中間の第１軸受部４５０ｂの手前側端面と第２綴具部材４１８Ｂの第２受け部４９０の向こう側端面とが接し合い、且つ、第２綴具部材４１８Ｂは、中間の第２軸受部４６０ｂの向こう側端面と第１綴具部材４１８Ａの第１受け部４８０の手前側端面とが接し合う。
【００９４】
また、第１綴杆４２０と第２綴杆４３０とを閉鎖したときに、隣接する第１綴具部材４１８Ａの中間の第１軸受部４５０ｂの向こう側端縁と第２綴具部材４１８Ｂの向こう側の第２軸受部４６０ａの手前側端縁との間及び隣接する第２綴具部材４１８Ｂの中間の第２軸受部４６０ｂの手前側端縁と第１綴具部材４１８Ａの手前側の第１軸受部４５０ａの向こう側端縁との間に適宜な間隔をあけて整列される。
（第１綴杆４２０と第２綴杆４３０とを閉鎖したときにおける）隣接する第１綴具部材４１８Ａの中間の第１軸受部４５０ｂの向こう側端縁と第２綴具部材４１８Ｂの向こう側の第２軸受部４６０ａの手前側端縁との間及び隣接する第２綴具部材４１８Ｂの中間の第２軸受部４６０ｂの手前側端縁と第１綴具部材４１８Ａの手前側の第１軸受部４５０ａの向こう側端縁との間における適宜な間隔とは、第１綴杆４２０と第２綴杆４３０とを軸受部４１４の長さ方向に相対移動すなわち第２綴杆４３０を手前側に向けて及び第１綴杆４２０を向こう側に向けて相対移動させて、第１綴杆の綴杆係止部４２２と第２綴杆の綴杆係止部４３２とを脱係させるに必要な長さをいう。
【００９５】
また、隣接する第１綴具部材４１８Ａの中間の第１軸受部４５０ｂの手前側端縁と第２綴具部材４１８Ｂの第２受け部４９０の突起部４７６の先端との間及び隣接する第２綴具部材４１８Ｂの中間の第２軸受部４６０ｂの向こう側端縁と第１綴具部材４１８Ａの第１受け部４８０の突起部４７８の先端との間に適宜な間隔をあけて整列される。
【００９６】
この実施の形態においては、弾発部材５０２の押圧力に抗して、第１綴具部材４１８Ａの第１綴杆４２０を向こう側に移動させ且つ第２綴具部材４１８Ｂの第２綴杆４３０を手前側に移動させて、閉鎖していた第１綴杆４２０と第２綴杆４３０とを開く。
この実施の形態においては、第１綴具部材４１８Ａの手前側の第１軸受部４５０ａは、第２綴具部材４１８Ｂの突起部４７６により手前側が塞がれている。又、第２綴具部材４１８Ｂの向こう側の第２軸受部４６０ａは、第１綴具部材４１８Ａの突起部４７８により向こう側が塞がれている。従って、向こう側の第１軸部５２０ａの向こう側端は、向こう側の突起部４７８により向こう側の第２軸受部４６０ａから抜け出ることを防止され、手前側の第２軸部５３０ａの手前側端は、手前側の突起部４７６により手前側の第１軸受部４５０ａから抜け出ることを防止される。
【００９７】
前記軸受部４１４，第１受け部４８０及び第２受け部４９０の幅（幅方向における）は、第１綴具部材４１８Ａの第１架設部４４２と第２綴具部材４１８Ｂの第２架設部４４４とを合わせた幅（幅方向における）と同等又はそれ以下である。又、軸部回転規制部４７４の領域の幅、すなわち、手前側の第１軸受部４５０ａの対向部領域の幅と突起部４７６との幅の和及び向こう側の第２軸受部４６０ａの対向部領域の幅と突起部４７８の幅との和は、第１架設部４４２の幅と第２架設部４４４の幅を合わせた幅と同様又はそれ以下である。
これは、軸受部４１４及び軸部回転規制部４７４の幅が、第１架設部４４２の幅と第２架設部４４４の幅とを合わせた幅と同等又はそれ以下の方が、リーフ５１０を３６０度捲りかえして、枢軸部４１６及び軸部回転規制部４７４を挟んでリーフ５１０の表面と裏面とを比較的間隔をあけずに接し合わせることができるようにするためである。
【００９８】
綴具４１０の中央あたりに存する前記第１綴具部材４１８Ａの第１受け部４８０と第２綴具部材４１８Ｂの第２受け部４９０との間に形成された収容部４８２に、前記枢軸部４１６の長手方向にテンションをかける弾発部材５０２が、圧縮された状態で介装されている。弾発部材５０２は、鋼線をコイル形に巻いて作られたコイルバネにより形成され、筒形のコイルバネの輪の中に第１受け部４８０から収容部４８２側に突設された弾発部材固定凸部４８４と第２受け部４９０から収容部４８２側に突設された弾発部材固定凸部４９４とを挿通されている。
そして、弾発部材５０２は、その向こう側端が第２綴具部材４１８Ｂの第２受け部４９０の手前側端に接し、その手前側端が第１綴具部材４１８Ａの第１受け部４８０の向こう側端に接して、復元力（均一な）によって第１綴具部材４１８Ａを手前側に押し下げ且つ第２綴具部材４１８Ｂを向こう側に押し上げるように構成されている。
而して、弾発部材５０２は、綴杆部４１２を閉じているときには、第１綴杆の綴杆係止部４２２と第２綴杆の綴杆係止部４３２とを係合させる方向に作用している。
第１押圧部５４２及び第２押圧部５４４を指で押すことにより、係止された第１綴杆の綴杆係止部４２２及び第２綴杆の綴杆係止部４３２を外すときには、弾発部材５０２の弾発力に抗して第１綴具部材４１８Ａの第１綴杆４２０を向こう側に移動させ且つ第２綴具部材４１８Ｂの２綴杆４３０を手前側に移動させて、閉じていた第１綴杆４２０と第２綴杆４３０とを開く。更に、第１綴杆４２０と第２綴杆４３０とは、幅方向において外側に（すなわち、第１綴杆４２０を左側（表側）に回転させ、且つ第２綴杆４３０を右側（裏側）に）、回転させて、リーフ５１０を綴じたり外したりし易くすることができる。
【００９９】
綴具４１０は、第１綴杆４２０及び第２綴杆４３０に、リーフ５１０の高さ方向に適宜な間隔をあけて連続して設けられた綴じ穴５１２を貫挿し、リーフ５１０の高さ方向にのびる綴じ代側端縁５１４の側に枢軸部４１６を位置させ、綴じ穴５１２と綴じ代側端縁５１４との間に第１綴杆４２０及び第２綴杆４３０が架け渡されるようにして、リーフ５１０を綴じ、手帳を形成する。
綴具４１０は、綴具４１０の長さ方向が、幅方向にのびる端縁に綴じ穴５１２を形成したリーフ５１０の幅方向にのびるように、リーフ５１０を綴じて、手帳を形成してもよい。
【０１００】
綴具４１０に綴じられたリーフ５１０は、図４３において示すように、枢軸部４１６側に向けて捲りかえされ、閉じられて積層されていたときのリーフの表側５１０ａとリーフの裏側５１０ｂとを枢軸部４１６を挟んで接し合わせるようにして、筆記等に用いることができる。
【０１０１】
この発明の実施の形態によれば、綴杆部４１２及び軸受部４１４は、一対の第１綴具部材４１８Ａ及び第２綴具部材４１８Ｂの各々に形成され、前記綴杆部４１２を構成する綴杆４２０，４３０は、第１綴具部材４１８Ａ側の第１綴杆４２０と第２綴具部材４１８Ｂ側の第２綴杆４３０とが向き合うように、前記軸受部４１４の長手方向に適宜な間隔をおいて、軸受部４１４の外側部ないし上側部から突設されているので、綴杆部４１２を開いたときに綴杆部４１２の最下部が例えば机の天板等の表面に接地して水平安定し易く、且つ綴杆部４１２を適宜な角度に開き易い。
この発明の実施の形態によれば、綴杆部４１２は、前記枢軸部４１６を中心にして左右に分かれた、対称形である第１綴杆４２０及び第２綴杆４３０を備え、前記軸受部４１４は、前記枢軸部４１６を中心にして左右に分かれた、対称形である第１軸受部４５０及び第２軸受部４６０を備えているので、同一の金型で左右の部材を成形することができ、製造がし易い。
この発明の実施の形態によれば、第１架設部４４２と第２架設部４４４とは、回転方向と直交し綴具４１０を閉じたときに垂直にすなわち高さ方向にのびる平面であって、綴具４１０を閉じたときに密着するように形成すれば、綴具４１０を閉じたときに第１綴杆の綴杆係止部４２２と第２綴杆の綴杆係止部４３２との係合状態を安定的に保つことができ、綴杆部４１２を構成する第１綴杆４２０と第２綴杆４３０とにより構成される円環状の径を縮むように作用することを少なくすることができる。
この発明の実施の形態によれば、向こう側の第２軸受部４６０ａと中間の第１軸受部４５０ｂ及び手前側の第１軸受部４５０ａと中間の第２軸受部４６０ｂとは、前記枢軸部４１６の長手方向に間欠的に形成され、綴杆部４１２が前記枢軸部４１６を中心にして回転し且つ綴杆部４１２を開閉するときに長手方向に相対変移するように形成されているので、複数の綴杆４２０，４３０で構成される綴杆部４１２を一度に開閉させることができる。
この発明の実施の形態によれば、枢軸部４１６は、断面略々円形の棒状であり、前記軸受部４１４は、全体が弧状で、その内側の円弧部に前記枢軸部４１６を装填され、且つ、前記綴杆４２０，４３０の張り出し方向とは反対方向に張り出すように、前記軸受部４１４が連設されているので、複数の綴杆４２０，４３０で構成される綴杆部４１２を一度に開閉させることができ、且つ、綴杆部４１２の最下部が例えば机の天板等の表面に接地して水平に安定し易く、且つ綴杆部４１２を適宜な角度に開き易い。
この発明の実施の形態によれば、綴杆４２０，４３０の基部４２０ａ，４３０ａは、軸受部４１４の下部と同じ位置に、下部が位置するように形成されているので、綴杆部４１２を開いたときに綴杆部４１２の最下部が例えば机の天板等の表面に接地して水平に安定し易く、且つ綴杆部４１２を適宜な角度に開き易い。
この発明の実施の形態によれば、軸受部４１４，第１受け部４８０及び第２受け部４９０の幅は、第１架設部４４２の幅と第２架設部４４４の幅との和と同等又はそれ以下であるので、第１架設部４４２及び第２架設部４４４の幅よりはみ出すことがなく、リーフ５１０を綴杆４２０，４３０に沿って捲り、３６０度開いたときにリーフ５１０の表側と裏側との間の隙間が少なく、比較的平坦となり、筆記もし易い。
この発明の実施の形態によれば、綴杆係止部４２２，４３２は、綴杆４２０，４３０の回転方向において係止及び脱係するように、第１綴杆４２０の凸部４２４及び凹部４２６と第２綴杆４３０の凹部４３６及び凸部４３４とが係合するように構成され、且つ、綴杆部４１２を閉じたとき、綴杆４２０，４３０の回転方向及び回転方向と交差する方向に脱係しないように綴杆４２０，４３０の回転方向と交差する方向にのびる脱係防止部４２８，４３８が形成されているので、綴杆４２０，４３０の回転方向及び回転方向と交差する方向に、閉じられた綴杆の綴杆係止部４２２，４３２が脱係しにくい。
【０１０２】
この発明の実施の綴具４１０は、その綴杆部４１２に、リーフ５１０の綴じ穴５１２を貫挿させて綴じられた、手帳を構成でき、又、表表紙と裏表紙と背表紙とを備えた表紙に固定して、ファイル・バインダ類を構成できる。
【０１０３】
この発明は、前記実施の形態に限らず、この発明の思想に基づき種々変更することができる。
前記実施の形態においては、８穴及び１６穴用のリーフ５１０を綴じるように、８本の綴杆で構成されていたが、それ以下又はそれ以上の多穴のリーフを綴じることができるように綴杆の数を変更してもよい。
【０１０４】
図４４は、図１図示実施の形態である綴具１０の変形例である。
第１軸受部５０と第２軸受部６０とは、図４４Ａ及び４４Ｂにおいて示すように、綴杆部１２を閉じたとき対向部５６及び対向部６６において接し合うように構成され、第１綴杆の綴杆係止部２２と第２綴杆の綴杆係止部３２とは、第１軸受部５０と第２軸受部６０の対向部が接し合うとき、密に係合しないように、構成してもよい。
また、対向部５６及び対向部６６は、次のように構成してもよい。
第１軸受部５０の対向部５６は、図４４Ｃ及び図４４Ｄにおいて示すように、その表面に第２軸受部６０の対向部６６との間隔をあけるための凸部５６ａを形成され、且つ、第２軸受部６０の対向部６６は、その表面に第１軸受部５０の対向部５６との間隔をあけるための凸部６６ａを形成されている。
第１綴杆２０及び第２綴杆３０は、弾力性を有しており、綴杆部１２を閉じるとき、第１軸受部５０の対向部５６と第２軸受部６０の対向部６６とが接し合ったときに離れている第１綴杆２０と第２綴杆３０とを幅方向に押して、第１綴杆の綴杆係止部２２と第２綴杆３０の第２綴杆の綴杆係止部３２とを係合させるように構成されている。
而して、第１綴杆の綴杆係止部２２と第２綴杆の綴杆係止部３２とは、一旦係止されると、第１綴杆２０と第２綴杆３０の無負荷のときの状態に戻ろうとする第１綴杆２０及び第２綴杆３０の復元力により、強く係合される。なお、弾発部材１０２は、第１固定先端部１０２ｂ及び第２固定先端部１０２ｃを形成されない巻線部１０２ａのみのコイルバネ（図６Ａ図示）装填されている。
【０１０５】
押圧部１４０は、第１綴杆２０の基部２０ａ及び第２綴杆３０の基部３０ａと一体的に形成されていなくてもよい。
例えば、押圧部１４０は、図４５において示すように、第１綴杆２０の基部２０ａに穿設された押圧部１４０の固定穴２０ｈに、押圧部１４０の押圧領域とは反対側の端面に突設された固定凸部１４０ｐを嵌合し固定された構成としてもよい。
【０１０６】
図４６は、図２１図示実施の形態である綴具の変形例である綴具の斜視図解図であり、図４７は、図２１図示実施の形態である綴具の変形例である綴具の平面図解図であり、図４８は、図２１図示実施の形態である綴具の変形例である綴具の平面図解図であり、（Ａ）は綴杆を閉じた状態の図であり、（Ｂ）は綴杆を開き始めた状態の図であり、図４９は、図２１図示実施の形態である綴具の変形例である綴具の正面図解図である。
この綴具２１０は、複数の綴杆部２１２と、前記綴杆部２１２を連結するための連結部２１４と、前記綴杆部２１２を構成する第１綴杆２２０と第２綴杆２３０とを開閉させるときの中心となるシャフト部３００を有する枢結部２１６とを備える。
前記綴杆部２１２を構成する綴杆は、一対の第１綴杆２２０と第２綴杆２３０とが向き合うように、前記連結部２１４を構成する一対の第１連結部２５０と第２連結部２６０との各々に、その長手方向に適宜な間隔をおいて、連結部２１４の上側部から突設されている。
前記連結部２１４は、下部において第１綴杆２２０及び第２綴杆２３０の基部と近接した位置に枢結部２１６を連設されている。
前記枢結部２１６は、分離された、第１受け部２８０及び第１収容部２８２と第２受け部２９０及び第２収容部２９２とを備えており、前記連結部２１４の長手方向にのびて一対の第１連結部２５０と第２連結部２６０とを連結するように構成されている。
第１綴杆２２０及び第２綴杆２３０の基部は、第１連結部２５０及び第２連結部２６０の下部と同じ位置に、その第１綴杆２２０及び第２綴杆２３０の外周部の下部が位置するように形成され、枢結部２１６を構成する第１受け部２８０及び第２受け部２９０は、第１連結部２５０及び第２連結部２６０の下部と同じ位置に、その上部が位置するように形成されている。
【０１０７】
第２綴具部材２１８Ｂを構成する第２綴杆２３０，第２連結部２６０及び第２受け部２９０の側部に、連続して、手帳の表紙の内面に綴具２１０を取り付けるための取り付け部３６０を連設されている。
綴具２１０は、取り付け部３６０に貫設された貫通孔３６２に貫挿されたリベットないしはハトメ３６４で手帳の表紙に固定されている。取り付け部３６０は、第２綴具部材２１８Ｂの手前側から向こう側に至る長さ方向を有する方形状であり、その裏面が表紙に取り付けられるように平面状に形成されている。
【０１０８】
押圧部３４０は、前記実施の形態においては、押圧部３４０を直接的に指で押すように構成されているが、次のように、間接的に押すように構成されてもよい。
図２１図示綴具２１０の第２綴杆２３０は、連結部２１４の長手方向に第１綴杆２２０又は第２綴杆２３０を変位させて第１綴杆の綴杆係止部２２２及び第２綴杆の綴杆係止部２３２を脱係させるための押圧部３４０が形成されている。すなわち、押圧部３４０は、第２連結部２６０の下方の下端部に突設された押圧部３４０によって構成されている。
【０１０９】
押圧部３４０は、第２連結部２６０の下方の下端部から、第２綴杆の綴杆係止部２３２を脱係する方向とは反対側すなわち手前側（下方）に向けてのびる円柱状棒体であり、第２綴杆２３０の基部２３０ａの近傍で第２綴杆２３０を開く方向とは反対側の面に形成されている。
前記第１押圧部３４２の先端と適宜な間隔をおいて、操作部３４６が取り付け部３６０に形成されている。
操作部３４６は、取り付け部３６０の上部から綴杆部２１２ののびる方向に向けて突設された、柔軟性を有する板状体で構成され、指で第１押圧部３４２側に向けて押すと、撓むように構成されている。
而して、操作部３４６は、第１押圧部３４２と対向する面とは反対側の面すなわち背中合わせの面を第１押圧部３４２に向けて押すことに、第１綴杆の綴杆係止部２２２を第２綴杆の綴杆係止部２３２から外すことができる。
【０１１０】
取り付け部５６０は、図５０において示すように、綴具４１０の押圧部５４０を押す操作部を形成していない構成としてもよい。図５０図示例においては、取り付け部５６０は、第２綴具部材４１８Ｂの軸受部４１４に連設されている。
【０１１１】
図３０図示綴具４１０は、第１綴杆４２０及び第２綴杆４３０を撓み易くして、相対移動を容易にするために、綴杆の数を減らしてもよい。
【産業上の利用可能性】
【０１１２】
この発明にかかる綴具は、手帳類のほか、ファイル・バインダ類を構成する表紙の背表紙領域の内側に固定して、用いることができ、又、単独で用いてもよい。
【図１】
2012114564.tif 000003
【図２】
2012114564.tif 000004
【図３】
2012114564.tif 000005
【図４】
2012114564.tif 000006
【図５】
2012114564.tif 000007
【図６Ａ】
2012114564.tif 000008
【図６Ｂ】
2012114564.tif 000009
【図６Ｃ】
2012114564.tif 000010
【図６Ｄ】
2012114564.tif 000011
【図７】
2012114564.tif 000012
【図８】
2012114564.tif 000013
【図９】
2012114564.tif 000014
【図１０】
2012114564.tif 000015
【図１１】
2012114564.tif 000016
【図１２】
2012114564.tif 000017
【図１３】
2012114564.tif 000018
【図１４】
2012114564.tif 000019
【図１５】
2012114564.tif 000020
【図１６】
2012114564.tif 000021
【図１７】
2012114564.tif 000022
【図１８】
2012114564.tif 000023
【図１９】
2012114564.tif 000024
【図２０】
2012114564.tif 000025
【図２１】
2012114564.tif 000026
【図２２】
2012114564.tif 000027
【図２３】
2012114564.tif 000028
【図２４】
2012114564.tif 000029
【図２５】
2012114564.tif 000030
【図２６】
2012114564.tif 000031
【図２７】
2012114564.tif 000032
【図２８】
2012114564.tif 000033
【図２９】
2012114564.tif 000034
【図３０】
2012114564.tif 000035
【図３１Ａ】
2012114564.tif 000036
【図３１Ｂ】
2012114564.tif 000037
【図３２】
2012114564.tif 000038
【図３３】
2012114564.tif 000039
【図３４】
2012114564.tif 000040
【図３５】
2012114564.tif 000041
【図３６】
2012114564.tif 000042
【図３７】
2012114564.tif 000043
【図３８】
2012114564.tif 000044
【図３９Ａ】
2012114564.tif 000045
【図３９Ｂ】
2012114564.tif 000046
【図３９Ｃ】
2012114564.tif 000047
【図４０】
2012114564.tif 000048
【図４１】
2012114564.tif 000049
【図４２Ａ】
2012114564.tif 000050
【図４２Ｂ】
2012114564.tif 000051
【図４２Ｃ】
2012114564.tif 000052
【図４３】
2012114564.tif 000053
【図４４Ａ】
2012114564.tif 000054
【図４４Ｂ】
2012114564.tif 000055
【図４４Ｃ】
2012114564.tif 000056
【図４４Ｄ】
2012114564.tif 000057
【図４５】
2012114564.tif 000058
【図４６】
2012114564.tif 000059
【図４７】
2012114564.tif 000060
【図４８】
2012114564.tif 000061
【図４９】
2012114564.tif 000062
【図５０】
2012114564.tif 000063
【図５１】
2012114564.tif 000064
【図５２】
2012114564.tif 000065
【手続補正書】
【提出日】平成24年12月28日(2012.12.28)
【手続補正１】
【補正対象書類名】明細書
【補正対象項目名】０００５
【補正方法】変更
【補正の内容】
【０００５】
この発明にかかる綴具は、複数の綴杆部、前記複数の綴杆部を連結するための連結領域、前記綴杆部を構成する綴杆を開閉させるときの中心となる枢結領域を備える第１綴具部材及び第２綴具部材と、枢結領域に介装された弾発部材とを有する、綴具であって、前記綴杆部を構成する綴杆は、第１綴具部材の綴杆と第２綴具部材の綴杆とが向き合うように、前記第１綴具部材の連結領域及び第２綴具部材の連結領域及び／又は枢結領域の長手方向に、適宜な間隔をおいて、第１綴具部材及び第２綴具部材の各々の連結領域及び／又は枢結領域から突設され、前記綴杆部は、連結領域及び／又は枢結領域に連設された綴杆の基部とは反対側の自由端に、綴杆を閉鎖したときに係止するための綴杆係止部を形成され、前記綴杆係止部は、係止する綴杆の回転方向と交差する方向に、係止する綴杆を相対移動して係止又は脱係するように形成され、前記枢結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、前記弾発部材は、綴杆部を閉鎖しているときに、第１綴杆の綴杆係止部と第２綴杆の綴杆係止部とを係合させるように形成され、前記第１綴具部材及び／又は第２綴具部材は、前記綴杆を開閉させるときの中心ののびる方向における連結領域及び／又は枢結領域の端部の領域に、押圧部が突設され、前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域及び／又は枢結領域の端部の領域に突設され、前記中心ののびる方向に第１綴具部材及び／又は第２綴具部材を変位させるように形成され、前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成された、綴具である。
この発明の請求項２にかかる綴具においては、前記連結領域は、第１綴杆を構成する半割杆及び第２綴杆を構成する半割杆を、隣接する半割杆と半割杆との間に適宜な間隔をおいて並列させるように、半割杆と半割杆との間に跨って形成され、前記枢結領域は、第１綴具部材と第２綴具部材とを、枢結部を中心にして連結し、綴杆部を開閉するときの回転の中心となる領域である、請求項１に記載の綴具である。
この発明の請求項３にかかる綴具においては、前記連結部は、枢結領域の枢結部を中心にして左右に分かれた、第１綴具部材の第１連結部及び第２綴具部材の第２連結部を備え、前記第１連結部及び第２連結部は、長手方向に直線状にのびる略柱状であり、前記枢結領域の枢結部は、第１連結部に連設された第１受け部と、第２連結部に連設された第２受け部とを備え、前記第１受け部及び第２受け部は、係止する第１綴杆及び第２綴杆の回転方向に交差する方向において、間欠的に形成され、隣接する第１綴具部材の第１受け部と第２綴具部材の第２受け部とは、第１綴杆と第２綴杆とを閉鎖したときに、枢結部の軸線上において、適宜な間隔をあけて整列され、第１綴杆及び第２綴杆は、開閉するときに、前記第１受け部及び第２受け部を中心として回転し、且つ前記第１受け部及び第２受け部の長手方向に相対変位するように形成された、請求項１又は請求項２に記載の綴具である。
この発明の請求項４にかかる綴具においては、前記押圧部は、第１綴杆及び／又は第２綴杆、第１連結部及び／又は第２連結部、第１架設部及び／又は第２架設部、枢結領域の前記中心ののびる方向における端部の領域において、突設された押し棒によって構成された、請求項１ないし請求項３のいずれかに記載の綴具である。
この発明の請求項５にかかる綴具においては、前記枢結部は、シャフト部とシャフト部の受け部とを備え、前記シャフト部は、前記連結領域の長手方向にのび、第１綴具部材及び第２綴具部材の一対の連結領域を連結し、前記受け部は、前記連結領域の長手方向にのび、前記綴杆部及び／又は連結領域に連設され、且つシャフト部を装填するための開口部を側面に形成され、前記押圧部は、前記枢結部ののびる方向における一端又は両端の領域において突設された、請求項１ないし請求項４のいずれかに記載の綴具である。
この発明の請求項６にかかる綴具においては、前記連結領域は、枢結領域及び架設部により構成され、前記枢結領域は、前記綴杆部を連結する軸受部と、前記綴杆部を連結して前記綴杆部を構成する綴杆を開閉させるときの中心となる枢軸部とを備え、前記綴杆部を構成する綴杆は、一対の綴杆が向き合うように、前記綴杆部を連結する軸受部及び枢軸部の各々にその長手方向に適宜な間隔をおいて、軸受部及び枢軸部の外側部ないし上側部から突設され、前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、枢軸部を装填するための開口部を側面に形成され、前記開口部に続く内面が円弧状の軸受凹部を形成され、前記枢軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、枢結領域は、前記綴杆の先端を合わせて閉鎖するとき及び綴杆の先端を離間させるときに回転中心となるように構成され、前記押圧部は、前記枢結部ののびる方向における一端又は両端の領域において突設された、請求項１ないし請求項４のいずれかに記載の綴具である。
この発明の請求項７にかかる綴具は、前記第１受け部の収容部と第２受け部の受け部との間及び／又は第２受け部の収容部と第１受け部の受け部との間に、前記シャフト部の長手方向に引張力又は圧縮力をかける弾発部材が介装された、請求項５に記載の綴具である。
この発明の請求項８にかかる綴具は、前記綴杆部の基部に連設された第１受け部の収容部と綴杆部の基部に連設された第２受け部の収容部との間に、前記枢結領域の長手方向に圧縮し且つ弾発力をかける弾発部材が介装され、前記第１受け部及び第２受け部並びに弾発部材は、前記綴杆の先端を合わせて閉鎖するとき及び綴杆の先端を離間させるときに回転中心となるように構成された、請求項６に記載の綴具である。
この発明の請求項９にかかる綴具においては、弾発部材は、ねじりコイルバネからなり、巻線部と巻線部の両端から巻線部の中心軸と直交ないし交差する方向に伸びる直線状の第１固定先端部と直線状の第２固定先端部とが連設され、ねじりモーメントが発生しない元の状態は、巻線部の外方に第１固定先端部と第２固定先端部とが突き出され、一方の第１固定先端部は、押圧部を指で押すことにより、係止された第１綴杆の綴杆係止部及び第２綴杆の綴杆係止部を外すとき、移動する方向とは反対側にある第１連結部の支持部に支持され、また、もう一方の第２固定先端部は、押圧部を指で押すことにより、係止された第１綴杆の綴杆係止部及び第２綴杆の綴杆係止部を外すとき、移動する方向とは反対側にある第２連結部の支持部に支持され、第１固定先端部と第２固定先端部とは、向き合うように、第１連結部及び第２連結部に支持され、第１綴杆及び第２綴杆ののびる方向において第１綴杆及び／又は第２綴杆を反対方向に回転させるように構成された、請求項７又は請求項８に記載の綴具である。
この発明の請求項１０にかかる綴具は、前記複数の綴杆部を連結するための連結領域に、弾発部材が介装され、前記弾発部材は、巻線部を備えた、請求項１又は請求項２に記載の綴具である。
この発明の請求項１１にかかる綴具は、綴杆及び／又は連結部及び／又は受け部及び／又は軸受部に、表紙に取り付けるための取り付け部が連設された、請求項１ないし請求項１０のいずれかに記載の綴具である。
【手続補正２】
【補正対象書類名】明細書
【補正対象項目名】０００６
【補正方法】変更
【補正の内容】
【０００６】
この発明の請求項１にかかる綴具によれば、複数の綴杆部、前記複数の綴杆部を連結するための連結領域、前記綴杆部を構成する綴杆を開閉させるときの中心となる枢結領域を備える第１綴具部材及び第２綴具部材と、枢結領域に介装された弾発部材とを有する、綴具であって、前記綴杆部を構成する綴杆は、第１綴具部材の綴杆と第２綴具部材の綴杆とが向き合うように、前記第１綴具部材の連結領域及び第２綴具部材の連結領域及び／又は枢結領域の長手方向に、適宜な間隔をおいて、第１綴具部材及び第２綴具部材の各々の連結領域及び／又は枢結領域から突設され、前記綴杆部は、連結領域及び／又は枢結領域に連設された綴杆の基部とは反対側の自由端に、綴杆を閉鎖したときに係止するための綴杆係止部を形成され、前記綴杆係止部は、係止する綴杆の回転方向と交差する方向に、係止する綴杆を相対移動して係止又は脱係するように形成され、前記枢結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、前記弾発部材は、綴杆部を閉鎖しているときに、第１綴杆の綴杆係止部と第２綴杆の綴杆係止部とを係合させるように形成され、前記第１綴具部材及び／又は第２綴具部材は、前記綴杆を開閉させるときの中心ののびる方向における連結領域及び／又は枢結領域の端部の領域に、押圧部が突設され、前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域及び／又は枢結領域の端部の領域に突設され、前記中心ののびる方向に第１綴具部材及び／又は第２綴具部材を変位させるように形成され、前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成されているので、リーフの差し換えをし易いように綴杆を開き易く且つ閉じ易い綴具を提供することをできる。
この発明の請求項２にかかる綴具によれば、前記連結領域は、第１綴杆を構成する半割杆及び第２綴杆を構成する半割杆を、隣接する半割杆と半割杆との間に適宜な間隔をおいて並列させるように、半割杆と半割杆との間に跨って形成され、前記枢結領域は、第１綴具部材と第２綴具部材とを、枢結部を中心にして連結し、綴杆部を開閉するときの回転の中心となる領域であるので、半割杆の開閉を比較的容易にでき、確実に半割杆を閉じることができる。
この発明の請求項３にかかる綴具によれば、前記連結部は、枢結領域の枢結部を中心にして左右に分かれた、第１綴具部材の第１連結部及び第２綴具部材の第２連結部を備え、前記第１連結部及び第２連結部は、長手方向に直線状にのびる略柱状であり、前記枢結領域の枢結部は、第１連結部に連設された第１受け部と、第２連結部に連設された第２受け部とを備え、前記第１受け部及び第２受け部は、係止する第１綴杆及び第２綴杆の回転方向に交差する方向において、間欠的に形成され、隣接する第１綴具部材の第１受け部と第２綴具部材の第２受け部とは、第１綴杆と第２綴杆とを閉鎖したときに、枢結部の軸線上において、適宜な間隔をあけて整列され、第１綴杆及び第２綴杆は、開閉するときに、前記第１受け部及び第２受け部を中心として回転し、且つ前記第１受け部及び第２受け部の長手方向に相対変位するように形成されているので、第１綴杆及び第２綴杆の開閉を比較的容易にでき、確実に第１綴杆及び第２綴杆を閉じることができる。
この発明の請求項４にかかる綴具によれば、前記押圧部は、第１綴杆及び／又は第２綴杆、第１連結部及び／又は第２連結部、第１架設部及び／又は第２架設部、枢結領域の前記中心ののびる方向における端部の領域において、突設された押し棒によって構成されているので、指で押圧部を押して綴杆のうち対向する一方の複数の綴杆を、対向する他方の複数の綴杆の係止部から脱係させることができる。
この発明の請求項５にかかる綴具によれば、前記枢結部は、シャフト部とシャフト部の受け部とを備え、前記シャフト部は、前記連結領域の長手方向にのび、第１綴具部材及び第２綴具部材の一対の連結領域を連結し、前記受け部は、前記連結領域の長手方向にのび、前記綴杆部及び／又は連結領域に連設され、且つシャフト部を装填するための開口部を側面に形成され、前記押圧部は、前記枢結部ののびる方向における一端又は両端の領域において突設されているので、指で押圧部を押して綴杆のうち対向する一方の複数の綴杆を、対向する他方の複数の綴杆の係止部から脱係させることができる。
この発明の請求項６にかかる綴具によれば、前記連結領域は、枢結領域及び架設部により構成され、前記枢結領域は、前記綴杆部を連結する軸受部と、前記綴杆部を連結して前記綴杆部を構成する綴杆を開閉させるときの中心となる枢軸部とを備え、前記綴杆部を構成する綴杆は、一対の綴杆が向き合うように、前記綴杆部を連結する軸受部及び枢軸部の各々にその長手方向に適宜な間隔をおいて、軸受部及び枢軸部の外側部ないし上側部から突設され、前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、枢軸部を装填するための開口部を側面に形成され、前記開口部に続く内面が円弧状の軸受凹部を形成され、前記枢軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、枢結領域は、前記綴杆の先端を合わせて閉鎖するとき及び綴杆の先端を離間させるときに回転中心となるように構成され、前記押圧部は、前記枢結部ののびる方向における一端又は両端の領域において突設されているので、指で押圧部を押して綴杆のうち対向する一方の複数の綴杆を、対向する他方の複数の綴杆の係止部から脱係させることができる。
この発明の請求項７にかかる綴具によれば、前記第１受け部の収容部と第２受け部の受け部との間及び／又は第２受け部の収容部と第１受け部の受け部との間に、前記シャフト部の長手方向に引張力又は圧縮力をかける弾発部材が介装されているので、指で押圧部を押して綴杆のうち対向する一方の複数の綴杆を、対向する他方の複数の綴杆の係止部から脱係させることができる。
この発明の請求項８にかかる綴具によれば、前記綴杆部の基部に連設された第１受け部の収容部と綴杆部の基部に連設された第２受け部の収容部との間に、前記枢結領域の長手方向に圧縮し且つ弾発力をかける弾発部材が介装され、前記第１受け部及び第２受け部並びに弾発部材は、前記綴杆の先端を合わせて閉鎖するとき及び綴杆の先端を離間させるときに回転中心となるように構成されているので、綴杆部の開閉を比較的容易にでき、確実に綴杆部を閉じることができる。
この発明の請求項９にかかる綴具によれば、弾発部材は、ねじりコイルバネからなり、巻線部と巻線部の両端から巻線部の中心軸と直交ないし交差する方向に伸びる直線状の第１固定先端部と直線状の第２固定先端部とが連設され、ねじりモーメントが発生しない元の状態は、巻線部の外方に第１固定先端部と第２固定先端部とが突き出され、一方の第１固定先端部は、押圧部を指で押すことにより、係止された第１綴杆の綴杆係止部及び第２綴杆の綴杆係止部を外すとき、移動する方向とは反対側にある第１連結部の支持部に支持され、また、もう一方の第２固定先端部は、押圧部を指で押すことにより、係止された第１綴杆の綴杆係止部及び第２綴杆の綴杆係止部を外すとき、移動する方向とは反対側にある第２連結部の支持部に支持され、第１固定先端部と第２固定先端部とは、向き合うように、第１連結部及び第２連結部に支持され、第１綴杆及び第２綴杆ののびる方向において第１綴杆及び／又は第２綴杆を反対方向に回転させるように構成されているので、綴杆部の開閉を比較的容易にでき、確実に綴杆部を閉じることができる。
この発明の請求項１０にかかる綴具によれば、前記複数の綴杆部を連結するための連結領域に、弾発部材が介装され、前記弾発部材は、巻線部を備えているので、綴杆部の開閉を比較的容易にでき、確実に綴杆部を閉じることができる。
この発明の請求項１１にかかる綴具によれば、綴杆及び／又は連結部及び／又は受け部及び／又は軸受部に、表紙に取り付けるための取り付け部が連設されているので、表紙に綴具を取り付けた手帳類、ファイル・バインダ類を得ることができる。
【手続補正３】
【補正対象書類名】明細書
【補正対象項目名】００６０
【補正方法】変更
【補正の内容】
【００６０】
そして、第１綴杆の綴杆係止部２２２及び第２綴杆の綴杆係止部２３２は、図２９において示すように、第１押圧部３４２に例えば親指を当て、第２綴杆２３０を他方の手の指で摘み、第１押圧部３４２を向こう側（上方）に向けて押して、脱係させる。
そして、第１綴杆２２０は、図２９において示すように、第１綴杆２２０及び第２綴杆２３０ののびる方向において反対方向に回転させて、綴杆部２１２を開く。
【手続補正４】
【補正対象書類名】特許請求の範囲
【補正対象項目名】全文
【補正方法】変更
【補正の内容】
【特許請求の範囲】
【請求項１】
複数の綴杆部、前記複数の綴杆部を連結するための連結領域、前記綴杆部を構成する綴杆を開閉させるときの中心となる枢結領域を備える第１綴具部材及び第２綴具部材と、枢結領域に介装された弾発部材とを有する、綴具であって、
前記綴杆部を構成する綴杆は、第１綴具部材の綴杆と第２綴具部材の綴杆とが向き合うように、前記第１綴具部材の連結領域及び第２綴具部材の連結領域及び／又は枢結領域の長手方向に、適宜な間隔をおいて、第１綴具部材及び第２綴具部材の各々の連結領域及び／又は枢結領域から突設され、
前記綴杆部は、連結領域及び／又は枢結領域に連設された綴杆の基部とは反対側の自由端に、綴杆を閉鎖したときに係止するための綴杆係止部を形成され、
前記綴杆係止部は、係止する綴杆の回転方向と交差する方向に、係止する綴杆を相対移動して係止又は脱係するように形成され、
前記枢結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、
前記弾発部材は、綴杆部を閉鎖しているときに、第１綴杆の綴杆係止部と第２綴杆の綴杆係止部とを係合させるように形成され、
前記第１綴具部材及び／又は第２綴具部材は、前記綴杆を開閉させるときの中心ののびる方向における連結領域及び／又は枢結領域の端部の領域に、押圧部が突設され、
前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域及び／又は枢結領域の端部の領域に突設され、前記中心ののびる方向に第１綴具部材及び／又は第２綴具部材を変位させるように形成され、
前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成された、綴具。
【請求項２】
前記連結領域は、第１綴杆を構成する半割杆及び第２綴杆を構成する半割杆を、隣接する半割杆と半割杆との間に適宜な間隔をおいて並列させるように、半割杆と半割杆との間に跨って形成され、
前記枢結領域は、第１綴具部材と第２綴具部材とを、枢結部を中心にして連結し、綴杆部を開閉するときの回転の中心となる領域である、請求項１に記載の綴具。
【請求項３】
前記連結部は、枢結領域の枢結部を中心にして左右に分かれた、第１綴具部材の第１連結部及び第２綴具部材の第２連結部を備え、
前記第１連結部及び第２連結部は、長手方向に直線状にのびる略柱状であり、
前記枢結領域の枢結部は、第１連結部に連設された第１受け部と、第２連結部に連設された第２受け部とを備え、
前記第１受け部及び第２受け部は、係止する第１綴杆及び第２綴杆の回転方向に交差する方向において、間欠的に形成され、
隣接する第１綴具部材の第１受け部と第２綴具部材の第２受け部とは、第１綴杆と第２綴杆とを閉鎖したときに、枢結部の軸線上において、適宜な間隔をあけて整列され、
第１綴杆及び第２綴杆は、開閉するときに、前記第１受け部及び第２受け部を中心として回転し、且つ前記第１受け部及び第２受け部の長手方向に相対変位するように形成された、請求項１又は請求項２に記載の綴具。
【請求項４】
前記押圧部は、
第１綴杆及び／又は第２綴杆、第１連結部及び／又は第２連結部、第１架設部及び／又は第２架設部、枢結領域の前記中心ののびる方向における端部の領域において、突設された押し棒によって構成された、請求項１ないし請求項３のいずれかに記載の綴具。
【請求項５】
前記枢結部は、
シャフト部とシャフト部の受け部とを備え、
前記シャフト部は、前記連結領域の長手方向にのび、第１綴具部材及び第２綴具部材の一対の連結領域を連結し、
前記受け部は、前記連結領域の長手方向にのび、前記綴杆部及び／又は連結領域に連設され、且つシャフト部を装填するための開口部を側面に形成され、
前記押圧部は、
前記枢結部ののびる方向における一端又は両端の領域において突設された、請求項１ないし請求項４のいずれかに記載の綴具。
【請求項６】
前記連結領域は、枢結領域及び架設部により構成され、
前記枢結領域は、前記綴杆部を連結する軸受部と、前記綴杆部を連結して前記綴杆部を構成する綴杆を開閉させるときの中心となる枢軸部とを備え、
前記綴杆部を構成する綴杆は、一対の綴杆が向き合うように、前記綴杆部を連結する軸受部及び枢軸部の各々にその長手方向に適宜な間隔をおいて、軸受部及び枢軸部の外側部ないし上側部から突設され、
前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、枢軸部を装填するための開口部を側面に形成され、前記開口部に続く内面が円弧状の軸受凹部を形成され、
前記枢軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、
枢結領域は、前記綴杆の先端を合わせて閉鎖するとき及び綴杆の先端を離間させるときに回転中心となるように構成され、
前記押圧部は、前記枢結部ののびる方向における一端又は両端の領域において突設された、請求項１ないし請求項４のいずれかに記載の綴具。
【請求項７】
前記第１受け部の収容部と第２受け部の受け部との間及び／又は第２受け部の収容部と第１受け部の受け部との間に、
前記シャフト部の長手方向に引張力又は圧縮力をかける弾発部材が介装された、請求項５に記載の綴具。
【請求項８】
前記綴杆部の基部に連設された第１受け部の収容部と綴杆部の基部に連設された第２受け部の収容部との間に、
前記枢結領域の長手方向に圧縮し且つ弾発力をかける弾発部材が介装され、
前記第１受け部及び第２受け部並びに弾発部材は、前記綴杆の先端を合わせて閉鎖するとき及び綴杆の先端を離間させるときに回転中心となるように構成された、請求項６に記載の綴具。
【請求項９】
弾発部材は、ねじりコイルバネからなり、巻線部と巻線部の両端から巻線部の中心軸と直交ないし交差する方向に伸びる直線状の第１固定先端部と直線状の第２固定先端部とが連設され、ねじりモーメントが発生しない元の状態は、巻線部の外方に第１固定先端部と第２固定先端部とが突き出され、
一方の第１固定先端部は、押圧部を指で押すことにより、係止された第１綴杆の綴杆係止部及び第２綴杆の綴杆係止部を外すとき、移動する方向とは反対側にある第１連結部の支持部に支持され、また、もう一方の第２固定先端部は、押圧部を指で押すことにより、係止された第１綴杆の綴杆係止部及び第２綴杆の綴杆係止部を外すとき、移動する方向とは反対側にある第２連結部の支持部に支持され、
第１固定先端部と第２固定先端部とは、向き合うように、第１連結部及び第２連結部に支持され、
第１綴杆及び第２綴杆ののびる方向において第１綴杆及び／又は第２綴杆を反対方向に回転させるように構成された、請求項７又は請求項８に記載の綴具。
【請求項１０】
前記複数の綴杆部を連結するための連結領域に、弾発部材が介装され、
前記弾発部材は、巻線部を備えた、請求項１又は請求項２に記載の綴具。
【請求項１１】
綴杆及び／又は連結部及び／又は受け部及び／又は軸受部に、表紙に取り付けるための取り付け部が連設された、請求項１ないし請求項１０のいずれかに記載の綴具。
【手続補正書】
【提出日】平成25年9月26日(2013.9.26)
【手続補正１】
【補正対象書類名】明細書
【補正対象項目名】０００５
【補正方法】変更
【補正の内容】
【０００５】
この発明にかかる綴具は、複数の綴杆部、前記複数の綴杆部を連結するための連結領域、前記綴杆部を構成する綴杆を開閉させるときの中心となる枢結領域を備える第１綴具部材及び第２綴具部材と、枢結領域に介装された弾発部材とを有する、綴具であって、前記綴杆部を構成する綴杆は、第１綴具部材の綴杆と第２綴具部材の綴杆とが向き合うように、前記第１綴具部材の連結領域及び／又は枢結領域並びに第２綴具部材の連結領域及び／又は枢結領域の長手方向に、適宜な間隔をおいて、第１綴具部材及び第２綴具部材の各々の連結領域及び／又は枢結領域から突設され、前記綴杆部は、連結領域及び／又は枢結領域に連設された綴杆の基部とは反対側の自由端に、綴杆を閉鎖したときに係止するための綴杆係止部を形成され、前記綴杆係止部は、係止する綴杆の回転方向と交差する方向に、係止する綴杆を相対移動して係止又は脱係するように形成され、前記枢結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、
前記弾発部材は、綴杆部を閉鎖しているときに、第１綴杆の綴杆係止部と第２綴杆の綴杆係止部とを係合させるように形成され、前記第１綴具部材及び／又は第２綴具部材は、前記綴杆を開閉させるときの中心ののびる方向における連結領域及び／又は枢結領域の端部の領域に、押圧部が突設され、前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域及び／又は枢結領域の端部の領域に突設され、前記中心ののびる方向に第１綴具部材及び／又は第２綴具部材を変位させるように形成され、前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成された、綴具である。
この発明にかかる綴具は、複数の綴杆部、前記複数の綴杆部を連結するため及び前記綴杆部を構成する綴杆を開閉させるときの中心となる連結領域を備える第１綴具部材及び第２綴具部材と、連結領域に介装された弾発部材とを有する、綴具であって、前記綴杆部を構成する綴杆は、第１綴具部材の綴杆と第２綴具部材の綴杆とが向き合うように、前記第１綴具部材の連結領域及び第２綴具部材の連結領域の長手方向に、適宜な間隔をおいて、第１綴具部材及び第２綴具部材の各々の連結領域から突設され、前記綴杆部は、連結領域に連設された綴杆の基部とは反対側の自由端に、綴杆を閉鎖したときに係止するための綴杆係止部を形成され、前記綴杆係止部は、係止する綴杆の回転方向と交差する方向に、係止する綴杆を相対移動して係止又は脱係するように形成され、前記連結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、前記弾発部材は、綴杆部を閉鎖しているときに、第１綴杆の綴杆係止部と第２綴杆の綴杆係止部とを係合させるように形成され、前記第１綴具部材及び／又は第２綴具部材は、前記綴杆を開閉させるときの中心ののびる方向における連結領域の端部の領域に、押圧部が突設され、前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域の端部の領域に突設され、前記中心ののびる方向に第１綴具部材及び／又は第２綴具部材を変位させるように形成され、前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成された、綴具である。
この発明の請求項３にかかる綴具においては、前記連結領域は、第１綴杆を構成する半割杆及び第２綴杆を構成する半割杆を、隣接する半割杆と半割杆との間に適宜な間隔をおいて並列させるように、半割杆と半割杆との間に跨って形成され、前記枢結領域は、第１綴具部材と第２綴具部材とを、枢結部を中心にして連結し、綴杆部を開閉するときの回転の中心となる領域である、請求項１に記載の綴具である。
この発明の請求項４にかかる綴具においては、連結領域を構成する連結部は、枢結領域を構成する枢結部を中心にして左右に分かれた、第１綴具部材の第１連結部及び第２綴具部材の第２連結部を備え、前記第１連結部及び第２連結部は、長手方向に直線状にのびる略柱状であり、前記枢結領域を構成する枢結部は、第１連結部に連設された第１受け部と、第２連結部に連設された第２受け部とを備え、前記第１受け部及び第２受け部は、係止する第１綴杆及び第２綴杆の回転方向に交差する方向において、間欠的に形成され、隣接する第１綴具部材の第１受け部と第２綴具部材の第２受け部とは、第１綴杆と第２綴杆とを閉鎖したときに、枢結部の軸線上において、適宜な間隔をあけて整列され、第１綴杆及び第２綴杆は、開閉するときに、前記第１受け部及び第２受け部を中心として回転し、且つ前記第１受け部及び第２受け部の長手方向に相対変位するように形成された、請求項１又は請求項３に記載の綴具である。
この発明の請求項５にかかる綴具においては、前記枢結領域は、シャフト部とシャフト部の受け部とを備え、前記シャフト部は、前記連結領域の長手方向にのび、第１綴具部材及び第２綴具部材の一対の連結領域を連結し、前記受け部は、前記連結領域の長手方向にのび、前記綴杆部及び／又は連結領域に連設され、且つシャフト部を装填するための開口部を側面に形成され、前記押圧部は、前記枢結部ののびる方向における一端又は両端の領域において突設された、請求項１に記載の綴具である。
この発明の請求項６にかかる綴具においては、前記連結領域は、前記綴杆部を連結する軸受部と、前記綴杆部を連結して前記綴杆部を構成する綴杆を開閉させるときの中心となる枢軸部とを備え、前記綴杆部を構成する綴杆は、一対の綴杆が向き合うように、前記綴杆部を連結する軸受部及び枢軸部の各々にその長手方向に適宜な間隔をおいて、軸受部及び枢軸部の外側部ないし上側部から突設され、前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、枢軸部を装填するための開口部を側面に形成され、前記開口部に続く内面が円弧状の軸受凹部を形成され、  前記枢軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、連結領域は、前記綴杆の先端を合わせて閉鎖するとき及び綴杆の先端を離間させるときに回転中心となるように構成され、前記押圧部は、前記枢結部ののびる方向における一端又は両端の領域において突設された、請求項２に記載の綴具である。
この発明の請求項７にかかる綴具においては、枢結領域の枢結部を中心にして左右に分かれた、第１綴具部材の第１連結部及び第２綴具部材の第２連結部を備え、前記受け部は、前記第１連結部に連設された第１受け部と、前記第２連結部に連設された第２受け部とを備え、
隣接する第１受け部の間に第１収容部を形成され、且つ、隣接する第２受け部の間に第２収容部を形成され、前記第１受け部の間に形成された第１収容部と第２受け部の間に形成された第２収容部との間に、前記シャフト部の長手方向に引張力又は圧縮力をかける弾発部材が介装された、請求項５に記載の綴具である。
この発明の請求項８にかかる綴具においては、前記連結領域は、綴杆部の基部に連設された第１受け部と綴杆部の基部に連設された第２受け部とを備え、前記綴杆部の基部に連設された第１受け部と綴杆部の基部に連設された第２受け部との間に形成された収容部の間に、前記連結領域の長手方向に圧縮し且つ弾発力をかける弾発部材が介装され、前記第１受け部及び第２受け部並びに弾発部材は、前記綴杆の先端を合わせて閉鎖するとき及び綴杆の先端を離間させるときに回転中心となるように構成された、請求項６に記載の綴具である。
この発明の請求項９にかかる綴具においては、連結領域は、第１連結部及び第２連結部を備え、弾発部材は、ねじりコイルバネからなり、巻線部と巻線部の両端から巻線部の中心軸と直交ないし交差する方向に伸びる直線状の第１固定先端部と直線状の第２固定先端部とが連設され、ねじりモーメントが発生しない元の状態は、巻線部の外方に第１固定先端部と第２固定先端部とが突き出され、一方の第１固定先端部は、押圧部を指で押すことにより、係止された第１綴杆の綴杆係止部及び第２綴杆の綴杆係止部を外すとき、移動する方向とは反対側にある第１連結部の支持部に支持され、また、もう一方の第２固定先端部は、押圧部を指で押すことにより、係止された第１綴杆の綴杆係止部及び第２綴杆の綴杆係止部を外すとき、移動する方向とは反対側にある第２連結部の支持部に支持され、  第１固定先端部と第２固定先端部とは、向き合うように、第１連結部及び第２連結部に支持され、第１綴杆及び第２綴杆ののびる方向において第１綴杆及び／又は第２綴杆を反対方向に回転させるように構成された、請求項１又は請求項２に記載の綴具である。
この発明の請求項１０にかかる綴具においては、前記押圧部は、第１綴具部材及び／又は第２綴具部材に備えられた、綴杆部、連結領域、枢結領域のうち、いずれか一つの前記中心ののびる方向における端部の領域において、突設された押し棒によって構成された、請求項１又は請求項２に記載の綴具である。
この発明の請求項１１にかかる綴具においては、表紙に取り付けるための取り付け部が、綴杆部又は連結領域又は枢結領域のいずれかに連設された、請求項１又は請求項２に記載の綴具である。
【手続補正２】
【補正対象書類名】明細書
【補正対象項目名】０００６
【補正方法】変更
【補正の内容】
【０００６】
この発明の請求項１にかかる綴具によれば、複数の綴杆部、前記複数の綴杆部を連結するための連結領域、前記綴杆部を構成する綴杆を開閉させるときの中心となる枢結領域を備える第１綴具部材及び第２綴具部材と、枢結領域に介装された弾発部材とを有する、綴具であって、
前記綴杆部を構成する綴杆は、第１綴具部材の綴杆と第２綴具部材の綴杆とが向き合うように、前記第１綴具部材の連結領域及び／又は枢結領域並びに第２綴具部材の連結領域及び／又は枢結領域の長手方向に、適宜な間隔をおいて、第１綴具部材及び第２綴具部材の各々の連結領域及び／又は枢結領域から突設され、前記綴杆部は、連結領域及び／又は枢結領域に連設された綴杆の基部とは反対側の自由端に、綴杆を閉鎖したときに係止するための綴杆係止部を形成され、前記綴杆係止部は、係止する綴杆の回転方向と交差する方向に、係止する綴杆を相対移動して係止又は脱係するように形成され、前記枢結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、前記弾発部材は、綴杆部を閉鎖しているときに、第１綴杆の綴杆係止部と第２綴杆の綴杆係止部とを係合させるように形成され、前記第１綴具部材及び／又は第２綴具部材は、前記綴杆を開閉させるときの中心ののびる方向における連結領域及び／又は枢結領域の端部の領域に、押圧部が突設され、前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域及び／又は枢結領域の端部の領域に突設され、前記中心ののびる方向に第１綴具部材及び／又は第２綴具部材を変位させるように形成され、前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成されているので、リーフの差し換えをし易いように綴杆を開き易く且つ閉じ易い綴具を提供することをできる。
この発明の請求項２にかかる綴具によれば、複数の綴杆部、前記複数の綴杆部を連結するため及び前記綴杆部を構成する綴杆を開閉させるときの中心となる連結領域を備える第１綴具部材及び第２綴具部材と、連結領域に介装された弾発部材とを有する、綴具であって、前記綴杆部を構成する綴杆は、第１綴具部材の綴杆と第２綴具部材の綴杆とが向き合うように、前記第１綴具部材の連結領域及び第２綴具部材の連結領域の長手方向に、適宜な間隔をおいて、第１綴具部材及び第２綴具部材の各々の連結領域から突設され、前記綴杆部は、連結領域に連設された綴杆の基部とは反対側の自由端に、綴杆を閉鎖したときに係止するための綴杆係止部を形成され、前記綴杆係止部は、係止する綴杆の回転方向と交差する方向に、係止する綴杆を相対移動して係止又は脱係するように形成され、前記連結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、前記弾発部材は、綴杆部を閉鎖しているときに、第１綴杆の綴杆係止部と第２綴杆の綴杆係止部とを係合させるように形成され、前記第１綴具部材及び／又は第２綴具部材は、前記綴杆を開閉させるときの中心ののびる方向における連結領域の端部の領域に、押圧部が突設され、前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域の端部の領域に突設され、前記中心ののびる方向に第１綴具部材及び／又は第２綴具部材を変位させるように形成され、前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成されているので、リーフの差し換えをし易いように綴杆を開き易く且つ閉じ易い綴具を提供することをできる。
この発明の請求項３にかかる綴具によれば、前記連結領域は、第１綴杆を構成する半割杆及び第２綴杆を構成する半割杆を、隣接する半割杆と半割杆との間に適宜な間隔をおいて並列させるように、半割杆と半割杆との間に跨って形成され、前記枢結領域は、第１綴具部材と第２綴具部材とを、枢結部を中心にして連結し、綴杆部を開閉するときの回転の中心となる領域であるので、半割杆の開閉を比較的容易にでき、確実に半割杆を閉じることができる。
この発明の請求項４にかかる綴具によれば、連結領域を構成する連結部は、枢結領域を構成する枢結部を中心にして左右に分かれた、第１綴具部材の第１連結部及び第２綴具部材の第２連結部を備え、前記第１連結部及び第２連結部は、長手方向に直線状にのびる略柱状であり、前記枢結領域を構成する枢結部は、第１連結部に連設された第１受け部と、第２連結部に連設された第２受け部とを備え、前記第１受け部及び第２受け部は、係止する第１綴杆及び第２綴杆の回転方向に交差する方向において、間欠的に形成され、隣接する第１綴具部材の第１受け部と第２綴具部材の第２受け部とは、第１綴杆と第２綴杆とを閉鎖したときに、枢結部の軸線上において、適宜な間隔をあけて整列され、第１綴杆及び第２綴杆は、開閉するときに、前記第１受け部及び第２受け部を中心として回転し、且つ前記第１受け部及び第２受け部の長手方向に相対変位するように形成されているので、第１綴杆及び第２綴杆の開閉を比較的容易にでき、確実に第１綴杆及び第２綴杆を閉じることができる。
この発明の請求項５にかかる綴具によれば、前記枢結領域は、シャフト部とシャフト部の受け部とを備え、前記シャフト部は、前記連結領域の長手方向にのび、第１綴具部材及び第２綴具部材の一対の連結領域を連結し、前記受け部は、前記連結領域の長手方向にのび、前記綴杆部及び／又は連結領域に連設され、且つシャフト部を装填するための開口部を側面に形成され、前記押圧部は、前記枢結部ののびる方向における一端又は両端の領域において突設されているので、指で押圧部を押して綴杆のうち対向する一方の複数の綴杆を、対向する他方の複数の綴杆の係止部から脱係させることができる。
この発明の請求項６にかかる綴具によれば、前記連結領域は、前記綴杆部を連結する軸受部と、前記綴杆部を連結して前記綴杆部を構成する綴杆を開閉させるときの中心となる枢軸部とを備え、前記綴杆部を構成する綴杆は、一対の綴杆が向き合うように、前記綴杆部を連結する軸受部及び枢軸部の各々にその長手方向に適宜な間隔をおいて、軸受部及び枢軸部の外側部ないし上側部から突設され、前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、枢軸部を装填するための開口部を側面に形成され、前記開口部に続く内面が円弧状の軸受凹部を形成され、前記枢軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、連結領域は、前記綴杆の先端を合わせて閉鎖するとき及び綴杆の先端を離間させるときに回転中心となるように構成され、前記押圧部は、前記枢結部ののびる方向における一端又は両端の領域において突設されているので、指で押圧部を押して綴杆のうち対向する一方の複数の綴杆を、対向する他方の複数の綴杆の係止部から脱係させることができる。
この発明の請求項７にかかる綴具によれば、枢結領域の枢結部を中心にして左右に分かれた、第１綴具部材の第１連結部及び第２綴具部材の第２連結部を備え、前記受け部は、前記第１連結部に連設された第１受け部と、前記第２連結部に連設された第２受け部とを備え、隣接する第１受け部の間に第１収容部を形成され、且つ、隣接する第２受け部の間に第２収容部を形成され、前記第１受け部の間に形成された第１収容部と第２受け部の間に形成された第２収容部との間に、前記シャフト部の長手方向に引張力又は圧縮力をかける弾発部材が介装されているので、指で押圧部を押して綴杆のうち対向する一方の複数の綴杆を、対向する他方の複数の綴杆の係止部から脱係させることができる。
この発明の請求項８にかかる綴具によれば、前記連結領域は、綴杆部の基部に連設された第１受け部と綴杆部の基部に連設された第２受け部とを備え、前記綴杆部の基部に連設された第１受け部と綴杆部の基部に連設された第２受け部との間に形成された収容部の間に、前記連結領域の長手方向に圧縮し且つ弾発力をかける弾発部材が介装され、前記第１受け部及び第２受け部並びに弾発部材は、前記綴杆の先端を合わせて閉鎖するとき及び綴杆の先端を離間させるときに回転中心となるように構成されているので、綴杆部の開閉を比較的容易にでき、確実に綴杆部を閉じることができる。
この発明の請求項９にかかる綴具によれば、連結領域は、第１連結部及び第２連結部を備え、弾発部材は、ねじりコイルバネからなり、巻線部と巻線部の両端から巻線部の中心軸と直交ないし交差する方向に伸びる直線状の第１固定先端部と直線状の第２固定先端部とが連設され、ねじりモーメントが発生しない元の状態は、巻線部の外方に第１固定先端部と第２固定先端部とが突き出され、一方の第１固定先端部は、押圧部を指で押すことにより、係止された第１綴杆の綴杆係止部及び第２綴杆の綴杆係止部を外すとき、移動する方向とは反対側にある第１連結部の支持部に支持され、また、もう一方の第２固定先端部は、押圧部を指で押すことにより、係止された第１綴杆の綴杆係止部及び第２綴杆の綴杆係止部を外すとき、移動する方向とは反対側にある第２連結部の支持部に支持され、第１固定先端部と第２固定先端部とは、向き合うように、第１連結部及び第２連結部に支持され、第１綴杆及び第２綴杆ののびる方向において第１綴杆及び／又は第２綴杆を反対方向に回転させるように構成されているので、綴杆部の開閉を比較的容易にでき、確実に綴杆部を閉じることができる。
この発明の請求項１０にかかる綴具によれば、前記押圧部は、第１綴具部材及び／又は第２綴具部材に備えられた、綴杆部、連結領域、枢結領域のうち、いずれか一つの前記中心ののびる方向における端部の領域において、突設された押し棒によって構成されているので、指で押圧部を押して綴杆のうち対向する一方の複数の綴杆を、対向する他方の複数の綴杆の係止部から脱係させることができる。
この発明の請求項１１にかかる綴具によれば、表紙に取り付けるための取り付け部が、綴杆部又は連結領域又は枢結領域のいずれかに連設されているので、表紙に綴具を取り付けた手帳類、ファイル・バインダ類を得ることができる。
【手続補正３】
【補正対象書類名】特許請求の範囲
【補正対象項目名】全文
【補正方法】変更
【補正の内容】
【特許請求の範囲】
【請求項１】
複数の綴杆部、前記複数の綴杆部を連結するための連結領域、前記綴杆部を構成する綴杆を開閉させるときの中心となる枢結領域を備える第１綴具部材及び第２綴具部材と、枢結領域に介装された弾発部材とを有する、綴具であって、
前記綴杆部を構成する綴杆は、第１綴具部材の綴杆と第２綴具部材の綴杆とが向き合うように、前記第１綴具部材の連結領域及び／又は枢結領域並びに第２綴具部材の連結領域及び／又は枢結領域の長手方向に、適宜な間隔をおいて、第１綴具部材及び第２綴具部材の各々の連結領域及び／又は枢結領域から突設され、
前記綴杆部は、連結領域及び／又は枢結領域に連設された綴杆の基部とは反対側の自由端に、綴杆を閉鎖したときに係止するための綴杆係止部を形成され、
前記綴杆係止部は、係止する綴杆の回転方向と交差する方向に、係止する綴杆を相対移動して係止又は脱係するように形成され、
前記枢結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、
前記弾発部材は、綴杆部を閉鎖しているときに、第１綴杆の綴杆係止部と第２綴杆の綴杆係止部とを係合させるように形成され、
前記第１綴具部材及び／又は第２綴具部材は、前記綴杆を開閉させるときの中心ののびる方向における連結領域及び／又は枢結領域の端部の領域に、押圧部が突設され、
前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域及び／又は枢結領域の端部の領域に突設され、前記中心ののびる方向に第１綴具部材及び／又は第２綴具部材を変位させるように形成され、
前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成された、綴具。
【請求項２】
複数の綴杆部、前記複数の綴杆部を連結するため及び前記綴杆部を構成する綴杆を開閉させるときの中心となる連結領域を備える第１綴具部材及び第２綴具部材と、連結領域に介装された弾発部材とを有する、綴具であって、
前記綴杆部を構成する綴杆は、第１綴具部材の綴杆と第２綴具部材の綴杆とが向き合うように、前記第１綴具部材の連結領域及び第２綴具部材の連結領域の長手方向に、適宜な間隔をおいて、第１綴具部材及び第２綴具部材の各々の連結領域から突設され、
前記綴杆部は、連結領域に連設された綴杆の基部とは反対側の自由端に、綴杆を閉鎖したときに係止するための綴杆係止部を形成され、
前記綴杆係止部は、係止する綴杆の回転方向と交差する方向に、係止する綴杆を相対移動して係止又は脱係するように形成され、
前記連結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、
前記弾発部材は、綴杆部を閉鎖しているときに、第１綴杆の綴杆係止部と第２綴杆の綴杆係止部とを係合させるように形成され、
前記第１綴具部材及び／又は第２綴具部材は、前記綴杆を開閉させるときの中心ののびる方向における連結領域の端部の領域に、押圧部が突設され、
前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域の端部の領域に突設され、前記中心ののびる方向に第１綴具部材及び／又は第２綴具部材を変位させるように形成され、
前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成された、綴具。
【請求項３】
前記連結領域は、第１綴杆を構成する半割杆及び第２綴杆を構成する半割杆を、隣接する半割杆と半割杆との間に適宜な間隔をおいて並列させるように、半割杆と半割杆との間に跨って形成され、
前記枢結領域は、第１綴具部材と第２綴具部材とを、枢結部を中心にして連結し、綴杆部を開閉するときの回転の中心となる領域である、請求項１に記載の綴具。
【請求項４】
連結領域を構成する連結部は、枢結領域を構成する枢結部を中心にして左右に分かれた、第１綴具部材の第１連結部及び第２綴具部材の第２連結部を備え、
前記第１連結部及び第２連結部は、長手方向に直線状にのびる略柱状であり、
前記枢結領域を構成する枢結部は、第１連結部に連設された第１受け部と、第２連結部に連設された第２受け部とを備え、
前記第１受け部及び第２受け部は、係止する第１綴杆及び第２綴杆の回転方向に交差する方向において、間欠的に形成され、
隣接する第１綴具部材の第１受け部と第２綴具部材の第２受け部とは、第１綴杆と第２綴杆とを閉鎖したときに、枢結部の軸線上において、適宜な間隔をあけて整列され、
第１綴杆及び第２綴杆は、開閉するときに、前記第１受け部及び第２受け部を中心として回転し、且つ前記第１受け部及び第２受け部の長手方向に相対変位するように形成された、請求項１又は請求項３に記載の綴具。
【請求項５】
前記枢結領域は、
シャフト部とシャフト部の受け部とを備え、
前記シャフト部は、前記連結領域の長手方向にのび、第１綴具部材及び第２綴具部材の一対の連結領域を連結し、
前記受け部は、前記連結領域の長手方向にのび、前記綴杆部及び／又は連結領域に連設され、且つシャフト部を装填するための開口部を側面に形成され、
前記押圧部は、
前記枢結部ののびる方向における一端又は両端の領域において突設された、請求項１に記載の綴具。
【請求項６】
前記連結領域は、前記綴杆部を連結する軸受部と、前記綴杆部を連結して前記綴杆部を構成する綴杆を開閉させるときの中心となる枢軸部とを備え、
前記綴杆部を構成する綴杆は、一対の綴杆が向き合うように、前記綴杆部を連結する軸受部及び枢軸部の各々にその長手方向に適宜な間隔をおいて、軸受部及び枢軸部の外側部ないし上側部から突設され、
前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、枢軸部を装填するための開口部を側面に形成され、前記開口部に続く内面が円弧状の軸受凹部を形成され、
前記枢軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、
連結領域は、前記綴杆の先端を合わせて閉鎖するとき及び綴杆の先端を離間させるときに回転中心となるように構成され、
前記押圧部は、前記枢結部ののびる方向における一端又は両端の領域において突設された、請求項２に記載の綴具。
【請求項７】
枢結領域の枢結部を中心にして左右に分かれた、第１綴具部材の第１連結部及び第２綴具部材の第２連結部を備え、
前記受け部は、前記第１連結部に連設された第１受け部と、前記第２連結部に連設された第２受け部とを備え、
隣接する第１受け部の間に第１収容部を形成され、且つ、隣接する第２受け部の間に第２収容部を形成され、
前記第１受け部の間に形成された第１収容部と第２受け部の間に形成された第２収容部との間に、前記シャフト部の長手方向に引張力又は圧縮力をかける弾発部材が介装された、請求項５に記載の綴具。
【請求項８】
前記連結領域は、綴杆部の基部に連設された第１受け部と綴杆部の基部に連設された第２受け部とを備え、
前記綴杆部の基部に連設された第１受け部と綴杆部の基部に連設された第２受け部との間に形成された収容部の間に、前記連結領域の長手方向に圧縮し且つ弾発力をかける弾発部材が介装され、
前記第１受け部及び第２受け部並びに弾発部材は、前記綴杆の先端を合わせて閉鎖するとき及び綴杆の先端を離間させるときに回転中心となるように構成された、請求項６に記載の綴具。
【請求項９】
連結領域は、第１連結部及び第２連結部を備え、
弾発部材は、ねじりコイルバネからなり、巻線部と巻線部の両端から巻線部の中心軸と直交ないし交差する方向に伸びる直線状の第１固定先端部と直線状の第２固定先端部とが連設され、ねじりモーメントが発生しない元の状態は、巻線部の外方に第１固定先端部と第２固定先端部とが突き出され、
一方の第１固定先端部は、押圧部を指で押すことにより、係止された第１綴杆の綴杆係止部及び第２綴杆の綴杆係止部を外すとき、移動する方向とは反対側にある第１連結部の支持部に支持され、また、もう一方の第２固定先端部は、押圧部を指で押すことにより、係止された第１綴杆の綴杆係止部及び第２綴杆の綴杆係止部を外すとき、移動する方向とは反対側にある第２連結部の支持部に支持され、
第１固定先端部と第２固定先端部とは、向き合うように、第１連結部及び第２連結部に支持され、
第１綴杆及び第２綴杆ののびる方向において第１綴杆及び／又は第２綴杆を反対方向に回転させるように構成された、請求項１又は請求項２に記載の綴具。
【請求項１０】
前記押圧部は、
第１綴具部材及び／又は第２綴具部材に備えられた、綴杆部、連結領域、枢結領域のうち、いずれか一つの前記中心ののびる方向における端部の領域において、突設された押し棒によって構成された、請求項１又は請求項２に記載の綴具。
【請求項１１】
表紙に取り付けるための取り付け部が、綴杆部又は連結領域又は枢結領域のいずれかに連設された、請求項１又は請求項２に記載の綴具。
【手続補正書】
【提出日】平成25年12月20日(2013.12.20)
【手続補正１】
【補正対象書類名】明細書
【補正対象項目名】０００５
【補正方法】変更
【補正の内容】
【０００５】
この発明にかかる綴具は、複数の綴杆部、前記複数の綴杆部を連結するための連結領域、前記綴杆部を構成する綴杆を開閉させるときの中心となる枢結領域を備える第１綴具部材及び第２綴具部材と、枢結領域に介装された弾発部材とを有する、綴具であって、前記綴杆部を構成する綴杆は、第１綴具部材の綴杆と第２綴具部材の綴杆とが向き合うように、前記第１綴具部材の連結領域及び／又は枢結領域並びに第２綴具部材の連結領域及び／又は枢結領域の長手方向に、適宜な間隔をおいて、第１綴具部材及び第２綴具部材の各々の連結領域及び／又は枢結領域から突設され、前記綴杆部は、連結領域及び／又は枢結領域に連設された綴杆の基部とは反対側の自由端に、綴杆を閉鎖したときに係止するための綴杆係止部を形成され、前記綴杆係止部は、係止する綴杆の回転方向と交差する方向に、係止する綴杆を相対移動して係止又は脱係するように形成され、前記枢結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、
前記弾発部材は、綴杆部を閉鎖しているときに、第１綴杆の綴杆係止部と第２綴杆の綴杆係止部とを係合させるように形成され、前記第１綴具部材及び／又は第２綴具部材は、前記綴杆を開閉させるときの中心ののびる方向における連結領域及び／又は枢結領域の端部の領域に、押圧部が突設され、前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域及び／又は枢結領域の端部の領域に突設され、前記中心ののびる方向に第１綴具部材及び／又は第２綴具部材を変位させるように形成され、前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成された、綴具である。
この発明にかかる綴具は、複数の綴杆部、前記複数の綴杆部を連結するため及び前記綴杆部を構成する綴杆を開閉させるときの中心となる連結領域を備える第１綴具部材及び第２綴具部材と、連結領域に介装された弾発部材とを有する、綴具であって、前記綴杆部を構成する綴杆は、第１綴具部材の綴杆と第２綴具部材の綴杆とが向き合うように、前記第１綴具部材の連結領域及び第２綴具部材の連結領域の長手方向に、適宜な間隔をおいて、第１綴具部材及び第２綴具部材の各々の連結領域から突設され、前記綴杆部は、連結領域に連設された綴杆の基部とは反対側の自由端に、綴杆を閉鎖したときに係止するための綴杆係止部を形成され、前記綴杆係止部は、係止する綴杆の回転方向と交差する方向に、係止する綴杆を相対移動して係止又は脱係するように形成され、前記連結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、前記弾発部材は、綴杆部を閉鎖しているときに、第１綴杆の綴杆係止部と第２綴杆の綴杆係止部とを係合させるように形成され、前記第１綴具部材及び／又は第２綴具部材は、前記綴杆を開閉させるときの中心ののびる方向における連結領域の端部の領域に、押圧部が突設され、前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域の端部の領域に突設され、前記中心ののびる方向に第１綴具部材及び／又は第２綴具部材を変位させるように形成され、前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成された、綴具である。
この発明の請求項３にかかる綴具においては、前記連結領域は、第１綴杆を構成する半割杆及び第２綴杆を構成する半割杆を、隣接する半割杆と半割杆との間に適宜な間隔をおいて並列させるように、半割杆と半割杆との間に跨って形成され、前記枢結領域は、第１綴具部材と第２綴具部材とを、枢結部を中心にして連結し、綴杆部を開閉するときの回転の中心となる領域である、請求項１に記載の綴具である。
この発明の請求項４にかかる綴具においては、連結領域を構成する連結部は、枢結領域を構成する枢結部を中心にして左右に分かれた、第１綴具部材の第１連結部及び第２綴具部材の第２連結部を備え、前記第１連結部及び第２連結部は、長手方向に直線状にのびる略柱状であり、前記枢結領域を構成する枢結部は、第１連結部に連設された第１受け部と、第２連結部に連設された第２受け部とを備え、前記第１受け部及び第２受け部は、係止する第１綴杆及び第２綴杆の回転方向に交差する方向において、間欠的に形成され、隣接する第１綴具部材の第１受け部と第２綴具部材の第２受け部とは、第１綴杆と第２綴杆とを閉鎖したときに、枢結部の軸線上において、適宜な間隔をあけて整列され、第１綴杆及び第２綴杆は、開閉するときに、前記第１受け部及び第２受け部を中心として回転し、且つ前記第１受け部及び第２受け部の長手方向に相対変位するように形成された、請求項１又は請求項３に記載の綴具である。
この発明の請求項５にかかる綴具においては、前記枢結領域は、シャフト部とシャフト部の受け部とを備え、前記シャフト部は、前記連結領域の長手方向にのび、第１綴具部材及び第２綴具部材の一対の連結領域を連結し、前記受け部は、前記連結領域の長手方向にのび、前記綴杆部及び／又は連結領域に連設され、且つシャフト部を装填するための開口部を側面に形成され、前記押圧部は、前記枢結部ののびる方向における一端又は両端の領域において突設された、請求項１に記載の綴具である。
この発明の請求項６にかかる綴具においては、前記連結領域は、前記綴杆部を連結する軸受部と、前記綴杆部を連結して前記綴杆部を構成する綴杆を開閉させるときの中心となる枢軸部とを備え、前記綴杆部を構成する綴杆は、一対の綴杆が向き合うように、前記綴杆部を連結する軸受部及び枢軸部の各々にその長手方向に適宜な間隔をおいて、軸受部及び枢軸部の外側部ないし上側部から突設され、前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、枢軸部を装填するための開口部を側面に形成され、前記開口部に続く内面が円弧状の軸受凹部を形成され、  前記枢軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、連結領域は、前記綴杆の先端を合わせて閉鎖するとき及び綴杆の先端を離間させるときに回転中心となるように構成され、前記押圧部は、前記枢結部ののびる方向における一端又は両端の領域において突設された、請求項２に記載の綴具である。
この発明の請求項７にかかる綴具においては、枢結領域の枢結部を中心にして左右に分かれた、第１綴具部材の第１連結部及び第２綴具部材の第２連結部を備え、前記受け部は、前記第１連結部に連設された第１受け部と、前記第２連結部に連設された第２受け部とを備え、
隣接する第１受け部の間に第１収容部を形成され、且つ、隣接する第２受け部の間に第２収容部を形成され、前記第１受け部の間に形成された第１収容部と第２受け部の間に形成された第２収容部との間に、前記シャフト部の長手方向に引張力又は圧縮力をかける弾発部材が介装された、請求項５に記載の綴具である。
この発明の請求項８にかかる綴具においては、前記連結領域は、綴杆部の基部に連設された第１受け部と綴杆部の基部に連設された第２受け部とを備え、前記綴杆部の基部に連設された第１受け部と綴杆部の基部に連設された第２受け部との間に形成された収容部の間に、前記連結領域の長手方向に圧縮し且つ弾発力をかける弾発部材が介装され、前記第１受け部及び第２受け部並びに弾発部材は、前記綴杆の先端を合わせて閉鎖するとき及び綴杆の先端を離間させるときに回転中心となるように構成された、請求項６に記載の綴具である。
この発明の請求項９にかかる綴具においては、連結領域は、第１連結部及び第２連結部を備え、弾発部材は、ねじりコイルバネからなり、巻線部と巻線部の両端から巻線部の中心軸と直交ないし交差する方向に伸びる直線状の第１固定先端部と直線状の第２固定先端部とが連設され、ねじりモーメントが発生しない元の状態は、巻線部の外方に第１固定先端部と第２固定先端部とが突き出され、一方の第１固定先端部は、押圧部を指で押すことにより、係止された第１綴杆の綴杆係止部及び第２綴杆の綴杆係止部を外すとき、移動する方向とは反対側にある第１連結部の支持部に支持され、また、もう一方の第２固定先端部は、押圧部を指で押すことにより、係止された第１綴杆の綴杆係止部及び第２綴杆の綴杆係止部を外すとき、移動する方向とは反対側にある第２連結部の支持部に支持され、第１固定先端部と第２固定先端部とは、向き合うように、第１連結部及び第２連結部に支持され、第１綴杆及び第２綴杆ののびる方向において第１綴杆及び／又は第２綴杆を反対方向に回転させるように構成された、請求項１又は請求項２に記載の綴具である。
この発明の請求項１０にかかる綴具においては、前記押圧部は、第１綴具部材及び／又は第２綴具部材に備えられた、綴杆部、連結領域、枢結領域のうち、いずれか一つの前記中心ののびる方向における端部の領域において、突設された押し棒によって構成された、請求項１に記載の綴具である。
この発明の請求項１１にかかる綴具は、表紙に取り付けるための取り付け部が、綴杆部又は連結領域又は枢結領域のいずれかに連設された、請求項１に記載の綴具具である。
【手続補正２】
【補正対象書類名】特許請求の範囲
【補正対象項目名】全文
【補正方法】変更
【補正の内容】
【特許請求の範囲】
【請求項１】
複数の綴杆部、前記複数の綴杆部を連結するための連結領域、前記綴杆部を構成する綴杆を開閉させるときの中心となる枢結領域を備える第１綴具部材及び第２綴具部材と、枢結領域に介装された弾発部材とを有する、綴具であって、
前記綴杆部を構成する綴杆は、第１綴具部材の綴杆と第２綴具部材の綴杆とが向き合うように、前記第１綴具部材の連結領域及び／又は枢結領域並びに第２綴具部材の連結領域及び／又は枢結領域の長手方向に、適宜な間隔をおいて、第１綴具部材及び第２綴具部材の各々の連結領域及び／又は枢結領域から突設され、
前記綴杆部は、連結領域及び／又は枢結領域に連設された綴杆の基部とは反対側の自由端に、綴杆を閉鎖したときに係止するための綴杆係止部を形成され、
前記綴杆係止部は、係止する綴杆の回転方向と交差する方向に、係止する綴杆を相対移動して係止又は脱係するように形成され、
前記枢結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、
前記弾発部材は、綴杆部を閉鎖しているときに、第１綴杆の綴杆係止部と第２綴杆の綴杆係止部とを係合させるように形成され、
前記第１綴具部材及び／又は第２綴具部材は、前記綴杆を開閉させるときの中心ののびる方向における連結領域及び／又は枢結領域の端部の領域に、押圧部が突設され、
前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域及び／又は枢結領域の端部の領域に突設され、前記中心ののびる方向に第１綴具部材及び／又は第２綴具部材を変位させるように形成され、
前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成された、綴具。
【請求項２】
複数の綴杆部、前記複数の綴杆部を連結するため及び前記綴杆部を構成する綴杆を開閉させるときの中心となる連結領域を備える第１綴具部材及び第２綴具部材と、連結領域に介装された弾発部材とを有する、綴具であって、
前記綴杆部を構成する綴杆は、第１綴具部材の綴杆と第２綴具部材の綴杆とが向き合うように、前記第１綴具部材の連結領域及び第２綴具部材の連結領域の長手方向に、適宜な間隔をおいて、第１綴具部材及び第２綴具部材の各々の連結領域から突設され、
前記綴杆部は、連結領域に連設された綴杆の基部とは反対側の自由端に、綴杆を閉鎖したときに係止するための綴杆係止部を形成され、
前記綴杆係止部は、係止する綴杆の回転方向と交差する方向に、係止する綴杆を相対移動して係止又は脱係するように形成され、
前記連結領域は、第１綴具部材の第１綴杆と第２綴具部材の第２綴杆とを、連結領域の長手方向に相対移動させて第１綴杆の綴杆係止部と第２綴杆の綴杆係止部とを脱係させ、且つ第１綴杆及び第２綴杆ののびる方向において第１綴杆及び／又は第２綴杆を反対方向に回転させるように構成され、
前記弾発部材は、綴杆部を閉鎖しているときに、第１綴杆の綴杆係止部と第２綴杆の綴杆係止部とを係合させるように形成され、
前記第１綴具部材及び／又は第２綴具部材は、前記綴杆を開閉させるときの中心ののびる方向における連結領域の端部の領域に、押圧部が突設され、
前記押圧部は、第１綴具部材の複数の第１綴杆を、対向する第２綴具部材の複数の第２綴杆の綴杆係止部から脱係させるために、指で直接的に又は間接的に押されるように、前記綴杆を相対移動して綴杆を脱係する方向とは反対側において、脱係する方向とは反対側に向けて第１綴具部材及び／又は第２綴具部材の連結領域の端部の領域に突設され、前記中心ののびる方向に第１綴具部材及び／又は第２綴具部材を変位させるように形成され、
前記押圧部を指で直接的に又は間接的に押すことにより、前記弾発部材の弾発力に抗して第１綴具部材の第１綴杆及び／又は第２綴具部材の第２綴杆を相対移動させて、第１綴杆の綴杆係止部及び第２綴杆の綴杆係止部の係止を外し、且つ第１綴杆及び第２綴杆ののびる方向において第１綴杆及び／又は第２綴杆を反対方向に回転させるように構成された、綴具。
【請求項３】
前記連結領域は、第１綴杆を構成する半割杆及び第２綴杆を構成する半割杆を、隣接する半割杆と半割杆との間に適宜な間隔をおいて並列させるように、半割杆と半割杆との間に跨って形成され、
前記枢結領域は、第１綴具部材と第２綴具部材とを、枢結部を中心にして連結し、綴杆部を開閉するときの回転の中心となる領域である、請求項１に記載の綴具。
【請求項４】
連結領域を構成する連結部は、枢結領域を構成する枢結部を中心にして左右に分かれた、第１綴具部材の第１連結部及び第２綴具部材の第２連結部を備え、
前記第１連結部及び第２連結部は、長手方向に直線状にのびる略柱状であり、
前記枢結領域を構成する枢結部は、第１連結部に連設された第１受け部と、第２連結部に連設された第２受け部とを備え、
前記第１受け部及び第２受け部は、係止する第１綴杆及び第２綴杆の回転方向に交差する方向において、間欠的に形成され、
隣接する第１綴具部材の第１受け部と第２綴具部材の第２受け部とは、第１綴杆と第２綴杆とを閉鎖したときに、枢結部の軸線上において、適宜な間隔をあけて整列され、
第１綴杆及び第２綴杆は、開閉するときに、前記第１受け部及び第２受け部を中心として回転し、且つ前記第１受け部及び第２受け部の長手方向に相対変位するように形成された、請求項１又は請求項３に記載の綴具。
【請求項５】
前記枢結領域は、
シャフト部とシャフト部の受け部とを備え、
前記シャフト部は、前記連結領域の長手方向にのび、第１綴具部材及び第２綴具部材の一対の連結領域を連結し、
前記受け部は、前記連結領域の長手方向にのび、前記綴杆部及び／又は連結領域に連設され、且つシャフト部を装填するための開口部を側面に形成され、
前記押圧部は、
前記枢結部ののびる方向における一端又は両端の領域において突設された、請求項１に記載の綴具。
【請求項６】
前記連結領域は、前記綴杆部を連結する軸受部と、前記綴杆部を連結して前記綴杆部を構成する綴杆を開閉させるときの中心となる枢軸部とを備え、
前記綴杆部を構成する綴杆は、一対の綴杆が向き合うように、前記綴杆部を連結する軸受部及び枢軸部の各々にその長手方向に適宜な間隔をおいて、軸受部及び枢軸部の外側部ないし上側部から突設され、
前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、枢軸部を装填するための開口部を側面に形成され、前記開口部に続く内面が円弧状の軸受凹部を形成され、
前記枢軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、
連結領域は、前記綴杆の先端を合わせて閉鎖するとき及び綴杆の先端を離間させるときに回転中心となるように構成され、
前記押圧部は、前記枢軸部ののびる方向における一端又は両端の領域において突設された、請求項２に記載の綴具。
【請求項７】
枢結領域の枢結部を中心にして左右に分かれた、第１綴具部材の第１連結部及び第２綴具部材の第２連結部を備え、
前記受け部は、前記第１連結部に連設された第１受け部と、前記第２連結部に連設された第２受け部とを備え、
隣接する第１受け部の間に第１収容部を形成され、且つ、隣接する第２受け部の間に第２収容部を形成され、
前記第１受け部の間に形成された第１収容部と第２受け部の間に形成された第２収容部との間に、前記シャフト部の長手方向に引張力又は圧縮力をかける弾発部材が介装された、請求項５に記載の綴具。
【請求項８】
前記連結領域は、綴杆部の基部に連設された第１受け部と綴杆部の基部に連設された第２受け部とを備え、
前記綴杆部の基部に連設された第１受け部と綴杆部の基部に連設された第２受け部との間に形成された収容部の間に、前記連結領域の長手方向に圧縮し且つ弾発力をかける弾発部材が介装され、
前記第１受け部及び第２受け部並びに弾発部材は、前記綴杆の先端を合わせて閉鎖するとき及び綴杆の先端を離間させるときに回転中心となるように構成された、請求項６に記載の綴具。
【請求項９】
連結領域は、第１連結部及び第２連結部を備え、
弾発部材は、ねじりコイルバネからなり、巻線部と巻線部の両端から巻線部の中心軸と直交ないし交差する方向に伸びる直線状の第１固定先端部と直線状の第２固定先端部とが連設され、ねじりモーメントが発生しない元の状態は、巻線部の外方に第１固定先端部と第２固定先端部とが突き出され、
一方の第１固定先端部は、押圧部を指で押すことにより、係止された第１綴杆の綴杆係止部及び第２綴杆の綴杆係止部を外すとき、移動する方向とは反対側にある第１連結部の支持部に支持され、また、もう一方の第２固定先端部は、押圧部を指で押すことにより、係止された第１綴杆の綴杆係止部及び第２綴杆の綴杆係止部を外すとき、移動する方向とは反対側にある第２連結部の支持部に支持され、
第１固定先端部と第２固定先端部とは、向き合うように、第１連結部及び第２連結部に支持され、
第１綴杆及び第２綴杆ののびる方向において第１綴杆及び／又は第２綴杆を反対方向に回転させるように構成された、請求項１又は請求項２に記載の綴具。
【請求項１０】
前記押圧部は、
第１綴具部材及び／又は第２綴具部材に備えられた、綴杆部、連結領域、枢結領域のうち、いずれか一つの前記中心ののびる方向における端部の領域において、突設された押し棒によって構成された、請求項１に記載の綴具。
【請求項１１】
表紙に取り付けるための取り付け部が、綴杆部又は連結領域又は枢結領域のいずれかに連設された、請求項１に記載の綴具。
【国際調査報告】
2012114564.tif 000066
2012114564.tif 000067
2012114564.tif 000068
2012114564.tif 000069